(57)【特許請求の範囲】
【請求項１】
事業者の展開において第１の事業者に関連する第１のノードが無認可無線周波数スペクトル帯域を介して送信すべき緊急データを有すると前記第１のノードによって決定することと、
前記第１のノードが送信すべき緊急データを有するという前記決定に応答して前記第１のノードのリッスンビフォアトーク（ＬＢＴ）譲歩パラメータを調整することと、
前記第１のノードによって前記無認可無線周波数スペクトル帯域を介して信号を送信することと、前記信号が、前記第１のノードが送信すべき緊急データを有することを示す、
マルチキャスト送信を介して前記緊急データを送信することと
を備える、ワイヤレス通信の方法。
【請求項２】
前記信号が、前記第１のノードによる前記緊急データの送信の最大時間スパンの指示をさらに備える、請求項１に記載の方法。
【請求項３】
前記マルチキャスト送信が、マルチメディアブロードキャストマルチキャストサービス（ＭＢＭＳ）に関連する、請求項１に記載の方法。
【請求項４】
前記第１のノードによる前記緊急データの前記送信中に前記無認可無線周波数スペクトル帯域において利用可能な送信リソースを割り振ることをさらに備え、ここにおいて、前記割振りは、
前記無認可無線周波数スペクトル帯域におけるすべての利用可能な送信リソースを前記ＭＢＭＳに割り振ること、または
前記無認可無線周波数スペクトル帯域における利用可能な送信リソースを前記ＭＢＭＳとユニキャストとの間で分割することと、ここにおいて、前記緊急データが前記ＭＢＭＳと前記ユニキャストの両方を介して送信される、
のうちの１つを備える、請求項３に記載の方法。
【請求項５】
前記第１のノードが前記緊急データを送信することを完了したことを示す第２の信号を送信すること
をさらに備える、請求項１に記載の方法。
【請求項６】
前記第２の信号が、クリアチャネルアセスメント（ＣＣＡ）免除送信（ＣＥＴ）を使用して送信される、請求項５に記載の方法。
【請求項７】
前記ＬＢＴ譲歩パラメータが、第１のＬＢＴ譲歩パラメータまたは第２のＬＢＴ譲歩パラメータのうちの１つを備え、
前記第１のＬＢＴ譲歩パラメータは、前記無認可無線周波数スペクトル帯域へのアクセスを譲歩するように事業者の前記展開において前記第１のノードをトリガする連続フレームの数を定義し、
前記第２のＬＢＴ譲歩パラメータは、前記第１のＬＢＴ譲歩パラメータによって定義される前記数の連続フレームの送信に続いて前記第１のノードが前記無認可無線周波数スペクトル帯域へのアクセスをその間に譲歩する連続フレームの数を定義する、
請求項１に記載の方法。
【請求項８】
前記ＬＢＴ譲歩パラメータを調整することが、
前記第１のＬＢＴ譲歩パラメータをデフォルト値から増加または減少させること
を備える、請求項７に記載の方法。
【請求項９】
前記ＬＢＴ譲歩パラメータを調整することが、
前記無認可無線周波数スペクトル帯域を介して送信すべき緊急データを有する事業者の前記展開における事業者の総数に基づいて前記ＬＢＴ譲歩パラメータを調整すること
を備える、請求項１に記載の方法。
【請求項１０】
事業者の前記展開において第２の事業者に関連する第２のノードが前記無認可無線周波数スペクトル帯域を介して送信すべき緊急データを有すると決定すること
をさらに備え、
ここにおいて、前記ＬＢＴ譲歩パラメータを調整することが、前記第１のノードの前記ＬＢＴ譲歩パラメータを前記第２のノードの対応するＬＢＴ譲歩パラメータにマッチングすることを備える、
請求項１に記載の方法。
【請求項１１】
前記第２のノードが前記無認可無線周波数スペクトル帯域を介して送信すべき緊急データを有すると決定することが、
前記第２のノードから信号を受信することを備え、前記信号は、前記第２のノードが送信すべき緊急データを有するという指示を備える、
請求項１０に記載の方法。
【請求項１２】
前記第１のノードが送信すべき緊急データを有するという前記決定に応答して前記第１のノードのＣＣＡ機会を調整すること
をさらに備える、請求項１に記載の方法。
【請求項１３】
前記第１のノードの前記ＣＣＡ機会を調整することが、
前記無認可無線周波数スペクトル帯域を介して送信すべき緊急データを有する事業者の前記展開における事業者の総数に基づいて前記ＣＣＡ機会を調整すること
を備える、請求項１２に記載の方法。
【請求項１４】
少なくとも事業者の前記展開において第２の事業者に関連する第２のノードが前記無認可無線周波数スペクトル帯域を介して送信すべき緊急データを有すると決定すること
をさらに備える、請求項１３に記載の方法。
【請求項１５】
最も早いＣＣＡ機会へのアクセスは、前記第１のノードと前記第２のノードの両方が送信すべき緊急データを有する各フレームについてフレームごとに前記第１のノードと前記第２のノードとの間で循環する、請求項１４に記載の方法。
【請求項１６】
前記第１のノードが、基地局またはユーザ機器（ＵＥ）を含む、請求項１に記載の方法。
【請求項１７】
プロセッサと、
前記プロセッサと電子通信しているメモリと、
前記メモリに中に記憶された命令と
を備え、ここにおいて、前記命令が、
事業者の展開において第１の事業者に関連する第１のノードが無認可無線周波数スペクトル帯域を介して送信すべき緊急データを有すると決定することを前記第１のノードに行わせ、
前記第１のノードが送信すべき緊急データを有するという前記決定に応答して前記第１のノードのリッスンビフォアトーク（ＬＢＴ）譲歩パラメータを調整することを前記第１のノードに行わせ、
前記無認可無線周波数スペクトル帯域を介して信号を送信することを前記第１のノードに行わせ、前記信号が、前記第１のノードが送信すべき緊急データを有することを示す、
マルチキャスト送信を介して前記緊急データを送信することを前記第１のノードに行わせる
ように前記プロセッサによって実行可能である、ワイヤレス通信のための装置。
【請求項１８】
前記ＬＢＴ譲歩パラメータが、第１のＬＢＴ譲歩パラメータまたは第２のＬＢＴ譲歩パラメータのうちの１つを備え、
前記第１のＬＢＴ譲歩パラメータが、前記無認可無線周波数スペクトル帯域へのアクセスを譲歩するように事業者の前記展開において前記第１のノードをトリガする連続フレームの数を定義し、
前記第２のＬＢＴ譲歩パラメータは、前記第１のＬＢＴ譲歩パラメータによって定義される前記数の連続フレームの送信に続いて前記第１のノードが前記無認可無線周波数スペクトル帯域へのアクセスをその間に譲歩する連続フレームの数を定義する、
請求項１７に記載の装置。
【請求項１９】
前記ＬＢＴ譲歩パラメータを調整するように前記プロセッサによって実行可能な前記命令が、
前記無認可無線周波数スペクトル帯域を介して送信すべき緊急データを有する事業者の前記展開における事業者の総数に基づいて前記ＬＢＴ譲歩パラメータを調整する
ように前記プロセッサによって実行可能な命令を備える、請求項１７に記載の装置。
【請求項２０】
前記命令が、
前記第１のノードが送信すべき緊急データを有するという前記決定に応答して前記第１のノードのＣＣＡ機会を調整する
ように前記プロセッサによって実行可能である、請求項１７に記載の装置。
【請求項２１】
ワイヤレス通信のためのコードを記憶する非一時的コンピュータ可読記憶媒体であって、前記コードは、事業者の展開において第１の事業者に関連する第１のノードに、
前記第１のノードが無認可無線周波数スペクトル帯域を介して送信すべき緊急データを有すると決定することと、
前記第１のノードが送信すべき緊急データを有するという前記決定に応答して前記第１のノードのリッスンビフォアトーク（ＬＢＴ）譲歩パラメータを調整することと、
クリアチャネルアセスメント（ＣＣＡ）免除送信（ＣＥＴ）を使用して、前記無認可無線周波数スペクトル帯域を介して信号を送信することと、前記信号が、前記第１のノードが送信すべき緊急アップリンクデータを有することを示す、
マルチキャスト送信を介して前記緊急データを送信することと
を行わせるようにプロセッサによって実行可能な命令を備える、非一時的コンピュータ可読記憶媒体。
【請求項２２】
前記信号が、前記第１のノードによる前記緊急データの送信の最大時間スパンの指示をさらに備える、請求項２１に記載の非一時的コンピュータ可読記憶媒体。
【請求項２３】
前記マルチキャスト送信が、マルチメディアブロードキャストマルチキャストサービス（ＭＢＭＳ）に関連する、請求項２１に記載の非一時的コンピュータ可読記憶媒体。
【請求項２４】
前記命令が、前記第１のノードに、
前記第１のノードによる前記緊急データの前記送信中に前記無認可無線周波数スペクトル帯域において利用可能な送信リソースを割り振ること行わせるように前記プロセッサによってさらに実行可能であり、ここにおいて、前記割振りは、
前記無認可無線周波数スペクトル帯域におけるすべての利用可能な送信リソースを前記ＭＢＭＳに割り振ること、または
前記無認可無線周波数スペクトル帯域における利用可能な送信リソースを前記ＭＢＭＳとユニキャストとの間で分割することと、ここにおいて、前記緊急データが前記ＭＢＭＳと前記ユニキャストの両方を介して送信される、
のうちの１つを備える、請求項２３に記載の非一時的コンピュータ可読記憶媒体。
【請求項２５】
前記命令が、前記第１のノードに、
前記第１のノードが前記緊急データを送信することを完了したことを示す第２の信号を送信すること
を行わせるように前記プロセッサによってさらに実行可能である、請求項２１に記載の非一時的コンピュータ可読記憶媒体。
【請求項２６】
前記第２の信号が、クリアチャネルアセスメント（ＣＣＡ）免除送信（ＣＥＴ）を使用して送信される、請求項２５に記載の非一時的コンピュータ可読記憶媒体。
【発明の詳細な説明】
【技術分野】
【０００１】
相互参照
[0001]本特許出願は、各々が本出願の譲受人に譲渡された、２０１５年２月１０日に出願された「Ｅｍｅｒｇｅｎｃｙ  Ｄａｔａ  Ｔｒａｎｓｍｉｓｓｉｏｎ  Ｏｖｅｒ  Ｕｎｌｉｃｅｎｓｅｄ  Ｒａｄｉｏ  Ｆｒｅｑｕｅｎｃｙ  Ｓｐｅｃｔｒｕｍ  Ｂａｎｄ」と題するＺｈａｎｇらによる米国特許出願第１４／６１８，６０４号、および２０１４年４月４日に出願された「Ｅｍｅｒｇｅｎｃｙ  Ｄａｔａ  Ｔｒａｎｓｍｉｓｓｉｏｎ  Ｏｖｅｒ  Ｕｎｌｉｃｅｎｓｅｄ  Ｒａｄｉｏ  Ｆｒｅｑｕｅｎｃｙ  Ｓｐｅｃｔｒｕｍ  Ｂａｎｄ」と題するＺｈａｎｇらによる米国仮特許出願第６１／９７５，５２２号の優先権を主張する。
【０００２】
[0002]本開示は、たとえば、ワイヤレス通信システムに関し、より詳細には、無認可無線周波数スペクトル帯域を介して緊急データを送信するための技法に関する。
【背景技術】
【０００３】
[0003]ワイヤレス通信システムは、音声、ビデオ、パケットデータ、メッセージング、およびブロードキャストなどの様々なタイプの通信内容を提供するために広く展開されている。これらのシステムは、利用可能なシステムリソース（たとえば、時間、周波数、および電力）を共有することによって複数のユーザとの通信をサポートすることが可能な多重接続システムであり得る。そのような多重接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]例として、ワイヤレス多元接続通信システムは、各々が複数のユーザ機器（ＵＥ）のための通信を同時にサポートする、いくつかの基地局を含み得る。基地局は、（たとえば、基地局からＵＥへの送信のために）ダウンリンクチャネル、および（たとえば、ＵＥから基地局への送信のために）アップリンクチャネル上で、ＵＥと通信し得る。
【０００５】
[0005]いくつかの通信モードは、セルラーネットワークの異なる無線周波数スペクトル帯域（たとえば、認可無線周波数スペクトル帯域および／または無認可無線周波数スペクトル帯域）を介してのＵＥとの通信を可能にし得る。セルラーネットワークにおけるデータトラフィックの増加とともに、少なくとも一部のデータトラフィックの、無認可無線周波数スペクトル帯域へのオフローディングは、セルラー事業者に拡張データ送信容量のための機会を提供し得る。無認可無線周波数スペクトル帯域へのアクセスを獲得し、無認可無線周波数スペクトル帯域を介してデータを送信するより前に、送信装置は、いくつかの例では、無認可無線周波数スペクトル帯域へのアクセスを獲得するために、リッスンビフォアトーク（ＬＢＴ：listen before talk）手順を実施し得る。ＬＢＴ手順は、無認可無線周波数スペクトル帯域のチャネルが利用可能であるかどうかを決定するためにクリアチャネルアセスメント（ＣＣＡ）を実施することを含み得る。（たとえば、別のデバイスが無認可無線周波数スペクトル帯域のチャネルをすでに使用しているので）無認可無線周波数スペクトル帯域のチャネルが利用可能でないと決定されたとき、後で再びチャネルのためにＣＣＡが実施され得る。
【０００６】
[0006]無認可無線周波数スペクトル帯域へのアクセスを取得することについての予測不可能な性質は、無認可無線周波数スペクトル帯域を介した緊急データの送信を困難にさせ得る。
【発明の概要】
【０００７】
[0007]本開示は、たとえば、無認可無線周波数スペクトル帯域を介して緊急データを送信するための１つまたは複数の技法に関する。本明細書で説明する技法のいくつかは、事業者の展開において事業者に関連するノード（たとえば、基地局またはユーザ機器（ＵＥ））が、ノードが送信すべき緊急データを有するという決定に応答してノードのリッスンビフォアトーク（ＬＢＴ）譲歩パラメータ（たとえば、Ｎ／ＫプロトコルのＮパラメータおよび／またはＫパラメータ）を自律的に調整することを可能にし得る。Ｎ／Ｋプロトコルは、ノードが、無認可無線周波数スペクトル帯域にアクセスするためのＮ回の試行後に無認可無線周波数スペクトル帯域にアクセスすることを試みないプロトコルである。本明細書で説明する技法のいくつかは、事業者の展開において事業者に関連するノード（たとえば、基地局またはＵＥ）が、ノードが送信すべき緊急データを有するという決定に応答してノードのクリアチャネルアセスメント（ＣＣＡ）機会を自律的に調整することを可能にし得る。
【０００８】
[0008]例示的な例の第１のセットでは、ワイヤレス通信のための方法について説明する。一例では、本方法は、事業者の展開において第１の事業者に関連する第１のノードが無認可無線周波数スペクトル帯域を介して送信すべき緊急データを有すると決定することを含み得る。本方法はまた、第１のノードによって無認可無線周波数スペクトル帯域を介して信号を送信することを含み得る。信号は、第１のノードが送信すべき緊急データを有することを示し得る。
【０００９】
[0009]本方法のいくつかの例では、信号は、第１のノードによる緊急データの送信の最大時間スパンの指示をさらに含み得る。いくつかの例では、本方法は、第１のノードが緊急データを送信することを完了したことを示す第２の信号を送信することをさらに含み得る。
【００１０】
[0010]いくつかの例では、本方法は、マルチメディアブロードキャストマルチキャストサービス（ＭＢＭＳ：multimedia broadcast multicast service）を介して緊急データを送信することを含み得る。これらの例のいくつかでは、本方法は、第１のノードによる緊急データの送信中に無認可無線周波数スペクトル帯域におけるすべての利用可能な送信リソースをＭＢＭＳに割り振ること、または第１のノードによる緊急データの送信中に無認可無線周波数スペクトル帯域における利用可能な送信リソースをＭＢＭＳとユニキャストとの間で分割することをさらに含み得る。後者の場合、緊急データは、ＭＢＭＳとユニキャストの両方を介して送信され得る。
【００１１】
[0011]いくつかの例では、本方法は、第１のノードが送信すべき緊急データを有するという決定に応答して第１のノードのＬＢＴ譲歩パラメータを調整することを含み得る。いくつかの例では、ＬＢＴ譲歩パラメータは、第１のＬＢＴ譲歩パラメータまたは第２のＬＢＴ譲歩パラメータのうちの１つを含み得、これにおいて、第１のＬＢＴ譲歩パラメータは、無認可無線周波数スペクトル帯域へのアクセスを譲歩するように事業者の展開において第１のノードをトリガする連続フレームの数を定義し、第２のＬＢＴ譲歩パラメータは、第１のＬＢＴ譲歩パラメータによって定義される数の連続フレームの送信に続いて第１のノードが無認可無線周波数スペクトル帯域へのアクセスをその間に譲歩する連続フレームの数を定義する。本方法のいくつかの例では、ＬＢＴ譲歩パラメータを調整することは、第１のＬＢＴ譲歩パラメータをデフォルト値から増加させることおよび／または第２のＬＢＴ譲歩パラメータをデフォルト値から減少させることを含み得る。いくつかの例では、ＬＢＴ譲歩パラメータを調整することは、第１のノードが送信すべき緊急データを有している間、第２のＬＢＴ譲歩パラメータを０に設定することを含み得る。
【００１２】
[0012]いくつかの例では、ＬＢＴ譲歩パラメータを調整することは、無認可無線周波数スペクトル帯域を介して送信すべき緊急データを有する事業者の展開における事業者の総数に基づいてＬＢＴ譲歩パラメータを調整することを含み得る。いくつかの例では、本方法は、事業者の展開において第２の事業者に関連する第２のノードが無認可無線周波数スペクトル帯域を介して送信すべき緊急データを有すると決定することを含み得る。これらの後者の例のいくつかでは、ＬＢＴ譲歩パラメータを調整することは、第１のノードのＬＢＴ譲歩パラメータを第２のノードの対応するＬＢＴ譲歩パラメータにマッチングすることを含み得る。いくつかの例では、第２のノードが無認可無線周波数スペクトル帯域を介して送信すべき緊急データを有すると決定することは、第２のノードから信号を受信することを含み得る。第２のノードから受信される信号は、第２のノードが送信すべき緊急データを有するという指示を含み得る。
【００１３】
[0013]本方法のいくつかの例では、第１のノードの調整されたＬＢＴ譲歩パラメータは、送信すべき緊急データを有しないノードによって使用される対応するＬＢＴ譲歩パラメータとは異なり得る。いくつかの例では、本方法は、第１のノードによる緊急データの送信に続いてＬＢＴ譲歩パラメータを元の値に戻すことをさらに含み得る。
【００１４】
[0014]いくつかの例では、本方法は、第１のノードが送信すべき緊急データを有するという決定に応答して第１のノードのＣＣＡ機会を調整することを含み得る。いくつかの例では、第１のノードのＣＣＡ機会を調整することは、無認可無線周波数スペクトル帯域を介して送信すべき緊急データを有する事業者の展開における事業者の総数に基づいてＣＣＡ機会を調整することを含み得る。いくつかの例では、本方法は、少なくとも事業者の展開において第２の事業者に関連する第２のノードが無認可無線周波数スペクトル帯域を介して送信すべき緊急データを有すると決定することをさらに含み得る。いくつかの例では、最も早いＣＣＡ機会へのアクセスは、第１のノードと第２のノードの両方が送信すべき緊急データを有する各フレームについてフレームごとに第１のノードと第２のノードとの間で循環し得る。いくつかの例では、第２のノードが無認可無線周波数スペクトル帯域を介して送信すべき緊急データを有すると決定することは、第２のノードからＣＥＴを受信することを含み得る。ＣＥＴは、第２のノードが送信すべき緊急データを有するという指示を含み得る。
【００１５】
[0015]本方法のいくつかの例では、第１のノードの調整されたＣＣＡ機会は、第２のノードのデフォルトＣＣＡ機会と衝突し、それをプリエンプトし得る。これらの例のいくつかでは、本方法は、第１のノードのデフォルトＣＣＡ機会を第２のノードに放棄することを含み得る。
【００１６】
[0016]いくつかの例では、本方法は、第１のノードの調整されたＣＣＡ機会においてＣＣＡを実施することを含み得る。本方法はまた、ＣＣＡが成功した場合、調整されたＣＣＡ機会に続くフレーム中に第１のノードによって緊急データの少なくとも一部分を送信することを含み得る。いくつかの例では、本方法は、緊急データが送信を完了するまで、調整されたＣＣＡ機会に続くフレームにおいてすべての利用可能な送信リソースを緊急データの送信に割り振ることをさらに含み得る。いくつかの例では、本方法は、サブキャリアのサブセットを介して第１のノードによって緊急データを送信することをさらに含み得る。サブキャリアのサブセットは、第１のノードの第１の事業者に基づいて決定され得る。いくつかの例では、本方法は、少なくとも第２の事業者に関連する第２のノードと同時にＣＣＡを実施することをさらに含み得、ここで、第２のノードは送信すべき緊急データを有する。
【００１７】
[0017]いくつかの例では、本方法は、少なくとも第２の事業者に関連する第２のノードと同時にＣＣＡを実施することを含み得、ここで、第２のノードは送信すべき非緊急データを有し、第２のノードのデフォルトＣＣＡ機会は、第１のノードの調整されたＣＣＡ機会と衝突する。いくつかの例では、本方法は、第１の事業者と第２の事業者とを含むジョイントＭＢＭＳを介して緊急データを送信することをさらに含み得る。いくつかの例では、本方法は、第１のノードと第２のノードとが送信すべき同じ緊急データを有するという決定に応答して、ジョイントＭＢＭＳを形成することをさらに含み得る。いくつかの例では、本方法は、第１のノードと第２のノードとの間の多地点協調（ＣｏＭＰ）動作に従って緊急データを送信することをさらに含み得る。
【００１８】
[0018]本方法のいくつかの例では、第１のノードは基地局またはＵＥを含み得る。
【００１９】
[0019]例示的な例の第２のセットでは、ワイヤレス通信のための装置について説明する。一例では、本装置は、事業者の展開において第１の事業者に関連する第１のノードが無認可無線周波数スペクトル帯域を介して送信すべき緊急データを有すると決定するための手段を含み得る。本装置はまた、第１のノードによって無認可無線周波数スペクトル帯域を介して信号を送信するための手段を含み得る。信号は、第１のノードが送信すべき緊急データを有することを示し得る。いくつかの例では、本装置は、例示的な例の第１のセットに関して上記で説明したワイヤレス通信のための方法の１つまたは複数の態様を実装するための手段をさらに含み得る。
【００２０】
[0020]例示的な例の第３のセットでは、ワイヤレス通信のための別の装置について説明する。一例では、本装置は、プロセッサと、プロセッサに結合されたメモリとを含み得る。プロセッサは、事業者の展開において第１の事業者に関連する第１のノードが無認可無線周波数スペクトル帯域を介して送信すべき緊急データを有すると決定するように構成される。プロセッサは、無認可無線周波数スペクトル帯域を介して信号を送信することを第１のノードに行わせるように構成され得る。信号は、第１のノードが送信すべき緊急データを有することを示し得る。いくつかの例では、プロセッサはまた、例示的な例の第１のセットに関して上記で説明したワイヤレス通信のための方法の１つまたは複数の態様を実装するように構成され得る。
【００２１】
[0021]例示的な例の第４のセットでは、ワイヤレス通信システム中のワイヤレス通信装置による通信のためのコンピュータプログラム製品について説明する。一例では、コンピュータプログラム製品は、事業者の展開において第１の事業者に関連する第１のノードが無認可無線周波数スペクトル帯域を介して送信すべき緊急データを有すると決定することをワイヤレス通信装置に行わせるようにプロセッサによって実行可能な命令を記憶した非一時的コンピュータ可読媒体を含み得る。命令はまた、無認可無線周波数スペクトル帯域を介して信号を送信することを第１のノードに行わせることをワイヤレス通信装置に行わせるようにプロセッサによって実行可能であり得る。信号は、第１のノードが送信すべき緊急データを有することを示し得る。いくつかの例では、命令はまた、例示的な例の第１のセットに関して上記で説明したワイヤレス通信のための方法の１つまたは複数の態様を実装することをワイヤレス通信装置に行わせるようにプロセッサによって実行可能であり得る。
【００２２】
[0022]例示的な例の第５のセットでは、ワイヤレス通信のための別の方法について説明する。一例では、本方法は、事業者の展開において第１の事業者に関連する第１の基地局において、ＵＥが無認可無線周波数スペクトル帯域を介して送信すべき緊急アップリンクデータを有することを示すＵＥからのアップリンク送信を受信することを含み得る。本方法はまた、ＵＥが無認可無線周波数スペクトル帯域を介して送信すべき緊急アップリンクデータを有するという指示を第１の基地局によって第２の基地局に送信することを含み得る。
【００２３】
[0023]本方法のいくつかの例では、ＵＥからのアップリンク送信はアップリンクＣＥＴを含み得る。本方法のいくつかの例では、第２の基地局への指示は、ダウンリンクＣＥＴおよび／またはＬＢＴバーストの開始における送信を含み得る。
【００２４】
[0024]例示的な例の第６のセットでは、ワイヤレス通信のための装置について説明する。一例では、本装置は、事業者の展開において第１の事業者に関連する第１の基地局において、ＵＥが無認可無線周波数スペクトル帯域を介して送信すべき緊急アップリンクデータを有することを示すＵＥからのアップリンク送信を受信するための手段を含み得る。本装置はまた、ＵＥが無認可無線周波数スペクトル帯域を介して送信すべき緊急アップリンクデータを有するという指示を第１の基地局によって第２の基地局に送信するための手段を含み得る。いくつかの例では、本装置は、例示的な例の第５のセットに関して上記で説明したワイヤレス通信のための方法の１つまたは複数の態様を実装するための手段をさらに含み得る。
【００２５】
[0025]例示的な例の第７のセットでは、ワイヤレス通信のための別の装置について説明する。一例では、本装置は、プロセッサと、プロセッサに結合されたメモリとを含み得る。プロセッサは、事業者の展開において第１の事業者に関連する第１の基地局において、ＵＥが無認可無線周波数スペクトル帯域を介して送信すべき緊急アップリンクデータを有することを示すＵＥからのアップリンク送信を受信するように構成され得る。プロセッサはまた、ＵＥが無認可無線周波数スペクトル帯域を介して送信すべき緊急アップリンクデータを有するという指示を第２の基地局に送信することを第１の基地局に行わせるように構成され得る。いくつかの例では、プロセッサは、例示的な例の第５のセットに関して上記で説明したワイヤレス通信のための方法の１つまたは複数の態様を実装するように構成され得る。
【００２６】
[0026]例示的な例の第８のセットでは、ワイヤレス通信システム中のワイヤレス通信装置による通信のためのコンピュータプログラム製品について説明する。一例では、コンピュータプログラム製品は、事業者の展開において第１の事業者に関連する第１の基地局において、ＵＥが無認可無線周波数スペクトル帯域を介して送信すべき緊急アップリンクデータを有することを示すＵＥからのアップリンク送信を受信することをワイヤレス通信装置に行わせるようにプロセッサによって実行可能な命令を記憶した非一時的コンピュータ可読媒体を含み得る。命令はまた、ＵＥが無認可無線周波数スペクトル帯域を介して送信すべき緊急アップリンクデータを有するという指示を第２の基地局に送信することを第１の基地局に行わせることをワイヤレス通信装置に行わせるようにプロセッサによって実行可能であり得る。いくつかの例では、命令はまた、例示的な例の第５のセットに関して上記で説明したワイヤレス通信のための方法の１つまたは複数の態様を実装することをワイヤレス通信装置に行わせるようにプロセッサによって実行可能であり得る。
【００２７】
[0027]上記では、以下の詳細な説明がより良く理解され得るように、本開示による例の特徴および技術的利点をかなり広範に概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲の趣旨および範囲から逸脱しない。関連する利点とともに、本明細書で開示する概念の編成と動作の方法の両方に関して、それらの概念を特徴づけると考えられる特徴は、添付の図に関連して以下の説明を検討するとより良く理解されよう。図の各々は、例示および説明のみの目的で提供され、特許請求の範囲を定めるものではない。
【００２８】
[0028]以下の図面を参照することにより、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【００２９】
[0029]以下の図面を参照することにより、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【図面の簡単な説明】
【００３０】
【図１】[0030]本開示の様々な態様による、ワイヤレス通信システムのブロック図。
【図２】[0031]本開示の様々な態様による、無認可無線周波数スペクトル帯域を使用する異なるシナリオの下でロングタームエボリューション（ＬＴＥ（登録商標））／ＬＴＥアドバンスト（ＬＴＥ−Ａ）が展開されるワイヤレス通信システムを示す図。
【図３】[0032]本開示の様々な態様による、無認可無線周波数スペクトル帯域におけるゲーティング間隔（またはリッスンビフォアトーク（ＬＢＴ）フレーム）の例を示す図。
【図４Ａ】[0033]本開示の様々な態様による、無認可無線周波数スペクトル帯域にわたるワイヤレス通信の一例を示す図。
【図４Ｂ】[0034]本開示の様々な態様による、無認可無線周波数スペクトル帯域にわたるワイヤレス通信の一例を示す図。
【図５】[0035]本開示の様々な態様による、異なる非同期的事業者の送信装置（たとえば、基地局および／またはユーザ機器（ＵＥ））にＮ／Ｋプロトコルがどのように適用され得るかの一例を示す図。
【図６】[0036]本開示の様々な態様による、無認可無線周波数スペクトル帯域における同期的事業者のクリアチャネルアセスメント（ＣＣＡ）免除送信（ＣＥＴ）のためのリソース割振りの一例を示す図。
【図７】[0037]本開示の様々な態様による、無認可無線周波数スペクトル帯域における非同期的事業者（たとえば、事業者１、事業者２、および／または事業者３）のＣＥＴのためのリソース割振りの一例を示す図。
【図８】[0038]本開示の様々な態様による、図７に示された３つの異なる非同期的事業者（たとえば、事業者１、事業者２、および事業者３）は、事業者の１番目（たとえば、事業者１）がＬＢＴ譲歩パラメータを調整したときにどのように影響を受け得るかの一例を示す図。
【図９】[0039]本開示の様々な態様による、無認可無線周波数スペクトル帯域にわたるワイヤレス通信の一例を示す図。
【図１０】[0040]本開示の様々な態様による、無認可無線周波数スペクトル帯域にわたるワイヤレス通信の一例を示す図。
【図１１】[0041]本開示の様々な態様による、無認可無線周波数スペクトル帯域にわたるワイヤレス通信の一例を示す図。
【図１２】[0042]本開示の様々な態様による、ワイヤレス通信において使用するための装置のブロック図。
【図１３】[0043]本開示の様々な態様による、ワイヤレス通信において使用するための装置のブロック図。
【図１４】[0044]本開示の様々な態様による、ワイヤレス通信において使用するための装置のブロック図。
【図１５】[0045]本開示の様々な態様による、ワイヤレス通信において使用するための装置のブロック図。
【図１６】[0046]本開示の様々な態様による、ワイヤレス通信において使用するための装置のブロック図。
【図１７】[0047]本開示の様々な態様による、ワイヤレス通信において使用するための基地局（たとえば、発展型ノードＢ（ｅＮＢ）の一部または全部を形成する基地局）のブロック図。
【図１８】[0048]本開示の様々な態様による、ワイヤレス通信において使用するためのＵＥのブロック図。
【図１９】[0049]本開示の様々な態様による、ワイヤレス通信のための方法の一例を示すフローチャート。
【図２０】[0050]本開示の様々な態様による、ワイヤレス通信のための方法の一例を示すフローチャート。
【図２１】[0051]本開示の様々な態様による、ワイヤレス通信のための方法の一例を示すフローチャート。
【図２２】[0052]本開示の様々な態様による、ワイヤレス通信のための方法の一例を示すフローチャート。
【図２３】[0053]本開示の様々な態様による、ワイヤレス通信のための方法の一例を示すフローチャート。
【発明を実施するための形態】
【００３１】
[0054]無認可無線周波数スペクトル帯域（たとえば、無線周波数スペクトル帯域が、少なくとも部分的にＷｉ−Ｆｉ（登録商標）使用および／または無認可ロングタームエボリューション（ＬＴＥ）／ＬＴＥアドバンスト（ＬＴＥ−Ａ）使用などの無認可使用のために利用可能であるので、装置がアクセスを求めて競合する必要があり得る無線周波数スペクトル帯域）を介して緊急データが送信される技法について説明する。いくつかの例では、無認可無線周波数スペクトル帯域はセルラー通信（たとえば、ＬＴＥ通信および／またはＬＴＥ−Ａ通信）のために使用され得る。
【００３２】
[0055]セルラーネットワークにおけるデータトラフィックの増加とともに、少なくとも一部のデータトラフィックの、無認可無線周波数スペクトル帯域へのオフローディングは、セルラー事業者（たとえば、パブリックランドモバイルネットワーク（ＰＬＭＮ）、および／またはＬＴＥ／ＬＴＥ−Ａネットワークなどのセルラーネットワークを定義する基地局の協調セットの事業者）に拡張データ送信容量のための機会を提供し得る。場合によっては、基地局とユーザ機器（ＵＥ）との間のすべての通信は、無認可無線周波数スペクトル帯域を介して行われ得る。
【００３３】
[0056]無認可無線周波数スペクトル帯域へのアクセスを獲得し、無認可無線周波数スペクトル帯域を介してデータを通信するより前に、送信装置は、いくつかの例では、無認可無線周波数スペクトル帯域へのアクセスを獲得するために、リッスンビフォアトーク（ＬＢＴ）手順を実施し得る。そのようなＬＢＴ手順は、無認可無線周波数スペクトル帯域のチャネルが利用可能であるかどうかを決定するためにクリアチャネルアセスメント（ＣＣＡ）を実施することを含み得る。チャネルが利用可能でないと決定されたとき、後で再びそのチャネルのためにＣＣＡが実施され得る。無認可無線周波数スペクトル帯域へのアクセスを取得することについての予測不可能な性質は、無認可無線周波数スペクトル帯域を介した緊急データの送信を困難にさせ得る。
【００３４】
[0057]説明する技法のいくつかの例では、事業者の展開において事業者に関連するノード（たとえば、基地局またはＵＥ）は、ノードが送信すべき緊急データを有するという決定に応答してノードのＬＢＴ譲歩パラメータ（たとえば、Ｎ／ＫプロトコルのＮパラメータおよび／またはＫパラメータ）を自律的に調整することを可能にされ得る。Ｎ／Ｋプロトコルは、ノードが、無認可無線周波数スペクトル帯域にアクセスするためのＮ回の試行後に無認可無線周波数スペクトル帯域にアクセスすることを試みないプロトコルである。ＬＢＴ譲歩パラメータは、たとえば、Ｎ／ＫプロトコルのＮパラメータの値を増加させるかまたはＫパラメータの値を減少させ、それにより、ノードが緊急データを送信するために無認可無線周波数スペクトル帯域へのアクセスを潜在的に保持し得る持続時間を増加させることによって調整され得る。
【００３５】
[0058]説明する技法の他の例では、事業者の展開において事業者に関連するノード（たとえば、基地局またはＵＥ）は、ノードが送信すべき緊急データを有するという決定に応答してノードのＣＣＡ機会を自律的に調整することを可能にされ得る。このようにして、ノードはＣＣＡを時間的により早く実施し得、それにより、ノードが無認可無線周波数スペクトル帯域へのアクセスを獲得する見込みが増加する。
【００３６】
[0059]本明細書で説明する技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭＡ（登録商標）などの無線技術を実装し得る。ＵＴＲＡおよびＥ−ＵＴＲＡはユニバーサルモバイルテレコミュニケーションシステム（ＵＭＴＳ）の一部である。３ＧＰＰ(登録商標)  ＬＴＥおよびＬＴＥ−Ａは、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明する技法は、上記のシステムおよび無線技術、ならびに他のシステムおよび無線技術に使用され得る。しかしながら、以下の説明では、例としてＬＴＥシステムについて説明し、以下の説明の大部分でＬＴＥ用語が使用されるが、本技法はＬＴＥ適用例以外に適用可能である。
【００３７】
[0060]以下の説明は例を提供するものであり、特許請求の範囲に記載される範囲、適用可能性、または例を限定するものではない。本開示の趣旨および範囲から逸脱することなく、説明する要素の機能および配置において変更が行われ得る。様々な例は、適宜に様々な手順または構成要素を省略、置換、または追加し得る。たとえば、説明する方法は、説明する順序とは異なる順序で実施され得、様々なステップが追加、省略、または組み合わされ得る。また、いくつかの例に関して説明する特徴は、他の例において組み合わされ得る。
【００３８】
[0061]図１は、本開示の様々な態様による、ワイヤレス通信システム１００のブロック図を示す。ワイヤレス通信システム１００は、複数の基地局１０５（たとえば、１つまたは複数の発展型ノードＢ（ｅＮＢ）の一部または全体を形成する基地局）と、いくつかのＵＥ１１５と、コアネットワーク１３０とを含み得る。基地局１０５のいくつかは、様々な例ではコアネットワーク１３０の一部または基地局１０５のうちのいくつかであり得る、基地局コントローラ（図示せず）の制御下でＵＥ１１５と通信し得る。基地局１０５のうちのいくつかは、バックホール１３２を通してコアネットワーク１３０と制御情報および／またはユーザデータを通信し得る。いくつかの例では、基地局１０５のうちのいくつかは、ワイヤードまたはワイヤレス通信リンクであり得るバックホールリンク１３４を介して互いに直接または間接的に通信し得る。ワイヤレス通信システム１００は、複数のキャリア（様々な周波数の波形信号）上での動作をサポートし得る。マルチキャリア送信機は、複数のキャリア上で同時に被変調信号を送信することができる。たとえば、各通信リンク１２５は、様々な無線技術に従って変調されたマルチキャリア信号であり得る。各々の変調された信号は、異なるキャリア上で送られ得、制御情報（たとえば、基準信号、制御チャネルなど）、オーバーヘッド情報、データなどを搬送し得る。
【００３９】
[0062]基地局１０５は、１つまたは複数の基地局アンテナを介してＵＥ１１５とワイヤレス通信し得る。基地局１０５の各々は、それぞれのカバレージエリア１１０に通信カバレージを提供し得る。いくつかの例では、基地局１０５は、アクセスポイント、基地トランシーバ局（ＢＴＳ）、無線基地局、無線トランシーバ、基本サービスセット（ＢＳＳ）、拡張サービスセット（ＥＳＳ）、ノードＢ、ｅＮＢ、ホームノードＢ、ホームｅノードＢ、ワイヤレスローカルエリアネットワーク（ＷＬＡＮ）アクセスポイント、Ｗｉ−Ｆｉノード、または何らかの他の好適な用語で呼ばれることがある。基地局１０５のためのカバレージエリア１１０は、カバレージエリアの一部分のみを構成するセクタに分割され得る。ワイヤレス通信システム１００は、異なるタイプ（たとえば、マクロ基地局、マイクロ基地局、および／またはピコ基地局）の基地局１０５を含み得る。基地局１０５はまた、セルラーおよび／またはＷＬＡＮ無線アクセス技術などの異なる無線技術を利用し得る。基地局１０５は、同じまたは異なるアクセスネットワークまたは事業者展開に関連付けられ得る。同じもしくは異なるタイプの基地局１０５のカバレージエリアを含み、同じもしくは異なる無線技術を利用し、および／または同じもしくは異なるアクセスネットワークに属する、異なる基地局１０５のカバレージエリアは重複し得る。
【００４０】
[0063]いくつかの例では、ワイヤレス通信システム１００はＬＴＥ／ＬＴＥ−Ａ通信システム（またはネットワーク）を含み得、そのＬＴＥ／ＬＴＥ−Ａ通信システムは、認可無線周波数スペクトル帯域（たとえば、スペクトル帯域が特定の使用のために特定のユーザに認可されているので、装置がそれのためにアクセスを求めて競合しない無線周波数スペクトル帯域）、ならびに／あるいは無認可無線周波数スペクトル帯域（たとえば、無線周波数スペクトル帯域が少なくとも部分的に無認可使用（たとえば、Ｗｉ−Ｆｉ使用および／または無認可ＬＴＥ／ＬＴＥ−Ａ使用）のために利用可能であるので、装置がそれのためにアクセスを求めて競合する必要があり得る無線周波数スペクトル帯域における１つまたは複数の動作モードまたは展開をサポートし得る。他の例では、ワイヤレス通信システム１００は、ＬＴＥ／ＬＴＥ−Ａとは異なる１つまたは複数のアクセス技術を使用してワイヤレス通信をサポートし得る。ＬＴＥ／ＬＴＥ−Ａ通信システムでは、たとえば、基地局１０５の各々またはグループを記述するために、発展型ノードＢまたはｅＮＢという用語が使用され得る。
【００４１】
[0064]ワイヤレス通信システム１００は、異なるタイプの基地局１０５が様々な地理的領域にカバレージを提供する、異種ＬＴＥ／ＬＴＥ−Ａネットワークであるかまたはそれを含み得る。たとえば、各基地局１０５は、マクロセル、ピコセル、フェムトセル、および／または他のタイプのセルに通信カバレージを提供し得る。ピコセル、フェムトセル、および／または他のタイプのセルなどのスモールセルは、低電力ノードまたはＬＰＮを含み得る。マクロセルは、たとえば、比較的大きい地理的エリア（たとえば、半径数キロメートル）をカバーし、ネットワークプロバイダのサービスに加入しているＵＥによる無制限アクセスを可能にし得る。ピコセルは、たとえば、比較的小さい地理的エリアをカバーし、ネットワークプロバイダのサービスに加入しているＵＥによる無制限アクセスを可能にし得る。また、フェムトセルは、たとえば、比較的小さい地理的エリア（たとえば、自宅）をカバーし、無制限アクセスに加えて、フェムトセルとの関連を有するＵＥ（たとえば、限定加入者グループ（ＣＳＧ）中のＵＥ、自宅内のユーザのためのＵＥなど）による制限付きアクセスも提供し得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。ｅＮＢは、１つまたは複数の（たとえば、２つ、３つ、４つなどの）セルをサポートし得る。
【００４２】
[0065]コアネットワーク１３０は、バックホール１３２（たとえば、Ｓ１アプリケーションプロトコルなど）を介して基地局１０５と通信し得る。基地局１０５はまた、たとえば、バックホールリンク１３４（たとえば、Ｘ２アプリケーションプロトコルなど）を介しておよび／またはバックホール１３２を介して（たとえば、コアネットワーク１３０を通じて）、直接または間接的に互いに通信し得る。ワイヤレス通信システム１００は、同期動作または非同期動作をサポートし得る。同期動作の場合、ｅＮＢは同様のフレームおよび／またはゲーティングタイミングを有し得、異なるｅＮＢからの送信は時間的にほぼ整合され得る。非同期動作の場合、ｅＮＢは異なるフレームおよび／またはゲーティングタイミングを有し得、異なるｅＮＢからの送信は時間的に整合されないことがある。
【００４３】
[0066]ＵＥ１１５は、ワイヤレス通信システム１００全体にわたって分散されていることがある。ＵＥ１１５は、当業者によって、モバイルデバイス、移動局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などのウェアラブルアイテム、ワイヤレスローカルループ（ＷＬＬ）局などであり得る。ＵＥ１１５は、マクロｅＮＢ、ピコｅＮＢ、フェムトｅＮＢ、リレーなどと通信することが可能であり得る。ＵＥ１１５はまた、セルラーもしくは他のＷＷＡＮアクセスネットワーク、またはＷＬＡＮ（たとえば、Ｗｉ−Ｆｉ）アクセスネットワークなど、異なるタイプのアクセスネットワーク上で通信することが可能であり得る。ＵＥ１１５との通信のいくつかのモードでは、複数の通信リンク１２５またはチャネル（すなわち、コンポーネントキャリア）を介して通信が行われ得、各チャネルは、ＵＥ１１５といくつかのセル（たとえば、場合によってはそれらのセルが同じまたは異なる基地局１０５によって動作され得る、サービングセル）の１つとの間のコンポーネントキャリアを使用する。
【００４４】
[0067]各コンポーネントキャリアは、認可無線周波数スペクトル帯域または無認可無線周波数スペクトル帯域を介して提供され得、特定の通信モードで使用されるコンポーネントキャリアのセットは、すべて、（たとえば、ＵＥ１１５において）認可無線周波数スペクトル帯域を介して受信されるか、すべて、（たとえば、ＵＥ１１５において）無認可無線周波数スペクトル帯域を介して受信されるか、または（たとえば、ＵＥ１１５において）認可無線周波数スペクトル帯域と無認可無線周波数スペクトル帯域との組合せを介して受信され得る。
【００４５】
[0068]ワイヤレス通信システム１００に示された通信リンク１２５は、アップリンク（ＵＬ）通信（たとえば、ＵＥ１１５から基地局１０５への送信）を搬送するための（コンポーネントキャリアを使用する）アップリンクチャネル、および／またはダウンリンク（ＤＬ）通信（たとえば、基地局１０５からＵＥ１１５への送信）を搬送するための（コンポーネントキャリアを使用する）ダウンリンクチャネルを含み得る。ＵＬ通信または送信は逆方向リンク通信または送信と呼ばれることもあり、一方、ＤＬ通信または送信は順方向リンク通信または送信と呼ばれることもある。ダウンリンク通信および／またはアップリンク通信は、認可無線周波数スペクトル帯域、無認可無線周波数スペクトル帯域、またはその両方を使用して行われ得る。
【００４６】
[0069]ワイヤレス通信システム１００のいくつかの例では、ＬＴＥ／ＬＴＥ−Ａは、無認可無線周波数スペクトル帯域を使用する異なるシナリオの下で展開され得る。展開シナリオは、認可無線周波数スペクトル帯域におけるＬＴＥ／ＬＴＥ−Ａダウンリンク通信が無認可無線周波数スペクトル帯域にオフロードされ得る補足ダウンリンクモード、ＬＴＥ／ＬＴＥ−Ａダウンリンク通信とＬＴＥ／ＬＴＥ−Ａアップリンク通信の両方が認可無線周波数スペクトル帯域から無認可無線周波数スペクトル帯域にオフロードされ得るキャリアアグリゲーションモード、ならびに／あるいは基地局１０５とＵＥ１１５との間のＬＴＥ／ＬＴＥ−Ａダウンリンクおよびアップリンク通信が無認可無線周波数スペクトル帯域において行われ得るスタンドアロンモードを含み得る。基地局１０５ならびにＵＥ１１５は、いくつかの例では、これらまたは同様の動作モードのうちの１つまたは複数をサポートし得る。ＯＦＤＭＡ波形は、認可無線周波数スペクトル帯域および／または無認可無線周波数スペクトル帯域におけるＬＴＥ／ＬＴＥ−Ａダウンリンク通信のための通信リンク１２５において使用され得、ＯＦＤＭＡ、ＳＣ−ＦＤＭＡおよび／またはリソースブロックインターリーブＦＤＭＡ波形は、認可無線周波数スペクトル帯域および／または無認可無線周波数スペクトル帯域におけるＬＴＥ／ＬＴＥ−Ａアップリンク通信のための通信リンク１２５において使用され得る。
【００４７】
[0070]時々、ワイヤレス通信システム１００の基地局１０５および／またはＵＥ１１５のうちの１つまたは複数は、送信すべき緊急データを有し得る。緊急データは、たとえば、アンバーアラート、気象警報、津波警報などの情報を含み得る。いくつかのシナリオの下で、緊急データは、ＬＴＥ／ＬＴＥ−Ａ通信を使用して認可無線周波数スペクトル帯域を介して送信され得る。たとえば、基本テキストを含む緊急データは、システム情報ブロック（ＳＩＢ）１０、１１、および／または１２において認可無線周波数スペクトル帯域を介して送信され得、リッチコンテンツ緊急データは、ＬＴＥ／ＬＴＥ−Ａ発展型マルチメディアブロードキャストマルチキャストサービス（ｅＭＢＭＳ）を介して送信され得る。リッチコンテンツ緊急データがｅＭＢＭＳを介して送信されるとき、ＵＥ１１５がそのリッチコンテンツ緊急データを読み取るべきであるという指示が、ＳＩＢ１０、１１、および／または１２を介して送信され得る。
【００４８】
[0071]他のシナリオの下では、無認可無線周波数スペクトル帯域を介して緊急データを送信することが望ましいかまたは必要であり得る。しかしながら、装置（たとえば、基地局１０５またはＵＥ１１５）は、無認可無線周波数スペクトル帯域へのアクセスを求めて競合する必要があり得るので、無認可無線周波数スペクトル帯域が空いてなく、基地局１０５またはＵＥ１１５が緊急データを送信することが不可能であり得る時間があり得る。他の時間には、基地局１０５またはＵＥ１１５は、予測不可能な遅延（たとえば、未知の持続時間の遅延）の後に緊急データを送信することのみが可能であり得、その遅延は、時間敏感な緊急データの送信に好適でないことがある。
【００４９】
[0072]図２は、本開示の様々な態様による、無認可無線周波数スペクトル帯域を使用する異なるシナリオの下でＬＴＥ／ＬＴＥ−Ａが展開されるワイヤレス通信システム２００を示す。より詳細には、図２は、無認可無線周波数スペクトル帯域を使用してＬＴＥ／ＬＴＥ−Ａが展開される、補足ダウンリンクモードと、キャリアアグリゲーションモードと、スタンドアロンモードとの例を示す。ワイヤレス通信システム２００は、図１に関して説明したワイヤレス通信システム１００の部分の一例であり得る。その上、第１の基地局２０５および第２の基地局２０５−ａは、図１を参照しながら説明した基地局１０５のうちの１つまたは複数の態様の例であり得、第１のＵＥ２１５、第２のＵＥ２１５−ａ、第３のＵＥ２１５−ｂ、および第４のＵＥ２１５−ｃは、図１を参照しながら説明したＵＥ１１５のうちの１つまたは複数の態様の例であり得る。
【００５０】
[0073]ワイヤレス通信システム２００における補足ダウンリンクモードの例では、第１の基地局２０５は、ダウンリンクチャネル２２０を使用して第１のＵＥ２１５にＯＦＤＭＡ波形を送信し得る。ダウンリンクチャネル２２０は、無認可無線周波数スペクトル帯域において周波数Ｆ１に関連付けられ得る。第１の基地局２０５は、第１の双方向リンク２２５を使用して第１のＵＥ２１５にＯＦＤＭＡ波形を送信し得、第１の双方向リンク２２５を使用して第１のＵＥ２１５からＳＣ−ＦＤＭＡ波形を受信し得る。第１の双方向リンク２２５は、認可無線周波数スペクトル帯域における周波数Ｆ４に関連付けられ得る。無認可無線周波数スペクトル帯域におけるダウンリンクチャネル２２０、および認可無線周波数スペクトル帯域における第１の双方向リンク２２５は、同時に動作し得る。ダウンリンクチャネル２２０は、第１の基地局２０５にダウンリンク容量のオフロードを提供し得る。いくつかの例では、ダウンリンクチャネル２２０は、（たとえば、１つのＵＥに宛てられる）ユニキャストサービスのために、または（たとえば、いくつかのＵＥに宛てられる）マルチキャストサービスのために使用され得る。いくつかの例では、ダウンリンクチャネル２２０は、第１の基地局２０５からＵＥ２１５に緊急データを送信するために使用され得る。補足ダウンリンクシナリオは、認可無線周波数スペクトルを使用し、トラフィックおよび／またはシグナリング輻輳の一部を軽減する必要がある、任意のサービスプロバイダ（たとえば、モバイルネットワーク事業者（ＭＮＯ））に対して生じ得る。
【００５１】
[0074]ワイヤレス通信システム２００におけるキャリアアグリゲーションモードの一例では、第１の基地局２０５は、第２の双方向リンク２３０を使用して第２のＵＥ２１５−ａにＯＦＤＭＡ波形を送信し得、第２の双方向リンク２３０を使用して第２のＵＥ２１５−ａからＯＦＤＭＡ波形、ＳＣ−ＦＤＭＡ波形、および／またはリソースブロックインターリーブＦＤＭＡ波形を受信し得る。第２の双方向リンク２３０は、無認可無線周波数スペクトル帯域における周波数Ｆ１に関連付けられ得る。第１の基地局２０５はまた、第３の双方向リンク２３５を使用して第２のＵＥ２１５−ａにＯＦＤＭＡ波形を送信し得、第３の双方向リンク２３５を使用して第２のＵＥ２１５−ａからＳＣ−ＦＤＭＡ波形を受信し得る。第３の双方向リンク２３５は、認可無線周波数スペクトル帯域における周波数Ｆ２に関連付けられ得る。第２の双方向リンク２３０は、第１の基地局２０５にダウンリンク容量およびアップリンク容量のオフロードを提供し得る。上記で説明した補足ダウンリンクのように、このシナリオは、認可無線周波数スペクトルを使用し、トラフィックおよび／またはシグナリング輻輳の一部を軽減する必要がある、任意のサービスプロバイダ（たとえば、ＭＮＯ）に対して生じ得る。
【００５２】
[0075]ワイヤレス通信システム２００におけるキャリアアグリゲーションモードの別の例では、第１の基地局２０５は、第４の双方向リンク２４０を使用して第３のＵＥ２１５−ｂにＯＦＤＭＡ波形を送信し得、第４の双方向リンク２４０を使用して第３のＵＥ２１５−ｂからＯＦＤＭＡ波形、ＳＣ−ＦＤＭＡ波形、および／またはリソースブロックインターリーブ波形を受信し得る。第４の双方向リンク２４０は、無認可無線周波数スペクトル帯域における周波数Ｆ３に関連付けられ得る。第１の基地局２０５はまた、第５の双方向リンク２４５を使用して第３のＵＥ２１５−ｂにＯＦＤＭＡ波形を送信し得、第５の双方向リンク２４５を使用して第３のＵＥ２１５−ｂからＳＣ−ＦＤＭＡ波形を受信し得る。第５の双方向リンク２４５は、認可無線周波数スペクトル帯域における周波数Ｆ２に関連付けられ得る。第４の双方向リンク２４０は、第１の基地局２０５にダウンリンク容量およびアップリンク容量のオフロードを提供し得る。この例および上記で与えられた例は、説明の目的で提示され、容量オフロードのために認可無線周波数スペクトルにおけるＬＴＥ／ＬＴＥ−Ａと共有アクセス無線周波数スペクトルにおけるＬＴＥ／ＬＴＥ−Ａとを組み合わせる他の同様の動作モードまたは展開シナリオが存在し得る。
【００５３】
[0076]上記で説明したように、共有アクセス無線周波数スペクトルにおけるＬＴＥ／ＬＴＥ−Ａを使用することによって提供される容量オフロードから恩恵を受け得る１つのタイプのサービスプロバイダは、ＬＴＥ／ＬＴＥ−Ａ認可無線周波数スペクトル帯域へのアクセス権を有する従来のＭＮＯである。これらのサービスプロバイダについて、運用上の例としては、認可無線周波数スペクトル帯域上のＬＴＥ／ＬＴＥ−Ａ１次コンポーネントキャリア（ＰＣＣ）と、無認可無線周波数スペクトル帯域上の少なくとも１つの２次コンポーネントキャリア（ＳＣＣ）とを使用するブートストラップモード（たとえば、補足ダウンリンク、キャリアアグリゲーション）があり得る。
【００５４】
[0077]キャリアアグリゲーションモードでは、データおよび制御は、たとえば、（たとえば、第１の双方向リンク２２５と、第３の双方向リンク２３５と、第５の双方向リンク２４５とを介して）認可無線周波数スペクトルにおいて通信され得、データは、たとえば、（たとえば、第２の双方向リンク２３０と、第４の双方向リンク２４０とを介して）無認可無線周波数スペクトル帯域において通信され得る。第１の基地局２０５と第２のＵＥ２１５−ａまたは第３のＵＥ２１５−ｂとの間で緊急データを送信するために必要があるとき、緊急データは、認可無線周波数スペクトル帯域および／または無認可無線周波数スペクトル帯域を介して送信され得る。無認可無線周波数スペクトル帯域を使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションの範疇に入り得る。
【００５５】
[0078]ワイヤレス通信システム２００におけるスタンドアロンモードの一例では、第２の基地局２０５−ａは、双方向リンク２５０を使用して第４のＵＥ２１５−ｃにＯＦＤＭＡ波形を送信し得、双方向リンク２５０を使用して第４のＵＥ２１５−ｃからＯＦＤＭＡ波形、ＳＣ−ＦＤＭＡ波形、および／またはリソースブロックインターリーブＦＤＭＡ波形を受信し得る。双方向リンク２５０は、無認可無線周波数スペクトル帯域における周波数Ｆ３に関連付けられ得る。第２の基地局２０５−ａと第４のＵＥ２１５−ｃとの間で緊急データを送信する必要があるとき、認可無線周波数スペクトル帯域を介した緊急データの送信は選択肢でないことがあるので、緊急データは無認可無線周波数スペクトル帯域を介して送信される必要があり得る。スタンドアロンモードは、スタジアム内アクセス（たとえば、ユニキャスト、マルチキャスト）など、非従来型ワイヤレスアクセスシナリオにおいて使用され得る。この動作モードのためのサービスプロバイダのタイプの一例は、認可無線周波数スペクトル帯域へのアクセスを有しないスタジアムオーナー、ケーブル会社、イベントホスト、ホテル、企業、または大会社であり得る。
【００５６】
[0079]いくつかの例では、図１および／または図２を参照しながら説明した基地局１０５、２０５、および／または２０５−ａのうちの１つ、ならびに／あるいは図１および／または図２を参照しながら説明したＵＥ１１５、２１５、２１５−ａ、２１５−ｂ、および／または２１５−ｃのうちの１つなど、送信装置は、無認可無線周波数スペクトル帯域のチャネルへの（たとえば、無認可無線周波数スペクトル帯域の物理チャネルへの）アクセスを獲得するために、ゲーティング間隔を使用し得る。ゲーティング間隔は、ＥＴＳＩ（ＥＮ３０１  ８９３）において指定されているＬＢＴプロトコルに基づくＬＢＴプロトコルなど、競合ベースプロトコルの適用を定義し得る。ＬＢＴプロトコルの適用を定義するゲーティング間隔を使用するとき、ゲーティング間隔は、送信装置がクリアチャネルアセスメント（ＣＣＡ）などの競合手順をいつ実施する必要があるかを示し得る。ＣＣＡの結果は、無認可無線周波数スペクトル帯域のチャネルが（ＬＢＴフレームまたはＣＣＡフレームとも呼ばれる）ゲーティング間隔中に利用可能であるのか使用中であるのかを送信装置に示し得る。チャネルが、対応するＬＢＴフレーム中に利用可能（たとえば、使用のために「クリア」）であることをＣＣＡが示すとき、送信装置は、ＬＢＴフレームの一部または全部の間に無認可無線周波数スペクトル帯域のチャネルを予約および／または使用し得る。チャネルが利用可能でないこと（たとえば、チャネルが別の装置によって使用中または予約済みであること）をＣＣＡ手順が示すとき、送信装置は、ＬＢＴフレーム中にチャネルを使用するのを妨げられ得る。
【００５７】
[0080]いくつかの場合、送信装置が、周期的にゲーティング間隔を生成し、ゲーティング間隔の少なくとも１つの境界を周期的フレーム構造（たとえば、周期的ＬＴＥ／ＬＴＥ−Ａ無線フレーム構造）の少なくとも１つの境界と同期させることが有用であり得る。そのような同期の例が図３に示されている。
【００５８】
[0081]図３は、本開示の様々な態様による、無認可無線周波数スペクトル帯域におけるゲーティング間隔（またはＬＢＴフレーム）の例３００を示す。第１のゲーティング間隔３０５、第２のゲーティング間隔３１５、および／または第３のゲーティング間隔３２５は、無認可無線周波数スペクトル帯域を介した送信をサポートするｅＮＢまたはＵＥによって周期的ゲーティング間隔として使用され得る。そのようなｅＮＢの例としては、図１および／または図２を参照しながら説明した基地局１０５、２０５、および／または２０５−ａがあり得、そのようなＵＥの例は、図１および／または図２を参照しながら説明したＵＥ１１５、２１５、２１５−ａ、２１５−ｂ、および／または２１５−ｃがあり得る。第１のゲーティング間隔３０５、第２のゲーティング間隔３１５、および／または第３のゲーティング間隔３２５は、いくつかの例では、図１および／または図２を参照しながら説明したワイヤレス通信システム１００および／または２００とともに使用され得る。
【００５９】
[0082]例として、第１のゲーティング間隔３０５の持続時間が、セルラーダウンリンクに関連付けられた周期的フレーム構造のＬＴＥ／ＬＴＥ−Ａ無線フレーム３１０の持続時間に等しい（またはほぼ等しい）ものとして示されている。いくつかの例では、「ほぼ等しい」は、第１のゲーティング間隔３０５の持続時間が周期的フレーム構造の持続時間のサイクリックプレフィックス（ＣＰ）持続時間内にあることを意味する。
【００６０】
[0083]第１のゲーティング間隔３０５の少なくとも１つの境界は、ＬＴＥ／ＬＴＥ−Ａ無線フレームＮ−１〜Ｎ＋１を含む周期的フレーム構造の少なくとも１つの境界と同期され得る。いくつかの場合には、第１のゲーティング間隔３０５は、周期的フレーム構造のフレーム境界と整合された境界を有し得る。他の場合には、第１のゲーティング間隔３０５は、周期的フレーム構造のフレーム境界と同期されているが、それからオフセットされている境界を有し得る。たとえば、第１のゲーティング間隔３０５の境界は、周期的フレーム構造のサブフレーム境界と整合されるか、または周期的フレーム構造のサブフレーム中間点境界（たとえば、特定のサブフレームの中間点）と整合され得る。
【００６１】
[0084]場合によっては、周期的なフレーム構造は、ＬＴＥ／ＬＴＥ−Ａ無線フレームＮ−１〜Ｎ＋１を含み得る。各ＬＴＥ／ＬＴＥ−Ａ無線フレーム３１０は、たとえば、１０ミリ秒の持続時間を有し得、第１のゲーティング間隔３０５も１０ミリ秒の持続時間を有し得る。これらの場合、第１のゲーティング間隔３０５の境界は、ＬＴＥ／ＬＴＥ−Ａ無線フレームのうちの１つ（たとえば、ＬＴＥ／ＬＴＥ−Ａ無線フレーム（Ｎ））の境界（たとえば、フレーム境界、サブフレーム境界、またはサブフレーム中間点境界）と同期され得る。
【００６２】
[0085]例として、第２のゲーティング間隔３１５および第３のゲーティング間隔３２５の持続時間は、セルラーダウンリンクに関連付けられた周期的フレーム構造の持続時間の約数（またはそれのほぼ約数）であることが示されている。いくつかの例では、「のほぼ約数」は、第２のゲーティング間隔３１５および／または第３のゲーティング間隔３２５の持続時間が、周期的フレーム構造の約数（たとえば、１／２または１／５）の持続時間のＣＰ持続時間内にあることを意味する。たとえば、第２のゲーティング間隔３１５は５ミリ秒の持続時間を有し得、第３のゲーティング間隔３２５は２ミリ秒の持続時間を有し得る。第２のゲーティング間隔３１５または第３のゲーティング間隔３２５は、それのより短い持続時間が無認可無線周波数スペクトル帯域のより頻繁な共有を可能にし得るので、第１のゲーティング間隔３０５よりも有利であり得る。
【００６３】
[0086]図４Ａは、本開示の様々な態様による、無認可無線周波数スペクトル帯域にわたるワイヤレス通信４１０の一例４００を示す。図３を参照しながら説明した第１のゲーティング間隔３０５などのゲーティング間隔に対応し得るＬＢＴフレーム４１５は、１０ミリ秒の持続時間を有し、いくつかのダウンリンクサブフレーム４２０と、いくつかのアップリンクサブフレーム４２５と、２つのタイプの特殊サブフレーム、Ｓサブフレーム４３０およびＳ’サブフレーム４３５とを含み得る。Ｓサブフレーム４３０は、ダウンリンクサブフレーム４２０とアップリンクサブフレーム４２５との間の遷移を提供し得、一方、Ｓ’サブフレーム４３５は、アップリンクサブフレーム４２５とダウンリンクサブフレーム４２０との間の遷移を提供し得る。
【００６４】
[0087]Ｓ’サブフレーム４３５中に、図１および／または図２を参照しながら説明した基地局１０５、２０５、および／または２０５−ａのうちの１つまたは複数など、１つまたは複数の基地局によって、ワイヤレス通信４１０がその上で行われるチャネルをある時間期間の間予約するために、ダウンリンクＣＣＡ（ＤＣＣＡ）４４０が実施され得る。基地局による成功したＤＣＣＡ４４０に続いて、基地局は、基地局がチャネルを予約したという指示を他の基地局および／または装置（たとえば、ＵＥ、Ｗｉ−Ｆｉアクセスポイントなど）に提供するためにチャネル使用ビーコン信号（ＣＵＢＳ：channel usage beacon signal）４４５を送信し得る。いくつかの例では、ＣＵＢＳ４４５は、複数のインターリーブされたリソースブロックを使用して送信され得る。このようにＣＵＢＳ４４５を送信することにより、ＣＵＢＳ４４５は、無認可無線周波数スペクトル帯域において利用可能な周波数帯域幅の少なくともある割合を占有し、１つまたは複数の規制要件（たとえば、ＣＵＢＳ４４５が、利用可能な周波数帯域幅の少なくとも８０％を占有するという要件）を満たすことが可能になり得る。ＣＵＢＳ４４５は、いくつかの例では、ＬＴＥ／ＬＴＥ−Ａセル固有基準信号（ＣＲＳ）および／またはチャネル状態情報基準信号（ＣＳＩ−ＲＳ）の形態と同様の形態をとり得る。ＣＵＢＳ４４５の送信に続いて、ＬＴＥ／ＬＴＥ−Ａベース波形４４７が、無認可無線周波数スペクトル帯域を介して基地局からＵＥに送信され得る。
【００６５】
[0088]Ｓ’サブフレーム４３５は、図４Ａにおいて０〜１３の番号を付された、１４個のＯＦＤＭシンボルを含み得る。Ｓ’サブフレーム４３５の第１の部分、この例ではシンボル０〜５は、ＬＴＥ／ＬＴＥ−Ａ通信規格との互換性のために必要とされ得る、サイレントＤＬ期間として基地局によって使用され得る。したがって、基地局は、サイレントＤＬ期間中にデータを送信しないことがあるが、ＵＥは、サイレントＤＬ期間中に何らか量のアップリンクデータを送信し得る。Ｓ’サブフレーム４３５の第２の部分はＤＣＣＡ４４０のために使用され得る。例４００では、Ｓ’サブフレーム４３５は、シンボル６〜１２中に含まれる７つのＤＣＣＡ機会を含む。異なるネットワーク事業者によるＤＣＣＡ機会の使用は、より効率的なシステム動作（たとえば、同期システム動作）を提供するために協調され得る。いくつかの例では、ＤＣＣＡ４４０を実施するために７つの可能なＤＣＣＡ機会のうちのどれを使用すべきかを決定するために、基地局１０５は、以下の形式のマッピング関数を評価し得る。
【００６６】
【数１】
0006495324.tif 000002
【００６７】
ここで、ＧｒｏｕｐＩＤは、基地局１０５に割り当てられた「展開グループｉｄ」であり、ｔは、ＤＣＣＡ４４０が実施されるゲーティング間隔またはフレームに対応するＬＢＴフレーム番号である。
【００６８】
[0089]図４Ｂは、本開示の様々な態様による、無認可無線周波数スペクトル帯域にわたるワイヤレス通信４６０の一例４００を示す。図３を参照しながら説明した第１のゲーティング間隔３０５および／または図４Ａを参照しながら説明したＬＢＴフレーム４１５などのゲーティング間隔に対応し得るＬＢＴフレーム４６５は、１０ミリ秒の持続時間を有し、いくつかのダウンリンクサブフレーム４７０と、いくつかのアップリンクサブフレーム４７５と、２つのタイプの特殊サブフレーム（たとえば、Ｓサブフレーム４８０およびＳ’サブフレーム４８５とを含み得る。Ｓサブフレーム４８０は、ダウンリンクサブフレーム４７０とアップリンクサブフレーム４７５との間の遷移を提供し得、一方、Ｓ’サブフレーム４８５は、アップリンクサブフレーム４７５とダウンリンクサブフレーム４７０との間の遷移を提供し得る。Ｓサブフレーム４８０中に、図１および／または図２を参照しながら上記で説明したＵＥ１１５、２１５、２１５−ａ、２１５−ｂ、および／または２１５−ｃのうちの１つまたは複数など、１つまたは複数のＵＥによって、ワイヤレス通信４６０がその上で行われるチャネルをある時間期間の間予約するために、アップリンクＣＣＡ（ＵＣＣＡ）４９０が実施され得る。ＵＥによる成功したＵＣＣＡ４９０に続いて、ＵＥは、ＵＥがチャネルを予約したという指示を他のＵＥおよび／または装置（たとえば、基地局、Ｗｉ−Ｆｉアクセスポイントなど）に提供するためにＣＵＢＳ４９５を送信し得る。いくつかの例では、ＣＵＢＳ４９５は、複数のインターリーブされたリソースブロックを使用して送信され得る。このようにＣＵＢＳ４９５を送信することにより、ＣＵＢＳ４９５は、無認可無線周波数スペクトル帯域において利用可能な周波数帯域幅の少なくともある割合を占有し、１つまたは複数の規制要件（たとえば、ＣＵＢＳ４９５が、利用可能な周波数帯域幅の少なくとも８０％を占有するという要件）を満たすことが可能になり得る。ＣＵＢＳ４９５は、いくつかの例では、ＬＴＥ／ＬＴＥ−Ａ  ＣＲＳおよび／またはＣＳＩ−ＲＳの形態と同様の形態をとり得る。ＣＵＢＳ４９５の送信に続いて、ＬＴＥ／ＬＴＥ−Ａベース波形４９７が、無認可無線周波数スペクトル帯域を介してＵＥから基地局に送信され得る。
【００６９】
[0090]Ｓサブフレーム４８０は、図４Ｂにおいて０〜１３の番号を付された、１４個のＯＦＤＭシンボルを含み得る。Ｓサブフレーム４８０の第１の部分、この例ではシンボル０〜３は、ダウンリンクパイロットタイムスロット（ＤｗＰＴＳ）４９８として使用され得、Ｓサブフレーム４８０の第２の部分はガード期間（ＧＰ）４９９として使用され得る。Ｓサブフレーム４８０の第３の部分はＵＣＣＡ４９０のために使用され得る。例４００では、Ｓ’サブフレーム４８０は、シンボル６〜１２中に含まれる７つのＵＣＣＡ機会を含む。異なるＵＥによるＵＣＣＡ機会の使用は、より効率的なシステム動作（たとえば、同期システム動作）を提供するために協調され得る。いくつかの例では、ＵＣＣＡ４９０を実施するために７つの可能なＵＣＣＡ機会のうちのどれを使用すべきかを決定するために、ＵＥは、以下の形式のマッピング関数を評価し得る。
【００７０】
【数２】
0006495324.tif 000003
【００７１】
ここで、ＧｒｏｕｐＩＤは、ＵＥに割り当てられた「展開グループｉｄ」であり、ｔは、ＵＣＣＡ４９０が実施されるフレームに対応するＬＢＴフレーム番号である。
【００７２】
[0091]ＤＣＣＡ４４０および／またはＵＣＣＡ４９０のマッピング関数は、マッピング関数が直交化性質を有することになるか非直交化性質を有することになるかに応じて、異なる基準に基づいて構成され得る。直交ＬＢＴアクセスを用いる例では、マッピング関数は、ｘ≠ｙが異なるグループｉｄを表すときはいつでも、すべての時間ｔについて、
【００７３】
【数３】
0006495324.tif 000004
【００７４】
による直交化性質を有し得る。この場合、異なるグループｉｄをもつ基地局および／またはＵＥは、重複しないＣＣＡ機会中にＣＣＡ（たとえば、ＤＣＣＡ４４０および／またはＵＣＣＡ４９０）を実施し得る。干渉がない場合、より前のＣＣＡ機会にマッピングするグループｉｄをもつ基地局またはＵＥは、ある時間期間の間チャネルを確保し得る。様々な展開によれば、このマッピング関数は、様々な時間インデックスｔにわたって、マッピング｛ＦD/U（ｘ，ｔ），ｔ＝１，２，３，．．．｝が、異なるグループｉｄが適切に長い時間間隔にわたってより前のＣＣＡ機会にマッピングされる機会が等しくなる（したがって、他の干渉がない状態でチャネルを確保する）ように変化するという意味で公平である。
【００７５】
[0092]同じネットワーク事業者／サービスプロバイダによって展開されるすべての基地局およびＵＥは、それらが競合プロセスにおいて互いをプリエンプトしないように、同じグループｉｄを割り当てられ得る。これにより、同じ展開の基地局とＵＥとの間で完全な周波数再利用が可能になり、システムスループットが向上する。異なる展開の基地局および／またはＵＥは、直交ＣＣＡ機会マッピングによって、チャネルへのアクセスが相互排他的になるように、異なるグループｉｄを割り当てられ得る。
【００７６】
[0093]非直交ＣＣＡ機会アクセス、または重複するＣＣＡ機会アクセスを用いる例では、マッピング関数は８つ以上のグループｉｄを使用可能にし得る。状況によっては、たとえば、８つ以上の展開グループｉｄをサポートすることが有用であり得、その場合、ＣＣＡ機会マッピング関数の直交性性質を維持することが可能でない。そのような場合、任意の２つのグループｉｄ間の衝突の頻度を低減することが望ましいことがある。いくつかの例では、非直交ＣＣＡ機会マッピングシーケンスはまた、ＬＢＴ機会に関する緊密な協調なしに展開間の公平なチャネルアクセスを提供するために使用され得る。非直交ＣＣＡ機会マッピングシーケンスの一例は以下によって与えられる。
【００７７】
【数４】
0006495324.tif 000005
【００７８】
ここで、Ｒ1,7（ｘ，ｔ）は、ＧｒｏｕｐＩＤ  ｘについて独立して選定される１と７の間の擬似乱数生成器である。この場合、同じＬＢＴフレームｔにおける異なるＧｒｏｕｐＩＤの基地局および／またはＵＥ間に潜在的衝突があり得る。
【００７９】
[0094]したがって、ＣＣＡ機会は、言及したマッピング関数に従って選択され、ＤＣＣＡ４４０および／またはＵＣＣＡ４９０のために使用され得る。成功したＤＣＣＡ４４０またはＵＣＣＡ４９０を実施することによって無認可無線周波数スペクトル帯域へのアクセスを求めて成功裏に競合すると、送信装置（たとえば、図１または図２を参照しながら説明した基地局１０５、２０５、または２０５−ａなどの基地局、あるいは図１または図２を参照しながら説明したＵＥ１１５、２１５、２１５−ａ、２１５−ｂ、または２１５−ｃなどのＵＥ）は、たとえば、緊急データを送信するために無認可無線周波数スペクトル帯域を使用し得る。しかしながら、無認可無線周波数スペクトルへのアクセスを求めて成功裏に競合することに送信装置が失敗すると、緊急データが送信される前に許容できない遅延時間が生じ得る。
【００８０】
[0095]同期的事業者の場合、異なる同期的事業者による無認可無線周波数スペクトル帯域の共有は、図４Ａおよび／または図４Ｂを参照しながら説明したいくつかのＣＣＡ機会への公平なアクセスを提供することによって可能にされ得、ここで、図４Ａは、ＤＣＣＡ４４０が実施され得るいくつかのＣＣＡ機会を示し、図４Ｂは、ＵＣＣＡ４９０が実施され得るいくつかのＣＣＡ機会を示す。しかしながら、第１の事業者の第１の基地局の送信が第２の事業者の第２の基地局の送信と非同期である非同期的事業者の場合、無認可無線周波数スペクトル帯域の共有は、Ｎ個の連続するＬＢＴフレームについてＣＣＡを成功裏に実施する基地局が、次のＫ個のＬＢＴフレームにわたってＬＢＴ手順に参加しない、Ｎ／Ｋプロトコルの使用によって可能にされ得る。このようにして、たとえば、第２の事業者の第２の基地局は、第１の事業者のＣＣＡと第２の事業者のＣＣＡとが実施される時間順序（すなわち、第１の事業者と第２の事業者とのＣＣＡタイミング）をＬＢＴフレームごとに同期的に変更するための手順がないにもかかわらず、無認可無線周波数スペクトル帯域のチャネルへのアクセスを獲得する機会を提供され得る。Ｎの値は、たとえば、２つ、３つ、４つ、または５つのＬＢＴフレームであり得、Ｋの値は、たとえば、０または１つのＬＢＴフレームであり得る。ＬＢＴフレームの持続時間は、第１のゲーティング間隔３０５、第２のゲーティング間隔３１５、および第３のゲーティング間隔３２５によってそれぞれ表されるように（たとえば、図３参照）、たとえば、１０ミリ秒、５ミリ秒、または２ミリ秒であり得る。１０ミリ秒の第１のゲーティング間隔３０５またはＬＢＴフレームは、ＬＴＥ／ＬＴＥ−Ａ無線フレーム３１０の持続時間に対応する。
【００８１】
[0096]図５は、本開示の様々な態様による、異なる非同期的事業者の送信装置（たとえば、基地局および／またはＵＥ）にＮ／Ｋプロトコルがどのように適用され得るかの一例５００を示す。より詳細には、図５は、３つの異なる非同期的事業者（たとえば、事業者１、事業者２、および事業者３）の送信装置による無認可無線周波数スペクトル帯域を介した例示的な送信を示す。図示のように、事業者１の（１つまたは複数の）送信装置は、無認可無線周波数スペクトル帯域へのアクセスを求めて競合するために第１のＣＣＡ５１０−ａを成功裏に実施した後に、第１のＬＢＴフレーム５０５−ａ中に無認可無線周波数スペクトル帯域へのアクセスを獲得し得る。Ｎ／Ｋプロトコルが実施されており、事業者１の送信装置が第１のＬＢＴフレーム５０５−ａのそれの使用でＮ個のＬＢＴフレームのそれのしきい値を満たすと仮定すると、事業者１の送信装置は、第２のＣＣＡ５１０−ｂを実施するのを控え、第２のＬＢＴフレーム５０５−ｂ中に無認可無線周波数スペクトル帯域を介して送信しないことがある。事業者１の送信装置によって適用されるＮ／ＫプロトコルにおいてＫ＝１を仮定すると、事業者１の送信装置は、次のＣＣＡ機会において、第３のＬＢＴフレーム５０５−ｃへのアクセスを求めて競合するために第３のＣＣＡ５１０−ｃを実施することをＮ／Ｋプロトコルによって許可され得る。しかしながら、第３のＣＣＡ５１０−ｃは、事業者２の送信装置が第３のＬＢＴフレーム５０５−ｃ中に無認可無線周波数スペクトル帯域を使用している（または予約した）ので、成功しないことがある。さらなるＣＣＡ機会において、事業者１の送信装置は、第４のＬＢＴフレーム５０５−ｄ中に無認可無線周波数スペクトル帯域へのアクセスを求めて競合するために第４のＣＣＡ５１０−ｄを実施することをＮ／Ｋプロトコルによって許可され得る。しかしながら、第４のＣＣＡ５１０−ｄは、事業者２の送信装置が第３のＬＢＴフレーム５０５−ｄ中に無認可無線周波数スペクトル帯域を使用している（または予約した）ので、成功しないことがある。
【００８２】
[0097]事業者２の（１つまたは複数の）送信装置は、第５のＬＢＴフレーム５１５−ａ中に無認可無線周波数スペクトル帯域へのアクセスを求めて競合するために第５のＣＣＡ５２０−ａを実施し得る。しかしながら、事業者１の送信装置が無認可無線周波数スペクトル帯域をすでに使用している（または予約した）ので、第５のＣＣＡ５２０−ａは成功しないことがあり、事業者２の送信装置は、第５のＬＢＴフレーム５１５−ａ中に無認可無線周波数スペクトル帯域を介して送信しないことがある。次のＣＣＡ機会において、事業者２の送信装置は、第６のＬＢＴフレーム５１５−ｂへのアクセスを求めて競合するために第６のＣＣＡ５２０−ｂを実施し得る。無認可無線周波数スペクトル帯域が使用されていないので、事業者２の送信装置は、第６のＬＢＴフレーム５１５−ｂ中に無認可無線周波数スペクトル帯域にアクセスするための競合に勝ち、第６のＬＢＴフレーム５１５−ｂ中に無認可無線周波数スペクトル帯域にアクセスし得る。事業者２の送信装置は、第７のＬＢＴフレーム５１５−ｃへのアクセスを求めて競合するために第７のＣＣＡ５２０−ｃを同様に実施し得、他の事業者が無認可無線周波数スペクトル帯域を使用していないかまたはそれを求めて競合していないので、事業者２の送信装置は、第７のＬＢＴフレーム５１５−ｃ中に無認可無線周波数スペクトル帯域にアクセスするための競合に勝ち、第７のＬＢＴフレーム５１５−ｃ中に無認可無線周波数スペクトル帯域にアクセスし得る。しかしながら、Ｎ／ＫプロトコルにおいてＮ＝２およびＫ＝１を仮定すると、事業者２の送信装置は、第８のＣＣＡ５２０−ｄを実施するのを控え、第８のＬＢＴフレーム５１５−ｄ中に無認可無線周波数スペクトル帯域を介して送信しないことがある。
【００８３】
[0098]事業者３の（１つまたは複数の）送信装置は、第９のＬＢＴフレーム５２５−ａ中に無認可無線周波数スペクトル帯域へのアクセスを求めて競合するために第９のＣＣＡ５３０−ａを実施し得る。しかしながら、事業者１の送信装置が無認可無線周波数スペクトル帯域をすでに使用しているので、第９のＣＣＡ５３０−ａは成功しないことがあり、事業者３の送信装置は、第９のＬＢＴフレーム５２５−ａ中に無認可無線周波数スペクトル帯域にアクセスするための競合に勝たないことがある。事業者３の送信装置は、第１０のＬＢＴフレーム５２５−ｂおよび第１１のＬＢＴフレーム５２５−ｃへのアクセスを求めて競合するためにそれぞれ第１０のＣＣＡ５３０−ｂおよび第１１のＣＣＡ５３０−ｃを同様に実施し得る。しかしながら、事業者２の送信装置が無認可無線周波数スペクトル帯域をすでに使用しているので、第１０のＣＣＡ５３０−ｂおよび第１１のＣＣＡ５３０−ｃは成功しないことがあり、事業者３の送信装置は、第１０のＬＢＴフレーム５２５−ｂまたは第１１のＬＢＴフレーム５２５−ｃ中に無認可無線周波数スペクトル帯域にアクセスするための競合に勝たないことがある。次のＣＣＡ機会において、事業者３の送信装置は、第１２のＬＢＴフレーム５２５−ｄへのアクセスを求めて競合するために第１２のＣＣＡ５３０−ｄを実施し得る。無認可無線周波数スペクトル帯域が使用されていないので、第１２のＣＣＡ５３０−ｄは成功であり得、事業者３の送信装置は、第１２のＬＢＴフレーム５２５−ｄ中に無認可無線周波数スペクトル帯域を介して送信し得る。
【００８４】
[0099]図４Ａおよび／または図４Ｂを参照しながら説明したＣＣＡ機会は、異なる同期的事業者に無認可無線周波数スペクトル帯域への公平なアクセスを提供し得、図５を参照しながら説明したＮ／Ｋプロトコルは、異なる非同期的事業者に無認可無線周波数スペクトル帯域への公平なアクセスを提供し得るが、図４Ａ、図４Ｂ、および／または図５を参照しながら説明した技法は、緊急データの送信のために時間的に十分なアクセスを提供しないことがある。
【００８５】
[0100]図６は、本開示の様々な態様による、無認可無線周波数スペクトル帯域における同期的事業者のＣＣＡ免除送信（ＣＥＴ）のためのリソース割振りの一例６００を示す。ＣＥＴは、無認可無線周波数スペクトル帯域へのアクセスを最初に獲得するためにＣＣＡ（たとえば、ＤＣＣＡまたはＵＣＣＡ）を実施する必要なしに行われ得る。代わりに、事業者は、ＣＥＴを送信するためにＣＣＡを実施するのを免除される。
【００８６】
[0101]図示のように、ＣＥＴのためのリソース６０５の割振りは、たとえば、８０ミリ秒（８０ｍｓ）ごとに１回、またはＣＥＴ周期ごとに１回行われ得、ここで、ＣＥＴ周期は構成可能な周期性を有し得る。無認可スペクトル中のいくつかの事業者（たとえば、異なるＰＬＭＮ）の各々は、ＣＥＴを送信するための（図示の）別々のサブフレームまたは（図示されていない）サブフレームを提供され得る。例として、図６は、７つの異なる事業者（たとえば、事業者ＰＬＭＮ１、ＰＬＭＮ２、…、ＰＬＭＮ７）のために隣接するＣＥＴサブフレームを示している。そのようなＣＥＴ送信フレームワークは、基地局とＵＥとの間のダウンリンクおよび／またはアップリンクに適用可能であり得る。
【００８７】
[0102]図７は、本開示の様々な態様による、無認可無線周波数スペクトル帯域における非同期的事業者（たとえば、事業者１、事業者２、および／または事業者３）のＣＥＴのためのリソース割振りの一例７００を示す。図示のように、ＣＥＴのためのリソースの割振りは、たとえば、８０ミリ秒（８０ｍｓ）ごとに１回行われ得る。したがって、ＬＢＴフレームの長さが１０ミリ秒であるとき、ＣＥＴのためのリソースは８つのＬＢＴフレームごとに割り振られ得る（たとえば、事業者１の場合、第１のＣＥＴ７１０および第２のＣＥＴ７２０のためのリソースは、第１のＬＢＴフレーム７０５および第２のＬＢＴフレーム７１５中にそれぞれ割り振られ得、事業者２の場合、第３のＣＥＴ７３０および第４のＣＥＴ７４０のためのリソースは、第３のＬＢＴフレーム７２５および第４のＬＢＴフレーム７３５中にそれぞれ割り振られ得、事業者３の場合、第５のＣＥＴ７５０および第６のＣＥＴ７６０のためのリソースは、第５のＬＢＴフレーム７４５および第６のＬＢＴフレーム７５５中にそれぞれ割り振られ得る）。代替例では、ＬＢＴフレームの持続時間はより短いまたはより長いことがあり得、またはＣＥＴリソースはより多いまたはより少ない頻度で（たとえば、５０ミリ秒ごとに１回、１６０ミリ秒ごとに１回、または３２０ミリ秒ごとに１回）割り振られ得る。
【００８８】
[0103]ＣＥＴを送信するとき、事業者（たとえば、事業者１、事業者２、および／または事業者３）は、無認可無線周波数スペクトル帯域へのアクセスを最初に獲得するためにＣＣＡを実施する必要がない。代わりに、事業者（たとえば、事業者１、事業者２、および事業者３）の各々は、第１のＣＥＴ７１０、第２のＣＥＴ７２０、第３のＣＥＴ７３０、第４のＣＥＴ７４０、第５のＣＥＴ７５０、および第６のＣＥＴ７６０を送信する目的でＣＣＡを実施することを免除される。
【００８９】
[0104]事業者（たとえば、事業者１、事業者２、および事業者３）は非同期的に動作するので、異なる事業者の第１のＣＥＴ７１０、第２のＣＥＴ７２０、第３のＣＥＴ７３０、第４のＣＥＴ７４０、第５のＣＥＴ７５０、および第６のＣＥＴ７６０のタイミングは、すべての事業者（たとえば、事業者１、事業者２、および事業者３）によって理解される特定のＣＥＴ周期に制限されず、タイミングギャップによって分離され得る。そのような構造は、ダウンリンクサブフレームおよび／またはアップリンクサブフレームに適用可能であり得る。
【００９０】
[0105]いくつかの例では、図６および／または図７を参照しながら説明した各ＣＥＴは、発見信号（たとえば、同期信号および／または基準信号）、システム情報、ならびに／あるいは構成情報を含み得る。いくつかの例では、構成情報は、拡張物理ブロードキャストチャネル（ｅＰＢＣＨ）および／または物理ダウンリンク共有チャネル（ＰＤＳＣＨ）の一部として送信され得る。無認可無線周波数スペクトル帯域を使用して補足ダウンリンクモードで動作される基地局の場合、ＣＥＴは、場合によっては、発見信号＋グローバルセル識別子（すなわち、グローバルセルＩＤ）を含み得る。無認可無線周波数スペクトル帯域を使用してスタンドアロンモードで動作される基地局の場合、ＣＥＴは、場合によっては、システム情報および場合によってはページングチャネル情報のフルセットを含み得る。
【００９１】
[0106]いくつかの例では、図６および／または図７を参照しながら説明したＣＥＴは緊急データ（たとえば、基本テキスト緊急データ）を含み得る。他の例では、図６および／または図７を参照しながら説明したＣＥＴは、送信装置が送信すべき緊急データを有するという指示を含み得る。緊急データの一部または全部は、次いで、無認可無線周波数スペクトル帯域の１つまたは複数のＬＢＴフレーム中に送信され得る。
【００９２】
[0107]本明細書で説明する技法により、いくつかの例では、事業者の展開において事業者に関連するノード（たとえば、基地局またはＵＥ）は、ノードが送信すべき緊急データを有するという決定に応答してノードのＬＢＴ譲歩パラメータ（たとえば、Ｎ／ＫプロトコルのＮパラメータおよび／またはＫパラメータ）を自律的に調整することが可能になり得る。たとえば、事業者の展開において第１の事業者に関連する第１のノードを考慮されたい。第１のノードが送信すべき緊急データを有しないとき、第１のノードは、Ｎ＝Ｎ０およびＫ＝Ｋ０であるＮ／Ｋプロトコル（たとえば、デフォルト値をもつＮ／Ｋプロトコル）を採用し得る。第１のノードが送信すべき緊急データを有するという決定に応答して、第１のノードは、Ｎの値をＮ＝Ｎ１に調整しおよび／またはＫの値をＫ＝Ｋ１に調整し得る。いくつかの例では、Ｎ１はＮ０よりも大きくなり得、および／またはＫ１はＫ０よりも小さくなり得（およびいくつかの例では、Ｋ１は０であり得）、それにより、第１のノードは、（たとえば、緊急データの送信が完了するまで）Ｎ＝Ｎ０およびＫ＝Ｋ０であるときよりも長い時間期間の間無認可無線周波数スペクトル帯域へのアクセスを潜在的に保持することが可能になる。
【００９３】
[0108]いくつかの例では、第１のノードによって使用されるＮ１および／またはＫ１の値は、送信すべき緊急データをもつノードを有する事業者の総数（たとえば、第１の事業者と任意のネイバー事業者とを含む事業者の総数）の関数であり得、それらのノードは、第１のノードが緊急データを送信するのと同時に緊急データを送信する必要がある。他の事業者は、第１のノードが緊急データを送信するのと同時に送信すべき緊急データをもつノードを有しないとき、第１のノードは、第１のノードがそれの緊急データ送信を完了する時間まで、第１のノードが無認可無線周波数スペクトル帯域のあらゆるフレームへのアクセスを求めて競合し得るように、ＫをＫ＝０に設定し得る。すべての他の事業者（またはしきい値数の事業者）は、第１のノードが緊急データを送信するのと同時に送信すべき緊急データをもつノードを有するとき、第１のノードは、ＮまたはＫの値を調整しないことがある（たとえば、第１のノードは、Ｎの値をＮ＝Ｎ０におけるままにし得、Ｋの値をＫ＝Ｋ０におけるままにし得る）か、あるいは第１のノードは、送信すべき緊急データを有する他の事業者によって使用されるＮおよびＫの値にマッチングするようにＮおよびＫの値を調整し得る。いくつかの例では、第１のノードは、別のノードから、第２のノードが送信すべき緊急データを有するという指示を含む信号を受信することによって、その別のノードが無認可無線周波数スペクトル帯域を介して送信すべき緊急データを有すると決定し得る。
【００９４】
[0109]いくつかの例では、送信すべき緊急データを有しないノードは、第１のノードが送信すべき緊急データを有することを検出すると、第１のノードがそれの緊急データを送信し得るように、無認可無線周波数スペクトル帯域（またはそれのチャネル）を第１のノードに譲歩し得る。無認可無線周波数スペクトル帯域を譲歩するとき、ノードは、第１のノードが送信すべき緊急データを有するというそれの検出に続いて、ＬＢＴフレームにおいて無認可無線周波数スペクトル帯域を譲歩し得る。いくつかの例では、送信すべき緊急データを有しないノードは、デフォルト値（たとえば、Ｎ＝Ｎ０およびＫ＝Ｋ０）をもつＮ／Ｋプロトコルを適用し続け得る。
【００９５】
[0110]ノードが無認可無線周波数スペクトル帯域を介して送信すべき緊急データを有するとき、ノードは、無認可無線周波数スペクトル帯域を介して信号を送信し得る。信号は、ノードが送信すべき緊急データを有するという指示とともに送信され得る。いくつかの例では、信号はまた、緊急データの送信の最大時間スパンの指示を含み得る。緊急データの送信の最大時間スパンの指示により、他のノードは、緊急データを送信するために第１のノードによって必要とされるフレームおよび／またはサブフレームのみについて無認可無線周波数スペクトル帯域（またはそれのチャネル）を譲歩することが可能になり得る。いくつかの例では、ノードが送信すべき緊急データを有することを示す信号は、無認可無線周波数スペクトル帯域を介するＣＥＴ送信を使用して送信される。
【００９６】
[0111]いくつかの例では、緊急データはＭＢＭＳを介して送信され得る。緊急データは、場合によっては、ノードが送信すべき緊急データを有することを示す信号の送信に続いて送信され得る。いくつかの例では、無認可無線周波数スペクトル帯域中のすべての利用可能な送信リソースが、緊急データの送信中にＭＢＭＳに割り振られ得る。他の例では、無認可無線周波数スペクトル帯域中の利用可能な送信リソースは、緊急データの送信中にＭＢＭＳ（たとえば、発展型ＭＢＭＳ（ｅＭＢＭＳ））とユニキャストとの間で分割され得、緊急データはＭＢＭＳとユニキャストの両方を介して送信され得る。緊急データがＭＢＭＳを介して送信される例では、マルチキャストトラフィックチャネル（ＭＴＣＨ）スケジューリング周期（ＭＳＰ）が、緊急データを送信するノードのＣＥＴ周期に整合され得る。いくつかの例では、ノードが緊急データを送信することを完了したことを示すために第２のＣＥＴが送信され得る。
【００９７】
[0112]緊急データが事業者（たとえば、ＰＬＭＮ）のためにマルチキャストブロードキャスト単一周波数ネットワーク（ＭＢＳＦＮ）を介して送信されるとき、１つまたは複数のノードによる１つまたは複数のＬＢＴ譲歩パラメータの自律的調整が、事業者のユニキャストを人工的にバイアスし得る。この影響を緩和するために、無認可無線周波数スペクトル帯域中のすべての利用可能な送信リソースがＭＢＳＦＮに割り振られ得る。
【００９８】
[0113]ノードが送信すべき緊急データをそれ以上有しないとき、ノードは、１つまたは複数のＬＢＴ譲歩パラメータの元の（１つまたは複数の）値を元に戻し得る。ＮパラメータのＮ＝Ｎ１値の適用例に続いてＮパラメータのＮ＝Ｎ０値に戻すとき、ノードは、（Ｎ１値＋Ｎ０値ではなく）Ｎ１値またはＮ０値の利益を獲得し得る。
【００９９】
[0114]図８は、本開示の様々な態様による、図７に示された３つの異なる非同期的事業者（たとえば、事業者１、事業者２、および事業者３）は、事業者の１番目（たとえば、事業者１）がＬＢＴ譲歩パラメータを調整したときにどのように影響を受け得るかの一例８００を示す。より詳細には、例８００は、事業者１はそれのＮ／ＫプロトコルのＮパラメータをＮ０＝２からＮ１＝４に調整するが、事業者２および事業者３はＮ０＝２のＮパラメータを維持するとき、それらの３つの異なる非同期的事業者がどのように影響を受けるかを示す。例として、事業者のすべてがＫ０＝１のＫパラメータを維持する。
【０１００】
[0115]図示のように、事業者１の（１つまたは複数の）送信装置は、無認可無線周波数スペクトル帯域へのアクセスを求めて競合するためにそれぞれの第１のＣＣＡ８１０−ａ、第２のＣＣＡ８１０−ｂ、および第３のＣＣＡ８１０−ｃを成功裏に実施した後に、第１のＬＢＴフレーム８０５−ａ、第２のＬＢＴフレーム８０５−ｂ、および第３のＬＢＴフレーム８０５−ｃ中に無認可無線周波数スペクトル帯域へのアクセスを獲得し得る。事業者１の送信装置が第３のＬＢＴフレーム８０５−ｃのそれの使用でＮ１＝４個のＬＢＴフレームのそれのしきい値を満たすと仮定すると、事業者１の送信装置は、第４のＣＣＡ８１０−ｄを実施するのを控え、第４のＬＢＴフレーム８０５−ｄ中に無認可無線周波数スペクトル帯域を介して送信しないことがある。
【０１０１】
[0116]事業者２の（１つまたは複数の）送信装置は、それぞれの第５のＬＢＴフレーム８１５−ａ、第６のＬＢＴフレーム８１５−ｂ、および第７のＬＢＴフレーム８１５−ｃ中に無認可無線周波数スペクトル帯域へのアクセスを求めて競合するために、第５のＣＣＡ８２０−ａ、第６のＣＣＡ８２０−ｂ、および第７のＣＣＡ８２０−ｃを実施し得る。しかしながら、事業者１の送信装置が無認可無線周波数スペクトル帯域をすでに使用している（または予約した）ので、第５のＣＣＡ８２０−ａ、第６のＣＣＡ８２０−ｂ、および第７のＣＣＡ８２０−ｃは成功しないことがあり、事業者２の送信装置は、第５のＬＢＴフレーム８１５−ａ、第６のＬＢＴフレーム８１５−ｂ、および第７のＬＢＴフレーム８１５−ｃ中に無認可無線周波数スペクトル帯域を介して送信しないことがある。次のＣＣＡ機会において、事業者２の送信装置は、第８のＬＢＴフレーム８１５−ｄへのアクセスを求めて競合するために第８のＣＣＡ８２０−ｄを実施し得る。無認可無線周波数スペクトル帯域が使用されていないので、事業者２の送信装置は、第８のＬＢＴフレーム８１５−ｄ中に無認可無線周波数スペクトル帯域にアクセスするための競合に勝ち、第８のＬＢＴフレーム８１５−ｄ中に無認可無線周波数スペクトル帯域にアクセスし得る。
【０１０２】
[0117]事業者３の（１つまたは複数の）送信装置は、それぞれの第９のＬＢＴフレーム８２５−ａ、第１０のＬＢＴフレーム８２５−ｂ、第１１のＬＢＴフレーム８２５−ｃ、および第１２のＬＢＴフレーム８２５−ｄ中に無認可無線周波数スペクトル帯域へのアクセスを求めて競合するために、第９のＣＣＡ８３０−ａ、第１０のＣＣＡ８３０−ｂ、第１１のＣＣＡ８３０−ｃ、および第１２のＣＣＡ８３０−ｄを実施し得る。しかしながら、事業者１または事業者２の送信装置がすでに無認可無線周波数スペクトル帯域を使用しているので、第９のＣＣＡ８３０−ａ、第１０のＣＣＡ８３０−ｂ、第１１のＣＣＡ８３０−ｃ、および第１２のＣＣＡ８３０−ｄは成功しないことがあり、事業者３の送信装置は、第９のＬＢＴフレーム８２５−ａ、第１０のＬＢＴフレーム８２５−ｂ、第１１のＬＢＴフレーム８２５−ｃ、および第１２のＬＢＴフレーム８２５−ｄ中に無認可無線周波数スペクトル帯域にアクセスするための競合に勝たないことがある。
【０１０３】
[0118]本明細書で説明する技法は、いくつかの例では、事業者の展開において事業者に関連するノード（たとえば、基地局またはＵＥ）が、ノードが送信すべき緊急データを有するという決定に応答してノードのＣＣＡ機会を自律的に調整することを可能にし得る。たとえば、事業者の展開において第１の事業者に関連する第１のノードを考慮されたい。第１のノードが送信すべき緊急データを有しないとき、第１のノードはデフォルトＣＣＡ機会を採用し得、そのデフォルトＣＣＡ機会はデフォルトマッピング関数（たとえば、関数ｆ＿０）によって決定され得る。第１のノードが送信すべき緊急データを有するという決定に応答して、第１のノードは、それのＣＣＡ機会を、調整されたＣＣＡ機会に調整し得る。いくつかの例では、調整されたＣＣＡ機会はデフォルトＣＣＡ機会よりも時間的に早く生じ得、および／または調整されたＣＣＡ機会は、マッピング関数ｆ＿０よりも早いＣＣＡ機会を選択する傾向があるマッピング関数ｆ＿１によって決定され得（たとえば、マッピング関数ｆ＿１は、マッピング関数ｆ＿０よりも多くのＬＢＴフレーム中でより早いＣＣＡ機会を選択し得）、それにより、無認可無線周波数スペクトル帯域への第１のノードのアクセスは、無認可無線周波数スペクトル帯域への別のノードのアクセスよりも優先される。いくつかの例では、第１のノードによる緊急データの送信が完了するまで、無認可無線周波数スペクトル帯域にアクセスするための優先権が主張され得る。
【０１０４】
[0119]いくつかの例では、第１のノードの調整されたＣＣＡ機会は、送信すべき緊急データをもつノードを有する事業者の総数（たとえば、第１の事業者と任意のネイバー事業者とを含む事業者の総数）の関数であり得、それらのノードは、第１のノードが緊急データを送信するのと同時に緊急データを送信する必要がある。他の事業者は、第１のノードが緊急データを送信するのと同時に送信すべき緊急データをもつノードを有しないとき、第１のノードは、第１のノードがそれの緊急データ送信を完了する時間まで、第１のノードがあらゆるＬＢＴフレーム中に無認可無線周波数スペクトル帯域に対する競合に勝つための優先権を与えられるように、それの調整されたＣＣＡ機会を最も早いＣＣＡ機会に設定し得る。すべての他の事業者（またはしきい値数の事業者）が、第１のノードが緊急データを送信するのと同時に送信すべき緊急データをもつノードを有するとき、第１のノードはそれのデフォルトＣＣＡ機会を維持し得る。いくつかの例では、第１のノードは、別のノードから、第２のノードが送信すべき緊急データを有するという指示を含む信号を受信することによって、その別のノードが無認可無線周波数スペクトル帯域を介して送信すべき緊急データを有すると決定し得る。
【０１０５】
[0120]いくつかの例では、送信すべき緊急データを有しないノードは、第１のノードが送信すべき緊急データを有することを検出すると、第１のノードがそれの緊急データを送信し得るように、無認可無線周波数スペクトル帯域（またはそれのチャネル）を第１のノードに譲歩し得る。無認可無線周波数スペクトル帯域を譲歩するとき、ノードは、第１のノードが送信すべき緊急データを有するというそれの検出に続いて、ＬＢＴフレームにおいて無認可無線周波数スペクトル帯域を譲歩し得る。
【０１０６】
[0121]いくつかの例では、第１のノードの調整されたＣＣＡ機会は、第２のノードのデフォルトＣＣＡ機会と衝突し得る。これらの例では、第１のノードの調整されたＣＣＡ機会は、第２のノードのデフォルトＣＣＡ機会をプリエンプトし得る（すなわち、第２のノードが送信すべき緊急データを有しないと仮定する）。プリエンプションが行われるとき、いくつかの例では、第２のノードは、第１のノードに譲歩し、プリエンプションが行われるＬＢＴフレームについてＣＣＡを実施しないことがある。他の例では、第１のノードは、第１のノードのデフォルトＣＣＡ機会を第２のノードに放棄し得る。
【０１０７】
[0122]マルチプルズノードがＬＢＴフレーム中に送信すべき緊急データを有するとき、ノードの各々によって実行されるマッピング関数は、少なくとも１つの他のＣＣＡ機会に勝る優先度を有する１つまたは複数のＣＣＡ機会へのアクセスを循環させ得る。たとえば、ノードの各々によって実行されるマッピング関数は、最も早いＣＣＡ機会へのアクセスを循環させ得る。
【０１０８】
[0123]一例では、第１の事業者（たとえば、ＰＬＭＮ＿Ａ）に関連する第１のノード、および第２の事業者（たとえば、ＰＬＭＮ＿Ｂ）に関連する第２のノードが同時に送信すべき緊急データを有し得、第１のノードおよび第２のノードのためのＣＣＡ機会を選択するとき、以下の優先度が適用され得る。
偶数ＬＢＴフレームではｆ＿１（ＰＬＭＮ＿Ａ）＝０、および奇数ＬＢＴフレームではｆ＿１（ＰＬＭＮ＿Ａ）＝ｆ＿０（ＰＬＭＮ＿Ｂ）、
奇数ＬＢＴフレームではｆ＿１（ＰＬＭＮ＿Ｂ）＝０、および偶数ＬＢＴフレームではｆ＿１（ＰＬＭＮ＿Ｂ）＝ｆ＿０（ＰＬＭＮ＿Ｂ）、
偶数ＬＢＴフレームにおいてｆ＿１（ＰＬＭＮ＿Ａ）＝ｆ＿０（ＰＬＭＮ＿Ｂ）の場合、第２のノードは第１のノードに譲歩する（すなわち、第２のノードによってＣＣＡが実施されない）か、または第２のノードは、ｆ＿０（ＰＬＭＮ＿Ａ）に関連するＣＣＡ機会を使用する、
奇数ＬＢＴフレームにおいてｆ＿０（ＰＬＭＮ＿Ａ）＝ｆ＿１（ＰＬＭＮ＿Ｂ）の場合、第１のノードは第２のノードに譲歩する（すなわち、第１のノードによってＣＣＡが実施されない）か、または第１のノードは、ｆ＿０（ＰＬＭＮ＿Ｂ）に関連するＣＣＡ機会を使用する。
【０１０９】
[0124]ノードが無認可無線周波数スペクトル帯域を介して送信すべき緊急データを有するとき、ノードは、無認可無線周波数スペクトル帯域を介して信号を送信し得る。信号は、ノードが送信すべき緊急データを有するという指示とともに送信され得る。いくつかの例では、信号はまた、緊急データの送信の最大時間スパンの指示を含み得る。緊急データの送信の最大時間スパンの指示により、他のノードは、緊急データを送信するために第１のノードによって必要とされるフレームおよび／またはサブフレームのみについて無認可無線周波数スペクトル帯域（またはそれのチャネル）を譲歩することが可能になり得る。
【０１１０】
[0125]いくつかの例では、緊急データはＭＢＭＳを介して送信され得る。緊急データは、場合によっては、ノードが送信すべき緊急データを有することを示す信号の送信に続いて送信され得る。いくつかの例では、無認可無線周波数スペクトル帯域中のすべての利用可能な送信リソースが、緊急データの送信中にＭＢＭＳに割り振られ得る。他の例では、無認可無線周波数スペクトル帯域中の利用可能な送信リソースは、緊急データの送信中にＭＢＭＳ（たとえば、ｅＭＢＭＳ）とユニキャストとの間で分割され得、緊急データはＭＢＭＳとユニキャストの両方を介して送信され得る。緊急データがＭＢＭＳを介して送信される例では、ＭＳＰが、緊急データを送信するノードのＣＥＴ周期に整合され得る。いくつかの例では、ノードが緊急データを送信することを完了したことを示すために第２の信号が送信され得る。
【０１１１】
[0126]緊急データが事業者（たとえば、ＰＬＭＮ）のためにＭＢＳＦＮを介して送信されるとき、１つまたは複数のノードによるＣＣＡ機会の自律的調整が、事業者のユニキャストを人工的にバイアスし得る。この影響を緩和するために、無認可無線周波数スペクトル帯域中のすべての利用可能な送信リソースがＭＢＳＦＮに割り振られ得る。
【０１１２】
[0127]ノードが送信すべき緊急データをそれ以上有しないとき、ノードはデフォルトＣＣＡ機会の使用に戻り得る。いくつかの例では、ノードは、緊急データ送信のそれの完了と、現在のＬＢＴフレームの開始において、次のＬＢＴフレームのために、デフォルトＣＣＡ機会の使用への復帰とを広告し得る。
【０１１３】
[0128]図９は、本開示の様々な態様による、無認可無線周波数スペクトル帯域にわたるワイヤレス通信９１０の一例９００を示す。図３を参照しながら説明した第１のゲーティング間隔３０５などのゲーティング間隔に対応し得るＬＢＴフレーム９１５は、１０ミリ秒の持続時間を有し、いくつかのダウンリンクサブフレーム９２０と、いくつかのアップリンクサブフレーム９２５と、２つのタイプの特殊サブフレーム、Ｓサブフレーム９３０およびＳ’サブフレーム９３５とを含み得る。Ｓサブフレーム９３０は、ダウンリンクサブフレーム９２０とアップリンクサブフレーム９２５との間の遷移を提供し得、一方、Ｓ’サブフレーム９３５は、アップリンクサブフレーム９２５とダウンリンクサブフレーム９２０との間の遷移を提供し得る。
【０１１４】
[0129]Ｓ’サブフレーム９３５中に、図１および／または図２を参照しながら説明した基地局１０５、２０５、および／または２０５−ａのうちの１つまたは複数など、１つまたは複数の基地局によって、ワイヤレス通信９１０がその上で行われるチャネルをある時間期間の間予約するために、ＤＣＣＡ９４０が実施され得る。基地局による成功したＤＣＣＡ９４０に続いて、基地局は、基地局がチャネルを予約したという指示を他の基地局および／または装置（たとえば、ＵＥ、Ｗｉ−Ｆｉアクセスポイントなど）に提供するためにＣＵＢＳ９４５を送信し得る。いくつかの例では、ＣＵＢＳ９４５は、複数のインターリーブされたリソースブロックを使用して送信され得る。このようにＣＵＢＳ９４５を送信することにより、ＣＵＢＳ９４５は、無認可無線周波数スペクトル帯域において利用可能な周波数帯域幅の少なくともある割合を占有し、１つまたは複数の規制要件（たとえば、ＣＵＢＳ９４５が、利用可能な周波数帯域幅の少なくとも８０％を占有するという要件）を満たすことが可能になり得る。ＣＵＢＳ９４５は、いくつかの例では、ＬＴＥ／ＬＴＥ−Ａ  ＣＲＳおよび／またはＣＳＩ−ＲＳの形態と同様の形態をとり得る。ＣＵＢＳ９４５の送信に続いて、ＬＴＥ／ＬＴＥ−Ａベース波形９４７が、無認可無線周波数スペクトル帯域を介して基地局からＵＥに送信され得る。
【０１１５】
[0130]Ｓ’サブフレーム９３５は、図９において０〜１３の番号を付された、１４個のＯＦＤＭシンボルを含み得る。Ｓ’サブフレーム９３５の第１の部分、この例ではシンボル０〜５は、ＬＴＥ／ＬＴＥ−Ａ通信規格との互換性のために必要とされ得る、サイレントＤＬ期間として基地局によって使用され得る。したがって、基地局は、サイレントＤＬ期間中にデータを送信しないことがあるが、ＵＥは、サイレントＤＬ期間中に何らか量のアップリンクデータを送信し得る。Ｓ’サブフレーム９３５の第２の部分はＤＣＣＡ９４０のために使用され得る。例９００では、Ｓ’サブフレーム９３５は、シンボル６〜１２中に含まれる７つのＤＣＣＡ機会を含む。異なるネットワーク事業者によるＤＣＣＡ機会の使用は、より効率的なシステム動作（たとえば、同期システム動作）を提供するために協調され得る。いくつかの例では、ＤＣＣＡ９４０を実施するために７つの可能なＤＣＣＡ機会のうちのどれを使用すべきかを決定するために、送信すべき緊急データを有しない基地局１０５は、以下の形式のマッピング関数を評価し得る。
【０１１６】
【数５】
0006495324.tif 000006
【０１１７】
ここで、ＧｒｏｕｐＩＤは、基地局１０５に割り当てられた「展開グループｉｄ」であり、ｔは、ＤＣＣＡ９４０が実施されるゲーティング間隔またはフレームに対応するＬＢＴフレーム番号である。しかしながら、基地局１０５が送信すべき緊急データを有するとき、ＤＣＣＡ９４０を実施するために７つの可能なＤＣＣＡ機会のうちのどれを使用すべきかを選定するために代替のマッピング関数が使用され得る。基地局１０５が第１の事業者に関連付けられ、他の事業者の基地局１０５が送信すべき緊急データを有しないとき、基地局１０５は、いくつかの例では、図９に示されているように、ＤＣＣＡ９４０を実施するのに使用するために最も早いＤＣＣＡ機会を選定し得る。基地局１０５が第１の事業者に関連付けられるとき、および少なくとも１つの他の事業者の少なくとも１つの基地局が送信すべき緊急データを有するとき、基地局１０５は、いくつかの例では、送信すべき緊急データを有するノードに関連する事業者の間で、最も早いＤＣＣＡ機会の使用を循環させるマッピング関数を実行し得る。送信すべき緊急データを有する基地局１０５が、ＤＣＣＡ９４０を使用して無認可無線周波数スペクトル帯域へのアクセスを求めて成功裏に競合したとき、基地局１０５は、ＬＴＥ／ＬＴＥ−Ａベース波形９４７の一部として緊急データの少なくとも一部分を送信し得る。
【０１１８】
[0131]いくつかの例では、緊急データの送信のために事業者間で周波数分割多重（ＦＤＭ）が使用され得る。これらの例では、複数の事業者は、同じＬＢＴフレーム中にデータを送信することを可能にされ得、いくつかの事例では、事業者のうちの１つが、ＬＢＴフレーム中に非緊急データを送信することを可能にされ得る。非緊急データを送信することを可能にされる事業者は、ＬＢＴフレームのためのデフォルトＣＣＡ機会においてＣＣＡを成功裏に実施する事業者であり得る。ＬＢＴフレームのためのデフォルトＣＣＡ機会においてＣＣＡを成功裏に実施する事業者は、ＬＢＴフレーム中に緊急データを送信する事業者のすべてが緊急データを送信する機会を有することを保証するために、ＬＢＴフレームの全体にわたって無認可無線周波数スペクトル帯域のチャネルを保持することを要求され得る。ＬＢＴフレームのためのデフォルトＣＣＡ機会においてＣＣＡを成功裏に実施する事業者は、ＬＢＴフレーム中に緊急データを送信することがあるか、または送信しないことがある。
【０１１９】
[0132]緊急データを送信するためにＦＤＭ技法を使用するとき、各事業者は、緊急データの送信のためにあらかじめ定義された周波数リソース（たとえば、サブキャリアのあらかじめ定義されたサブセット）を割り当てられ得る。いくつかの例では、ＬＢＴフレーム中に送信すべき緊急データを有する各事業者は、ＬＢＴフレームのための調整されたＣＣＡ機会中に（たとえば、ＬＢＴフレームを求めて競合しているすべての事業者の間で最も早いＣＣＡ機会中に）ＣＣＡを実施し得、ＬＢＴフレーム中に送信すべき非緊急データを有する各事業者は、デフォルトＣＣＡ機会中にＣＣＡを実施し得る。
【０１２０】
[0133]いくつかの例では、ＬＢＴフレームのためのデフォルトＣＣＡ機会においてＣＣＡを成功裏に実施する事業者は、他の事業者による緊急データ送信のためにどんなリソースが割り振られるかを決定し得る。いくつかの例では、緊急データ送信のために他の事業者に割り振られるリソースは、他の事業者から受信された信号中の指示に少なくとも部分的に基づいて決定され得、その指示は、他の事業者の緊急データ送信のためにどんなリソースが必要とされるかを示し得る。
【０１２１】
[0134]緊急データを送信するためにＦＤＭ技法が使用されるとき、ＦＤＭ技法は、時間領域多重化（ＴＤＭ）技法の使用と比較してユニキャストバイアスを緩和し得る。
【０１２２】
[0135]図１０は、本開示の様々な態様による、無認可無線周波数スペクトル帯域にわたるワイヤレス通信１０１０の一例１０００を示す。図３を参照しながら説明した第１のゲーティング間隔３０５などのゲーティング間隔に対応し得るＬＢＴフレーム１０１５は、１０ミリ秒の持続時間を有し、いくつかのダウンリンクサブフレーム１０２０と、いくつかのアップリンクサブフレーム１０２５と、２つのタイプの特殊サブフレーム、Ｓサブフレーム１０３０およびＳ’サブフレーム１０３５とを含み得る。Ｓサブフレーム１０３０は、ダウンリンクサブフレーム１０２０とアップリンクサブフレーム１０２５との間の遷移を提供し得、一方、Ｓ’サブフレーム１０３５は、アップリンクサブフレーム１０２５とダウンリンクサブフレーム１０２０との間の遷移を提供し得る。
【０１２３】
[0136]Ｓ’サブフレーム１０３５中に、図１および／または図２を参照しながら説明した基地局１０５、２０５、および／または２０５−ａのうちの１つまたは複数など、１つまたは複数の基地局によって、ワイヤレス通信１０１０がその上で行われるチャネルをある時間期間の間予約するために、ＤＣＣＡ１０４０が実施され得る。基地局による成功したＤＣＣＡ１０４０に続いて、基地局は、基地局がチャネルを予約したという指示を他の基地局および／または装置（たとえば、ＵＥ、Ｗｉ−Ｆｉアクセスポイントなど）に提供するためにＣＵＢＳ１０４５を送信し得る。いくつかの例では、ＣＵＢＳ１０４５は、複数のインターリーブされたリソースブロックを使用して送信され得る。このようにＣＵＢＳ１０４５を送信することにより、ＣＵＢＳ１０４５は、無認可無線周波数スペクトル帯域において利用可能な周波数帯域幅の少なくともある割合を占有し、１つまたは複数の規制要件（たとえば、ＣＵＢＳ１０４５が、利用可能な周波数帯域幅の少なくとも８０％を占有するという要件）を満たすことが可能になり得る。ＣＵＢＳ１０４５は、いくつかの例では、ＬＴＥ／ＬＴＥ−Ａ  ＣＲＳおよび／またはＣＳＩ−ＲＳの形態と同様の形態をとり得る。ＣＵＢＳ１０４５の送信に続いて、ＬＴＥ／ＬＴＥ−Ａベース波形１０４７が、無認可無線周波数スペクトル帯域を介して基地局からＵＥに送信され得る。
【０１２４】
[0137]Ｓ’サブフレーム１０３５は、図１０において０〜１３の番号を付された、１４個のＯＦＤＭシンボルを含み得る。Ｓ’サブフレーム１０３５の第１の部分、この例ではシンボル０〜５は、ＬＴＥ／ＬＴＥ−Ａ通信規格との互換性のために必要とされ得る、サイレントＤＬ期間として基地局によって使用され得る。したがって、基地局は、サイレントＤＬ期間中にデータを送信しないことがあるが、ＵＥは、サイレントＤＬ期間中に何らか量のアップリンクデータを送信し得る。Ｓ’サブフレーム１０３５の第２の部分はＤＣＣＡ１０４０のために使用され得る。例１０００では、Ｓ’サブフレーム１０３５は、シンボル６〜１２中に含まれる７つのＤＣＣＡ機会を含む。異なるネットワーク事業者によるＤＣＣＡ機会の使用は、より効率的なシステム動作（たとえば、同期システム動作）を提供するために協調され得る。いくつかの例では、ＤＣＣＡ１０４０−ａを実施するために７つの可能なＤＣＣＡ機会のうちのどれを使用すべきかを決定するために、送信すべき緊急データを有しない基地局１０５は、以下の形式のマッピング関数を評価し得る。
【０１２５】
【数６】
0006495324.tif 000007
【０１２６】
ここで、ＧｒｏｕｐＩＤは、基地局１０５に割り当てられた「展開グループｉｄ」であり、ｔは、ＤＣＣＡ１０４０−ａが実施されるゲーティング間隔またはフレームに対応するＬＢＴフレーム番号である。しかしながら、基地局１０５が送信すべき緊急データを有するとき、ＤＣＣＡ１０４０−ｂを実施するために７つの可能なＤＣＣＡ機会のうちのどれを使用すべきかを選定するために代替のマッピング関数が使用され得る。いくつかの例では、マッピング関数は、送信すべき緊急データを有する基地局１０５の各々に、ＬＢＴフレームを求めて競合しているすべての事業者の間で最も早いＤＣＣＡ機会において、ＤＣＣＡ１０４０−ｂを同時に実施させ得る。送信すべき非緊急データを有する基地局１０５が、ＤＣＣＡ１０４０−ａを使用して無認可無線周波数スペクトル帯域へのアクセスを求めて成功裏に競合したとき、基地局１０５は、他の事業者による緊急データ送信のためにどんなリソースが割り振られるかを決定し得る。いくつかの例では、緊急データ送信のために他の事業者に割り振られるリソースは、他の事業者から受信された信号中の指示に少なくとも部分的に基づいて決定され得、その指示は、他の事業者の緊急データ送信のためにどんなリソースが必要とされるかを示し得る。送信すべき緊急データを有する各事業者が、サブキャリアの異なるサブセットを使用してそれの緊急データを同時に送信し得るように、リソースはサブキャリアの異なるサブセットにおいて割り振られ得る。各事業者によって送信されるべき緊急データの少なくとも一部分は、ＬＴＥ／ＬＴＥ−Ａベース波形１０４７の一部として送信され得る。
【０１２７】
[0138]場合によっては、２つ以上の事業者が、送信すべき同じ緊急データを有し得る。これらの場合、ＰＬＭＮにわたるジョイントＭＢＳＦＮ送信がＭＢＳＦＮ利得を向上させることができる（たとえば、送信すべき緊急データを有する単一の事業者にチャネルを単に譲歩することと比較して、より大きいＭＢＳＮ利益があり得る）。これらの例では、ネットワークは、事業者間の緊急データ送信合意に関して、および事業者間の緊急データスケジューリング合意に関してすべての事業者を構成し得る。緊急データスケジューリング合意は、サブフレーム、変調およびコーディング方式（ＭＣＳ）、ＭＢＳＦＮエリア識別子（ＩＤ）などを定義し得る。緊急データ送信合意に従うすべての事業者は、それらのデフォルトＣＣＡ機会をオーバーライドすることによって、事業者間の最も早いＣＣＡ機会において、ＬＢＴフレームについて同時にＣＣＡを実施し得る。事業者のうちの１つがデフォルトＣＣＡ機会に従ってＬＢＴフレームのためのＣＣＡを成功裏に実施したとき、その事業者は、ＬＢＴフレーム中に緊急および／または非緊急データを送信し得、ＬＢＴフレームの全体にわたって無認可無線周波数スペクトルを予約し得る。緊急データ送信合意に従う他の事業者については、それらの事業者は、調整されたＣＣＡ機会においてＣＣＡを実施し、ｅＭＢＭＳを介して緊急データを送信し、非緊急データ送信を控え得る。緊急データ送信合意に従わない事業者は、前に説明したようにＴＤＭまたはＦＤＭ緊急データ送信技法を適用し得る。いくつかの例では、ジョイントＭＢＳＦＮはジョイント多地点協調（ＣｏＭＰ）動作に拡張され得、これでは、いくつかの事業者が他の事業者に譲歩する代わりに、すべての事業者がより良好なカバレージのためにＣｏＭＰ送信に参加し得る。
【０１２８】
[0139]図１１は、本開示の様々な態様による、無認可無線周波数スペクトル帯域にわたるワイヤレス通信１１１０の一例１１００を示す。図３を参照しながら説明した第１のゲーティング間隔３０５などのゲーティング間隔に対応し得るＬＢＴフレーム１１１５は、１０ミリ秒の持続時間を有し、いくつかのダウンリンクサブフレーム１１２０と、いくつかのアップリンクサブフレーム１１２５と、２つのタイプの特殊サブフレーム、Ｓサブフレーム１１３０およびＳ’サブフレーム１１３５とを含み得る。Ｓサブフレーム１１３０は、ダウンリンクサブフレーム１１２０とアップリンクサブフレーム１１２５との間の遷移を提供し得、一方、Ｓ’サブフレーム１１３５は、アップリンクサブフレーム１１２５とダウンリンクサブフレーム１１２０との間の遷移を提供し得る。
【０１２９】
[0140]Ｓ’サブフレーム１１３５中に、図１および／または図２を参照しながら説明した基地局１０５、２０５、および／または２０５−ａのうちの１つまたは複数など、１つまたは複数の基地局によって、ワイヤレス通信１１１０がその上で行われるチャネルをある時間期間の間予約するために、ＤＣＣＡ１１４０が実施され得る。基地局による成功したＤＣＣＡ１１４０に続いて、基地局は、基地局がチャネルを予約したという指示を他の基地局および／または装置（たとえば、ＵＥ、Ｗｉ−Ｆｉアクセスポイントなど）に提供するためにＣＵＢＳ１１４５を送信し得る。いくつかの例では、ＣＵＢＳ１１４５は、複数のインターリーブされたリソースブロックを使用して送信され得る。このようにＣＵＢＳ１１４５を送信することにより、ＣＵＢＳ１１４５は、無認可無線周波数スペクトル帯域において利用可能な周波数帯域幅の少なくともある割合を占有し、１つまたは複数の規制要件（たとえば、ＣＵＢＳ１１４５が、利用可能な周波数帯域幅の少なくとも８０％を占有するという要件）を満たすことが可能になり得る。ＣＵＢＳ１１４５は、いくつかの例では、ＬＴＥ／ＬＴＥ−Ａ  ＣＲＳおよび／またはＣＳＩ−ＲＳの形態と同様の形態をとり得る。ＣＵＢＳ１１４５の送信に続いて、ＬＴＥ／ＬＴＥ−Ａベース波形１１４７が、無認可無線周波数スペクトル帯域を介して基地局からＵＥに送信され得る。
【０１３０】
[0141]Ｓ’サブフレーム１１３５は、図１１において０〜１３の番号を付された、１４個のＯＦＤＭシンボルを含み得る。Ｓ’サブフレーム１１３５の第１の部分、この例ではシンボル０〜５は、ＬＴＥ／ＬＴＥ−Ａ通信規格との互換性のために必要とされ得る、サイレントＤＬ期間として基地局によって使用され得る。したがって、基地局は、サイレントＤＬ期間中にデータを送信しないことがあるが、ＵＥは、サイレントＤＬ期間中に何らか量のアップリンクデータを送信し得る。Ｓ’サブフレーム１１３５の第２の部分はＤＣＣＡ１１４０のために使用され得る。例１１００では、Ｓ’サブフレーム１１３５は、シンボル６〜１２中に含まれる７つのＤＣＣＡ機会を含む。異なるネットワーク事業者によるＤＣＣＡ機会の使用は、より効率的なシステム動作（たとえば、同期システム動作）を提供するために協調され得る。いくつかの例では、ＤＣＣＡ１１４０−ａを実施するために７つの可能なＤＣＣＡ機会のうちのどれを使用すべきかを決定するために、送信すべき緊急データを有しない基地局１０５は、以下の形式のマッピング関数を評価し得る。
【０１３１】
【数７】
0006495324.tif 000008
【０１３２】
ここで、ＧｒｏｕｐＩＤは、基地局１０５に割り当てられた「展開グループｉｄ」であり、ｔは、ＤＣＣＡ１１４０−ａが実施されるゲーティング間隔またはフレームに対応するＬＢＴフレーム番号である。しかしながら、基地局１０５が送信すべき緊急データを有するとき、ＤＣＣＡ１１４０−ｂを実施するために７つの可能なＤＣＣＡ機会のうちのどれを使用すべきかを選定するために代替のマッピング関数が使用され得る。いくつかの例では、マッピング関数は、送信すべき緊急データを有する基地局１０５の各々に、最も早いＤＣＣＡ機会においてＤＣＣＡ１１４０−ｂを同時に実施させ得る。いくつかの例では、緊急データ送信合意に従うすべての事業者からの緊急データは、ＬＢＴフレーム１１１５へのアクセスを獲得している事業者のいずれか１つの上でＬＢＴフレーム１１１５中に送信され得、非緊急データは、事業者のうちの単一の事業者（すなわち、成功したＤＣＣＡ１１４０−ａまたは１１４０−ｂを実施する事業者）のためにＬＢＴフレーム１１１５中に送信され得る。いくつかの例では、緊急データ送信合意に従う事業者はジョイントＭＢＳＦＮを形成し得る。各事業者によって送信されるべき緊急データの少なくとも一部分は、ＬＴＥ／ＬＴＥ−Ａベース波形１１４７の一部として送信され得る。
【０１３３】
[0142]図１２は、本開示の様々な態様による、ワイヤレス通信において使用するための装置１２０５のブロック図１２００を示す。いくつかの例では、装置１２０５は、図１および／または図２を参照しながら説明した基地局１０５、２０５、および／または２０５−ａのうちの１つまたは複数の態様の一例、ならびに／あるいは図１および／または図２を参照しながら説明したＵＥ１１５、２１５、２１５−ａ、２１５−ｂ、および／または２１５−ｃのうちの１つまたは複数の態様の一例であり得る。装置１２０５は、いくつかの例では、ＬＴＥ／ＬＴＥ−Ａ互換基地局またはＵＥを含み得る。装置１２０５はまた、プロセッサであり得る。装置１２０５は、受信機モジュール１２１０、ワイヤレス通信管理モジュール１２２０、および／または送信機モジュール１２３０を含み得る。これらの構成要素の各々は互いに通信していることがある。
【０１３４】
[0143]装置１２０５の構成要素は、ハードウェアにおいて適用可能な機能の一部または全部を実施するように適応された１つまたは複数の特定用途向け集積回路（ＡＳＩＣ）を使用して、個々にまたは集合的に実装され得る。代替的に、機能は、１つまたは複数の他の処理ユニット（またはコア）によって、１つまたは複数の集積回路上で実施され得る。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に具体化された命令を用いて実装され得る。
【０１３５】
[0144]いくつかの例では、受信機モジュール１２１０は、認可無線周波数スペクトル帯域（たとえば、無線周波数スペクトル帯域が特定の使用のために特定のユーザ（たとえば、ＬＴＥ／ＬＴＥ−Ａユーザ）に認可されているので、装置がそれのためにアクセスを求めて競合しない無線周波数スペクトル帯域）、ならびに／あるいは無認可無線周波数スペクトル帯域（たとえば、無線周波数スペクトル帯域が少なくとも部分的に無認可使用（たとえば、Ｗｉ−Ｆｉ使用および／または無認可ＬＴＥ／ＬＴＥ−Ａ使用）のために利用可能であるので、装置がそれのためにアクセスを求めて競合する必要があり得る無線周波数スペクトル帯域）を介して送信を受信するように動作可能な少なくとも１つのＲＦ受信機など、少なくとも１つの無線周波数（ＲＦ）受信機を含み得る。いくつかの例では、認可無線周波数スペクトル帯域および／または無認可無線周波数スペクトル帯域は、たとえば、図１、図２、図３、図４、図５、図６、図７、および／または図８を参照しながら説明したように、ＬＴＥ／ＬＴＥ−Ａ通信のために使用され得る。受信機モジュール１２１０は、図１および／または図２を参照しながら説明したワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を受信するために使用され得る。通信リンクは、認可無線周波数スペクトル帯域および／または無認可無線周波数スペクトル帯域を介して確立され得る。
【０１３６】
[0145]いくつかの例では、送信機モジュール１２３０は、認可無線周波数スペクトル帯域および／または無認可無線周波数スペクトル帯域を介して送信するように動作可能な少なくとも１つのＲＦ送信機など、少なくとも１つのＲＦ送信機を含み得る。送信機モジュール１２３０は、図１および／または図２を参照しながら説明したワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を送信するために使用され得る。通信リンクは、認可無線周波数スペクトル帯域および／または無認可無線周波数スペクトル帯域を介して確立され得る。
【０１３７】
[0146]いくつかの例では、ワイヤレス通信管理モジュール１２２０は、装置１２０５のためのワイヤレス通信の１つまたは複数の態様を管理するために使用され得る。いくつかの例では、ワイヤレス通信管理モジュール１２２０は、緊急データ送信管理モジュール１２３５および／またはＣＥＴモジュール１２４０を含み得る。これらの構成要素の各々は互いに通信していることがある。
【０１３８】
[0147]いくつかの例では、緊急データ送信管理モジュール１２３５は、事業者の展開において第１の事業者に関連する第１のノードが無認可無線周波数スペクトル帯域を介して送信すべき緊急データを有するかどうかを決定するために使用され得る。緊急データ送信管理モジュール１２３５はまた、送信機モジュール１２３０によって送信される信号中に含めるための、第１のノードが無認可無線周波数スペクトル帯域を介して送信すべき緊急データを有するという指示を提供するために使用され得る。いくつかの例では、緊急データ送信管理モジュール１２３５モジュールはまた、第１のノードによる緊急データの送信の最大時間スパンの指示を提供するために使用され得る。いくつかの例では、第１のノードは、装置１２０５または装置１２０５を含む装置であり得る。
【０１３９】
[0148]いくつかの例では、ＣＥＴモジュール１２４０は、無認可無線周波数スペクトル帯域を介してＣＥＴを送信するために使用され得る。ＣＥＴは、いくつかの例では、第１のノードが送信すべき緊急データを有することを示し得る。
【０１４０】
[0149]図１３は、本開示の様々な態様による、ワイヤレス通信において使用するための装置１３０５のブロック図１３００を示す。いくつかの例では、装置１３０５は、図１および／または図２を参照しながら説明した基地局１０５、２０５、および／または２０５−ａのうちの１つまたは複数の態様の一例、図１および／または図２を参照しながら説明したＵＥ１１５、２１５、２１５−ａ、２１５−ｂ、および／または２１５−ｃのうちの１つまたは複数の態様の一例、ならびに／あるいは図１２を参照しながら説明した装置１２０５の態様の一例であり得る。装置１３０５は、いくつかの例では、ＬＴＥ／ＬＴＥ−Ａ互換基地局またはＵＥを含み得る。装置１３０５はまた、プロセッサであり得る。装置１３０５は、受信機モジュール１３１０、ワイヤレス通信管理モジュール１３２０、および／または送信機モジュール１３３０を含み得る。これらの構成要素の各々は互いに通信していることがある。
【０１４１】
[0150]装置１３０５の構成要素は、ハードウェアにおいて適用可能な機能の一部または全部を実施するように適応された１つまたは複数のＡＳＩＣを使用して、個々にまたは集合的に実装され得る。代替的に、機能は、１つまたは複数の他の処理ユニット（またはコア）によって、１つまたは複数の集積回路上で実施され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に具体化された命令を用いて実装され得る。
【０１４２】
[0151]いくつかの例では、受信機モジュール１３１０は、図１２を参照しながら説明した受信機モジュール１２１０の１つまたは複数の態様の一例であり得る。いくつかの例では、受信機モジュール１３１０は、認可無線周波数スペクトル帯域（たとえば、無線周波数スペクトル帯域が特定の使用のために特定のユーザ（たとえば、ＬＴＥ／ＬＴＥ−Ａユーザ）に認可されているので、装置がそれのためにアクセスを求めて競合しない無線周波数スペクトル帯域）、ならびに／あるいは無認可無線周波数スペクトル帯域（たとえば、無線周波数スペクトル帯域が少なくとも部分的に無認可使用（たとえば、Ｗｉ−Ｆｉ使用および／または無認可ＬＴＥ／ＬＴＥ−Ａ使用）のために利用可能であるので、装置がそれのためにアクセスを求めて競合する必要があり得る無線周波数スペクトル帯域）を介して送信を受信するように動作可能な少なくとも１つのＲＦ受信機など、少なくとも１つのＲＦ受信機を含み得る。いくつかの例では、認可無線周波数スペクトル帯域および／または無認可無線周波数スペクトル帯域は、たとえば、図１、図２、図３、図４、図５、図６、図７、および／または図８を参照しながら説明したように、ＬＴＥ／ＬＴＥ−Ａ通信のために使用され得る。受信機モジュール１３１０は、場合によっては、認可無線周波数スペクトル帯域および無認可無線周波数スペクトル帯域のための別個の受信機を含み得る。別個の受信機は、いくつかの例では、認可無線周波数スペクトル帯域を介して通信するための認可ＬＴＥ／ＬＴＥ−Ａ  ＲＦスペクトル帯域受信機モジュール１３１２、および無認可無線周波数スペクトル帯域を介して通信するための無認可ＬＴＥ／ＬＴＥ−Ａ  ＲＦスペクトル帯域受信機モジュール１３１４の形態をとり得る。いくつかの例では、受信機モジュール１３１０はまた、Ｗｉ−Ｆｉ  ＲＦスペクトル帯域受信機モジュール１３１６を含み得る。装置１３０５が基地局を含む例では、受信機モジュール１３１０はバックホール受信機モジュール１３１８を含み得る。認可ＬＴＥ／ＬＴＥ−Ａ  ＲＦスペクトル帯域受信機モジュール１３１２、無認可ＬＴＥ／ＬＴＥ−Ａ  ＲＦスペクトル帯域受信機モジュール１３１４、Ｗｉ−Ｆｉ  ＲＦスペクトル帯域受信機モジュール１３１６、および／またはバックホール受信機モジュール１３１８を含む、受信機モジュール１３１０は、図１および／または図２を参照しながら説明したワイヤレス通信システム１００および／または２００の１つまたは複数の通信リンクおよび／またはバックホールリンクなど、ワイヤレス通信システムの１つまたは複数の通信リンクおよび／またはバックホールリンクを介して様々なタイプのデータおよび／または制御信号（すなわち、送信）を受信するために使用され得る。通信リンクおよび／またはバックホールリンクは、認可無線周波数スペクトル帯域および／または無認可無線周波数スペクトル帯域を介して（ならびに／あるいは、たとえば、図１を参照しながら説明したコアネットワーク１３０などのコアネットワークとの、１つまたは複数のワイヤードまたはワイヤレス接続を介して）確立され得る。
【０１４３】
[0152]いくつかの例では、送信機モジュール１３３０は、図１２を参照しながら説明した送信機モジュール１２３０の１つまたは複数の態様の一例であり得る。いくつかの例では、送信機モジュール１３３０は、認可無線周波数スペクトル帯域および／または無認可無線周波数スペクトル帯域を介して送信するように動作可能な少なくとも１つのＲＦ送信機など、少なくとも１つのＲＦ送信機を含み得る。送信機モジュール１３３０は、場合によっては、認可無線周波数スペクトル帯域および無認可無線周波数スペクトル帯域のための別個の送信機を含み得る。別個の送信機は、いくつかの例では、認可無線周波数スペクトル帯域を介して通信するための認可ＬＴＥ／ＬＴＥ−Ａ  ＲＦスペクトル帯域送信機モジュール１３３２、および無認可無線周波数スペクトル帯域を介して通信するための無認可ＬＴＥ／ＬＴＥ−Ａ  ＲＦスペクトル帯域送信機モジュール１３３４の形態をとり得る。いくつかの例では、送信機モジュール１３３０はまた、Ｗｉ−Ｆｉ  ＲＦスペクトル帯域送信機モジュール１３３６を含み得る。装置１３０５が基地局を含む例では、送信機モジュール１３３０はバックホール送信機モジュール１３３８を含み得る。認可ＬＴＥ／ＬＴＥ−Ａ  ＲＦスペクトル帯域送信機モジュール１３３２、無認可ＬＴＥ／ＬＴＥ−Ａ  ＲＦスペクトル帯域送信機モジュール１３３４、Ｗｉ−Ｆｉ  ＲＦスペクトル帯域送信機モジュール１３３６、および／またはバックホール送信機モジュール１３３８を含む、送信機モジュール１３３０は、図１および／または図２を参照しながら説明したワイヤレス通信システム１００および／または２００の１つまたは複数の通信リンクおよび／またはバックホールリンクなど、ワイヤレス通信システムの１つまたは複数の通信リンクおよび／またはバックホールリンクを介して様々なタイプのデータおよび／または制御信号（すなわち、送信）を送信するために使用され得る。通信リンクおよび／またはバックホールリンクは、認可無線周波数スペクトル帯域および／または無認可無線周波数スペクトル帯域を介して（ならびに／あるいは、たとえば、図１を参照しながら説明したコアネットワーク１３０などのコアネットワークとの、１つまたは複数のワイヤードまたはワイヤレス接続を介して）確立され得る。
【０１４４】
[0153]いくつかの例では、ワイヤレス通信管理モジュール１３２０は、図１２を参照しながら説明したワイヤレス通信管理モジュール１２２０の１つまたは複数の態様の一例であり得る。ワイヤレス通信管理モジュール１３２０は、緊急データ送信管理モジュール１３３５、ＣＥＴモジュール１３５０、および／またはデータ送信モジュール１３５５を含み得る。これらの構成要素の各々は互いに通信していることがある。
【０１４５】
[0154]いくつかの例では、緊急データ送信管理モジュール１３３５は、図１２を参照しながら説明した緊急データ送信管理モジュール１２３５の一例であり得る。いくつかの例では、緊急データ送信管理モジュール１３３５は、事業者の展開において第１の事業者に関連する第１のノードが無認可無線周波数スペクトル帯域を介して送信すべき緊急データを有するかどうかを決定するために使用され得る。いくつかの例では、第１のノードは、装置１３０５または装置１３０５を含む装置であり得る。
【０１４６】
[0155]いくつかの例では、緊急データ送信管理モジュール１３３５は、緊急データ時間スパン決定モジュール１３４０および／またはリソース割振りモジュール１３４５を含み得る。いくつかの例では、緊急データ時間スパン決定モジュール１３４０は、第１のノードによる緊急データの送信の最大時間スパンを決定するために、および送信機モジュール１３３０によって送信される信号中に含めるための緊急データの送信の最大時間スパンの指示を提供するために使用され得る。いくつかの例では、リソース割振りモジュール１３４５は、第１のノードによる緊急データの送信中に無認可無線周波数スペクトル帯域において送信リソースを割り振るために使用され得る。いくつかの例では、リソース割振りモジュール１３４５は、第１のノードによる緊急データの送信中に無認可無線周波数スペクトル帯域におけるすべての利用可能な送信リソースをＭＢＭＳに割り振り得る。別の例では、リソース割振りモジュール１３４５は、第１のノードによる緊急データの送信中に無認可無線周波数スペクトル帯域における利用可能な送信リソースをＭＢＭＳとユニキャストとの間で分割し得る。後者の例では、緊急データは、ＭＢＭＳとユニキャストの両方を介して送信され得る。
【０１４７】
[0156]いくつかの例では、ＣＥＴモジュール１３５０は、図１２を参照しながら説明したＣＥＴモジュール１２４０の一例であり得る。いくつかの例では、ＣＥＴモジュール１３５０は、無認可無線周波数スペクトル帯域を介してＣＥＴを送信するために使用され得る。いくつかの例では、第１のノードが送信すべき緊急データを有することを示す信号は、ＣＥＴ送信を使用して送信され得る。これらの例では、信号はまた、第１のノードによる緊急データの送信の最大時間スパンの指示を含み得、その指示は緊急データ時間スパン決定モジュール１３４０によって提供され得る。
【０１４８】
[0157]いくつかの例では、緊急データ送信管理モジュール１３２０はまた、送信機モジュール１３３０によって送信され得る第２の信号中に含めるための、第１のノードが緊急データを送信することを完了したという指示を提供するために使用され得る。
【０１４９】
[0158]いくつかの例では、データ送信モジュール１３５５は、リソース割振りモジュール１３４５によって行われた送信リソースの割振りに従って、ＭＢＭＳおよび／またはユニキャストを介して緊急データを送信するために使用され得る。いくつかの例では、緊急データは、成功したＣＣＡが実施される無認可無線周波数スペクトル帯域の１つまたは複数のフレームにおいてＭＢＭＳおよび／またはユニキャストを介してのみ送信され得る。いくつかの例では、データ送信モジュール１３５５はＭＢＭＳ送信モジュール１３６０を含み得る。ＭＢＭＳ送信モジュール１３６０は、ＭＢＭＳを介して緊急データを送信するために使用され得る。
【０１５０】
[0159]図１４は、本開示の様々な態様による、ワイヤレス通信において使用するための装置１４０５のブロック図１４００を示す。いくつかの例では、装置１４０５は、図１および／または図２を参照しながら説明した基地局１０５、２０５、および／または２０５−ａのうちの１つまたは複数の態様の一例、図１および／または図２を参照しながら説明したＵＥ１１５、２１５、２１５−ａ、２１５−ｂ、および／または２１５−ｃのうちの１つまたは複数の態様の一例、ならびに／あるいは図１２および／または図１３を参照しながら説明した装置１２０５および／または１３０５のうちの１つまたは複数の態様の一例であり得る。装置１４０５は、いくつかの例では、ＬＴＥ／ＬＴＥ−Ａ互換基地局またはＵＥを含み得る。装置１４０５はまた、プロセッサであり得る。装置１４０５は、受信機モジュール１４１０、ワイヤレス通信管理モジュール１４２０、および／または送信機モジュール１４３０を含み得る。これらの構成要素の各々は互いに通信していることがある。
【０１５１】
[0160]装置１４０５の構成要素は、ハードウェアにおいて適用可能な機能の一部または全部を実施するように適応された１つまたは複数のＡＳＩＣを使用して、個々にまたは集合的に実装され得る。代替的に、機能は、１つまたは複数の他の処理ユニット（またはコア）によって、１つまたは複数の集積回路上で実施され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に具体化された命令を用いて実装され得る。
【０１５２】
[0161]いくつかの例では、受信機モジュール１４１０は、図１２および／または図１３を参照しながら説明した受信機モジュール１２１０および／または１３１０の１つまたは複数の態様の一例であり得る。いくつかの例では、受信機モジュール１４１０は、認可無線周波数スペクトル帯域（たとえば、無線周波数スペクトル帯域が特定の使用のために特定のユーザ（たとえば、ＬＴＥ／ＬＴＥ−Ａユーザ）に認可されているので、装置がそれのためにアクセスを求めて競合しない無線周波数スペクトル帯域）、ならびに／あるいは無認可無線周波数スペクトル帯域（たとえば、無線周波数スペクトル帯域が少なくとも部分的に無認可使用（たとえば、Ｗｉ−Ｆｉ使用および／または無認可ＬＴＥ／ＬＴＥ−Ａ使用）のために利用可能であるので、装置がそれのためにアクセスを求めて競合する必要があり得る無線周波数スペクトル帯域）を介して送信を受信するように動作可能な少なくとも１つのＲＦ受信機など、少なくとも１つのＲＦ受信機を含み得る。いくつかの例では、認可無線周波数スペクトル帯域および／または無認可無線周波数スペクトル帯域は、たとえば、図１、図２、図３、図４、図５、図６、図７、および／または図８を参照しながら説明したように、ＬＴＥ／ＬＴＥ−Ａ通信のために使用され得る。受信機モジュール１４１０は、場合によっては、認可無線周波数スペクトル帯域および無認可無線周波数スペクトル帯域のための別個の受信機を含み得る。別個の受信機は、いくつかの例では、認可無線周波数スペクトル帯域を介して通信するための認可ＬＴＥ／ＬＴＥ−Ａ  ＲＦスペクトル帯域受信機モジュール１４１２、および無認可無線周波数スペクトル帯域を介して通信するための無認可ＬＴＥ／ＬＴＥ−Ａ  ＲＦスペクトル帯域受信機モジュール１４１４の形態をとり得る。いくつかの例では、受信機モジュール１４１０はまた、Ｗｉ−Ｆｉ  ＲＦスペクトル帯域受信機モジュール１４１６を含み得る。装置１４０５が基地局を含む例では、受信機モジュール１４１０はバックホール受信機モジュール１４１８を含み得る。認可ＬＴＥ／ＬＴＥ−Ａ  ＲＦスペクトル帯域受信機モジュール１４１２、無認可ＬＴＥ／ＬＴＥ−Ａ  ＲＦスペクトル帯域受信機モジュール１４１４、Ｗｉ−Ｆｉ  ＲＦスペクトル帯域受信機モジュール１４１６、および／またはバックホール受信機モジュール１４１８を含む、受信機モジュール１４１０は、図１および／または図２を参照しながら説明したワイヤレス通信システム１００および／または２００の１つまたは複数の通信リンクおよび／またはバックホールリンクなど、ワイヤレス通信システムの１つまたは複数の通信リンクおよび／またはバックホールリンクを介して様々なタイプのデータおよび／または制御信号（すなわち、送信）を受信するために使用され得る。通信リンクおよび／またはバックホールリンクは、認可無線周波数スペクトル帯域および／または無認可無線周波数スペクトル帯域を介して（ならびに／あるいは、たとえば、図１を参照しながら説明したコアネットワーク１３０などのコアネットワークとの、１つまたは複数のワイヤードまたはワイヤレス接続を介して）確立され得る。
【０１５３】
[0162]いくつかの例では、送信機モジュール１４３０は、図１２および／または図１３を参照しながら説明した送信機モジュール１２３０および／または１３３０の１つまたは複数の態様の一例であり得る。いくつかの例では、送信機モジュール１４３０は、認可無線周波数スペクトル帯域および／または無認可無線周波数スペクトル帯域を介して送信するように動作可能な少なくとも１つのＲＦ送信機など、少なくとも１つのＲＦ送信機を含み得る。送信機モジュール１４３０は、場合によっては、認可無線周波数スペクトル帯域および無認可無線周波数スペクトル帯域のための別個の送信機を含み得る。別個の送信機は、いくつかの例では、認可無線周波数スペクトル帯域を介して通信するための認可ＬＴＥ／ＬＴＥ−Ａ  ＲＦスペクトル帯域送信機モジュール１４３２、および無認可無線周波数スペクトル帯域を介して通信するための無認可ＬＴＥ／ＬＴＥ−Ａ  ＲＦスペクトル帯域送信機モジュール１４３４の形態をとり得る。いくつかの例では、送信機モジュール１４３０はまた、Ｗｉ−Ｆｉ  ＲＦスペクトル帯域送信機モジュール１４３６を含み得る。装置１４０５が基地局を含む例では、送信機モジュール１４３０はバックホール送信機モジュール１４３８を含み得る。認可ＬＴＥ／ＬＴＥ−Ａ  ＲＦスペクトル帯域送信機モジュール１４３２、無認可ＬＴＥ／ＬＴＥ−Ａ  ＲＦスペクトル帯域送信機モジュール１４３４、Ｗｉ−Ｆｉ  ＲＦスペクトル帯域送信機モジュール１４３６、および／またはバックホール送信機モジュール１４３８を含む、送信機モジュール１４３０は、図１および／または図２を参照しながら説明したワイヤレス通信システム１００および／または２００の１つまたは複数の通信リンクおよび／またはバックホールリンクなど、ワイヤレス通信システムの１つまたは複数の通信リンクおよび／またはバックホールリンクを介して様々なタイプのデータおよび／または制御信号（すなわち、送信）を送信するために使用され得る。通信リンクおよび／またはバックホールリンクは、認可無線周波数スペクトル帯域および／または無認可無線周波数スペクトル帯域を介して（ならびに／あるいは、たとえば、図１を参照しながら説明したコアネットワーク１３０などのコアネットワークとの、１つまたは複数のワイヤードまたはワイヤレス接続を介して）確立され得る。
【０１５４】
[0163]いくつかの例では、ワイヤレス通信管理モジュール１４２０は、図１２および／または図１３を参照しながら説明したワイヤレス通信管理モジュール１２２０および／または１３２０の１つまたは複数の態様の一例であり得る。ワイヤレス通信管理モジュール１４２０は、緊急データ送信管理モジュール１４３５、ＣＥＴモジュール１４５０、ＣＣＡモジュール１４５５、および／またはデータ送信モジュール１４６０を含み得る。これらの構成要素の各々は互いに通信していることがある。
【０１５５】
[0164]いくつかの例では、緊急データ送信管理モジュール１４３５は、図１２および／または図１３を参照しながら説明した緊急データ送信管理モジュール１２３５および／または１３３５の一例であり得る。いくつかの例では、緊急データ送信管理モジュール１４３５は、事業者の展開において第１の事業者に関連する第１のノードが無認可無線周波数スペクトル帯域を介して送信すべき緊急データを有するかどうかを決定するために使用され得る。いくつかの例では、第１のノードは、装置１４０５または装置１４０５を含む装置であり得る。
【０１５６】
[0165]いくつかの例では、緊急データ送信管理モジュール１４３５は、緊急データ協調モジュール１４４０および／またはＬＢＴ譲歩パラメータ調整モジュール１４４５を含み得る。いくつかの例では、緊急データ協調モジュール１４４０は、事業者の展開において１つの他の事業者に関連する少なくとも１つの他のノードが無認可無線周波数スペクトル帯域を介して送信すべき緊急データを有するかどうかを決定するために使用され得る。いくつかの例では、事業者の展開において別の事業者に関連するノードが無認可無線周波数スペクトル帯域を介して送信すべき緊急データを有すると決定することは、別の事業者に関連するノードから信号を受信することを含み得る。別の事業者に関連するノードから受信される信号は、別の事業者に関連するノードが送信すべき緊急データを有するという指示を含み得る。
【０１５７】
[0166]いくつかの例では、ＬＢＴ譲歩パラメータ調整モジュール１４４５は、第１のノードのＬＢＴ譲歩パラメータを調整するために使用され得る。無認可無線周波数スペクトル帯域を介して送信すべき緊急データを有する事業者の展開における別の事業者のノードがないと緊急データ協調モジュール１４４０が決定したとき、ＬＢＴ譲歩パラメータ調整モジュール１４４５は、第１のノードが送信すべき緊急データを有するという緊急データ送信管理モジュール１４３５による決定に応答して、第１のノードのＬＢＴ譲歩パラメータを調整するために使用され得る。事業者の展開において別の事業者に関連するノード（たとえば、第２の事業者に関連する第２のノード）が無認可無線周波数スペクトル帯域を介した送信すべき緊急データを有すると緊急データ協調モジュール１４４０が決定したとき、ＬＢＴ譲歩パラメータ調整モジュール１４４５は、第１のノードが送信すべき緊急データを有するという決定に応答して、および無認可無線周波数スペクトル帯域を介して送信すべき緊急データを有する事業者の展開における事業者の総数に基づいて、第１のノードのＬＢＴ譲歩パラメータを調整すべきかどうかを決定し得る（および指示されたとき、ＬＢＴ譲歩パラメータを調整し得る）。
【０１５８】
[0167]いくつかの例では、ＬＢＴ譲歩パラメータ調整モジュール１４４５によって調整されるＬＢＴ譲歩パラメータは、第１のＬＢＴ譲歩パラメータまたは第２のＬＢＴ譲歩パラメータのうちの１つを含み得る。第１のＬＢＴ譲歩パラメータ（たとえば、Ｎ／ＫプロトコルのＮパラメータ）は、無認可無線周波数スペクトル帯域へのアクセスを譲歩するように事業者の展開において第１のノードをトリガする連続フレームの数を定義し得、第２のＬＢＴ譲歩パラメータ（たとえば、Ｎ／ＫプロトコルのＫパラメータ）は、第１のＬＢＴ譲歩パラメータによって定義される数の連続フレームの送信に続いて第１のノードが無認可無線周波数スペクトル帯域へのアクセスをその間に譲歩する連続フレームの数を定義し得る。いくつかの例では、ＬＢＴ譲歩パラメータを調整することは、第１のＬＢＴ譲歩パラメータをデフォルト値から増加させることを含み得る。いくつかの例では、ＬＢＴ譲歩パラメータを調整することは、第２のＬＢＴ譲歩パラメータをデフォルト値から減少させることを含み得る。いくつかの例では、第２のＬＢＴ譲歩パラメータをデフォルト値から減少させることは、第１のノードが送信すべき緊急データを有する間に第２のＬＢＴ譲歩パラメータを０に設定することを含み得る。いくつかの例では、ＬＢＴ譲歩パラメータを調整することは、第１のＬＢＴ譲歩パラメータと第２のＬＢＴ譲歩パラメータの両方を調整することを含み得る。
【０１５９】
[0168]いくつかの例では、第１のノードの調整されたＬＢＴ譲歩パラメータは、送信すべき緊急データを有しないノードによって使用される対応するＬＢＴ譲歩パラメータとは異なり得る。
【０１６０】
[0169]いくつかの例では、ＬＢＴ譲歩パラメータ調整モジュール１４４５は、事業者の展開において第２の事業者に関連する第２のノードが無認可無線周波数スペクトル帯域を介して送信すべき緊急データを有すると決定し得る。これらの例では、ＬＢＴ譲歩パラメータを調整することは、第１のノードのＬＢＴ譲歩パラメータを第２のノードの対応するＬＢＴ譲歩パラメータにマッチングすることを含み得る。
【０１６１】
[0170]いくつかの例では、ＬＢＴ譲歩パラメータ調整モジュール１４４５は、第１のノードによる緊急データの送信に続いてＬＢＴ譲歩パラメータを元の値（たとえば、デフォルト値）に戻すために使用され得る。
【０１６２】
[0171]いくつかの例では、ＣＥＴモジュール１４５０は、図１２および／または図１３を参照しながら説明したＣＥＴモジュール１２４０および／または１３５０の一例であり得る。いくつかの例では、ＣＥＴモジュール１４５０は、無認可無線周波数スペクトル帯域を介してＣＥＴを送信するために使用され得る。いくつかの例では、第１のノードが送信すべき緊急データを有することを示す信号は、ＣＥＴ送信を使用して送信される。これらの例では、信号はまた、第１のノードによる緊急データの送信の最大時間スパンの指示を含み得る。
【０１６３】
[0172]いくつかの例では、ＣＣＡモジュール１４５５は、第１のノードのＣＣＡ機会においてＣＣＡを実施するために使用され得る。ＣＣＡは、無認可無線周波数スペクトル帯域の少なくとも１つのチャネルのフレームへのアクセスを求めて競合するために実施され得る。いくつかの例では、緊急データは、成功したＣＣＡが実施される無認可無線周波数スペクトル帯域の１つまたは複数のフレームにおいてのみ送信され得る。ＣＣＡが成功しないとき、または緊急データが複数のフレームを介して送信される必要があるとき、ＣＣＡは１つまたは複数の後続フレームについて実施され得る。
【０１６４】
[0173]いくつかの例では、データ送信モジュール１４６０は、無認可無線周波数スペクトル帯域を介して緊急データを送信するために使用され得る。いくつかの例では、緊急データは、ＣＣＡモジュール１４５５によって実施される少なくとも１つのＣＣＡが成功する無認可無線周波数スペクトル帯域の１つまたは複数のフレームにおいてのみ送信され得る。いくつかの例では、緊急データの一部分のみがフレーム中で送信され得る。他の例では、緊急データのすべてがフレーム中で送信され得る。いくつかの例では、緊急データはＭＢＭＳおよび／またはユニキャストを介して送信され得る。
【０１６５】
[0174]図１５は、本開示の様々な態様による、ワイヤレス通信において使用するための装置１５０５のブロック図１５００を示す。いくつかの例では、装置１５０５は、図１および／または図２を参照しながら説明した基地局１０５、２０５、および／または２０５−ａのうちの１つまたは複数の態様の一例、図１および／または図２を参照しながら説明したＵＥ１１５、２１５、２１５−ａ、２１５−ｂ、および／または２１５−ｃのうちの１つまたは複数の態様の一例、ならびに／あるいは図１２および／または図１３を参照しながら説明した装置１２０５および／または１３０５のうちの１つまたは複数の態様の一例であり得る。装置１５０５は、いくつかの例では、ＬＴＥ／ＬＴＥ−Ａ互換基地局またはＵＥを含み得る。装置１５０５はまた、プロセッサであり得る。装置１５０５は、受信機モジュール１５１０、ワイヤレス通信管理モジュール１５２０、および／または送信機モジュール１５３０を含み得る。これらの構成要素の各々は互いに通信していることがある。
【０１６６】
[0175]装置１５０５の構成要素は、ハードウェアにおいて適用可能な機能の一部または全部を実施するように適応された１つまたは複数のＡＳＩＣを使用して、個々にまたは集合的に実装され得る。代替的に、機能は、１つまたは複数の他の処理ユニット（またはコア）によって、１つまたは複数の集積回路上で実施され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に具体化された命令を用いて実装され得る。
【０１６７】
[0176]いくつかの例では、受信機モジュール１５１０は、図１２および／または図１３を参照しながら説明した受信機モジュール１２１０および／または１３１０の１つまたは複数の態様の一例であり得る。いくつかの例では、受信機モジュール１５１０は、認可無線周波数スペクトル帯域（たとえば、無線周波数スペクトル帯域が特定の使用のために特定のユーザ（たとえば、ＬＴＥ／ＬＴＥ−Ａユーザ）に認可されているので、装置がそれのためにアクセスを求めて競合しない無線周波数スペクトル帯域）、ならびに／あるいは無認可無線周波数スペクトル帯域（たとえば、無線周波数スペクトル帯域が少なくとも部分的に無認可使用（たとえば、Ｗｉ−Ｆｉ使用および／または無認可ＬＴＥ／ＬＴＥ−Ａ使用）のために利用可能であるので、装置がそれのためにアクセスを求めて競合する必要があり得る無線周波数スペクトル帯域）を介して送信を受信するように動作可能な少なくとも１つのＲＦ受信機など、少なくとも１つのＲＦ受信機を含み得る。いくつかの例では、認可無線周波数スペクトル帯域および／または無認可無線周波数スペクトル帯域は、たとえば、図１、図２、図３、図４、図５、図６、図７、および／または図８を参照しながら説明したように、ＬＴＥ／ＬＴＥ−Ａ通信のために使用され得る。受信機モジュール１５１０は、場合によっては、認可無線周波数スペクトル帯域および無認可無線周波数スペクトル帯域のための別個の受信機を含み得る。別個の受信機は、いくつかの例では、認可無線周波数スペクトル帯域を介して通信するための認可ＬＴＥ／ＬＴＥ−Ａ  ＲＦスペクトル帯域受信機モジュール１５１２、および無認可無線周波数スペクトル帯域を介して通信するための無認可ＬＴＥ／ＬＴＥ−Ａ  ＲＦスペクトル帯域受信機モジュール１５１４の形態をとり得る。いくつかの例では、受信機モジュール１５１０はまた、Ｗｉ−Ｆｉ  ＲＦスペクトル帯域受信機モジュール１５１６を含み得る。装置１５０５が基地局を含む例では、受信機モジュール１５１０はバックホール受信機モジュール１５１８を含み得る。認可ＬＴＥ／ＬＴＥ−Ａ  ＲＦスペクトル帯域受信機モジュール１５１２、無認可ＬＴＥ／ＬＴＥ−Ａ  ＲＦスペクトル帯域受信機モジュール１５１４、Ｗｉ−Ｆｉ  ＲＦスペクトル帯域受信機モジュール１５１６、および／またはバックホール受信機モジュール１５１８を含む、受信機モジュール１５１０は、図１および／または図２を参照しながら説明したワイヤレス通信システム１００および／または２００の１つまたは複数の通信リンクおよび／またはバックホールリンクなど、ワイヤレス通信システムの１つまたは複数の通信リンクおよび／またはバックホールリンクを介して様々なタイプのデータおよび／または制御信号（すなわち、送信）を受信するために使用され得る。通信リンクおよび／またはバックホールリンクは、認可無線周波数スペクトル帯域および／または無認可無線周波数スペクトル帯域を介して（ならびに／あるいは、たとえば、図１を参照しながら説明したコアネットワーク１３０などのコアネットワークとの、１つまたは複数のワイヤードまたはワイヤレス接続を介して）確立され得る。
【０１６８】
[0177]いくつかの例では、送信機モジュール１５３０は、図１２および／または図１３を参照しながら説明した送信機モジュール１２３０および／または１３３０の１つまたは複数の態様の一例であり得る。いくつかの例では、送信機モジュール１５３０は、認可無線周波数スペクトル帯域および／または無認可無線周波数スペクトル帯域を介して送信するように動作可能な少なくとも１つのＲＦ送信機など、少なくとも１つのＲＦ送信機を含み得る。送信機モジュール１５３０は、場合によっては、認可無線周波数スペクトル帯域および無認可無線周波数スペクトル帯域のための別個の送信機を含み得る。別個の送信機は、いくつかの例では、認可無線周波数スペクトル帯域を介して通信するための認可ＬＴＥ／ＬＴＥ−Ａ  ＲＦスペクトル帯域送信機モジュール１５３２、および無認可無線周波数スペクトル帯域を介して通信するための無認可ＬＴＥ／ＬＴＥ−Ａ  ＲＦスペクトル帯域送信機モジュール１５３４の形態をとり得る。いくつかの例では、送信機モジュール１５３０はまた、Ｗｉ−Ｆｉ  ＲＦスペクトル帯域送信機モジュール１５３６を含み得る。装置１５０５が基地局を含む例では、送信機モジュール１５３０はバックホール送信機モジュール１５３８を含み得る。認可ＬＴＥ／ＬＴＥ−Ａ  ＲＦスペクトル帯域送信機モジュール１５３２、無認可ＬＴＥ／ＬＴＥ−Ａ  ＲＦスペクトル帯域送信機モジュール１５３４、Ｗｉ−Ｆｉ  ＲＦスペクトル帯域送信機モジュール１５３６、および／またはバックホール送信機モジュール１５３８を含む、送信機モジュール１５３０は、図１および／または図２を参照しながら説明したワイヤレス通信システム１００および／または２００の１つまたは複数の通信リンクおよび／またはバックホールリンクなど、ワイヤレス通信システムの１つまたは複数の通信リンクおよび／またはバックホールリンクを介して様々なタイプのデータおよび／または制御信号（すなわち、送信）を送信するために使用され得る。通信リンクおよび／またはバックホールリンクは、認可無線周波数スペクトル帯域および／または無認可無線周波数スペクトル帯域を介して（ならびに／あるいは、たとえば、図１を参照しながら説明したコアネットワーク１３０などのコアネットワークとの、１つまたは複数のワイヤードまたはワイヤレス接続を介して）確立され得る。
【０１６９】
[0178]いくつかの例では、ワイヤレス通信管理モジュール１５２０は、図１２および／または図１３を参照しながら説明したワイヤレス通信管理モジュール１２２０および／または１３２０の１つまたは複数の態様の一例であり得る。ワイヤレス通信管理モジュール１５２０は、緊急データ送信管理モジュール１５３５、ＣＥＴモジュール１５５５、ＣＣＡモジュール１５６０、および／またはデータ送信モジュール１５６５を含み得る。これらの構成要素の各々は互いに通信していることがある。
【０１７０】
[0179]いくつかの例では、緊急データ送信管理モジュール１５３５は、図１２および／または図１３を参照しながら説明した緊急データ送信管理モジュール１２３５および／または１３３５の一例であり得る。いくつかの例では、緊急データ送信管理モジュール１５３５は、事業者の展開において第１の事業者に関連する第１のノードが無認可無線周波数スペクトル帯域を介して送信すべき緊急データを有するかどうかを決定するために使用され得る。いくつかの例では、第１のノードは、装置１５０５または装置１５０５を含む装置であり得る。
【０１７１】
[0180]いくつかの例では、緊急データ送信管理モジュール１５３５は、緊急データ協調モジュール１５４０、ＣＣＡ機会調整モジュール１５４５、および／またはＣＣＡ機会協調モジュール１５５０を含み得る。いくつかの例では、緊急データ協調モジュール１５４０は、事業者の展開において１つの他の事業者に関連する少なくとも１つの他のノードが無認可無線周波数スペクトル帯域を介して送信すべき緊急データを有するかどうかを決定するために使用され得る。いくつかの例では、事業者の展開において別の事業者に関連するノードが無認可無線周波数スペクトル帯域を介して送信すべき緊急データを有すると決定することは、別の事業者に関連するノードから信号を受信することを含み得る。別の事業者に関連するノードから受信される信号は、別の事業者に関連するノードが送信すべき緊急データを有するという指示を含み得る。
【０１７２】
[0181]いくつかの例では、ＣＣＡ機会調整モジュール１５４５は、第１のノードのＣＣＡ機会を調整するために使用され得る。無認可無線周波数スペクトル帯域を介して送信すべき緊急データを有する事業者の展開における別の事業者のノードがないと緊急データ協調モジュール１５４０が決定したとき、ＣＣＡ機会調整モジュール１５４５は、第１のノードが送信すべき緊急データを有するという緊急データ送信管理モジュール１５３５による決定に応答して、第１のノードのＣＣＡ機会を調整するために使用され得る。事業者の展開において別の事業者に関連するノード（たとえば、第２の事業者に関連する第２のノード）が無認可無線周波数スペクトル帯域を介した送信すべき緊急データを有すると緊急データ協調モジュール１５４０が決定したとき、ＣＣＡ機会調整モジュール１５４５は、第１のノードが送信すべき緊急データを有するという決定に応答して、および無認可無線周波数スペクトル帯域を介して送信すべき緊急データを有する事業者の展開における事業者の総数に基づいて、第１のノードのＣＣＡ機会を調整すべきかどうかを決定し得る（および指示されたとき、ＣＣＡ機会を調整し得る）。
【０１７３】
[0182]いくつかの例では、緊急データ協調モジュール１５４０は、事業者の展開において第２の事業者に関連する第２のノードが無認可無線周波数スペクトル帯域を介して送信すべき緊急データを有すると決定し得る。これらの例では、ＣＣＡ機会調整モジュール１５４５は、第１のノードと第２のノードの両方が送信すべき緊急データを有する各フレームについてフレームごとに第１のノードと第２のノードとの間で、最も早いＣＣＡ機会へのアクセスを循環させ得る。事業者の展開における他の事業者の他のノードも無認可無線周波数スペクトル帯域を介して送信すべき緊急データを有すると緊急データ協調モジュール１５４０が決定したとき、ＣＣＡ機会調整モジュール１５４５はまた、他の事業者のこれらの他のノード間で、最も早いＣＣＡ機会へのアクセスを循環させ得る。
【０１７４】
[0183]いくつかの例では、第１のノードの調整されたＣＣＡ機会は、第２のノードのデフォルトＣＣＡ機会と衝突し、それをプリエンプトし得る。これらの例では、第２のノードが無認可無線周波数スペクトル帯域を介して送信すべき緊急データを有しないと仮定すると、ＣＣＡ機会協調モジュール１５５０は、第１のノードのデフォルトＣＣＡ機会を第２のノードに放棄し得る。
【０１７５】
[0184]いくつかの例では、ＣＥＴモジュール１５５５は、図１２および／または図１３を参照しながら説明したＣＥＴモジュール１２４０および／または１３５０の一例であり得る。いくつかの例では、ＣＥＴモジュール１５５５は、無認可無線周波数スペクトル帯域を介してＣＥＴを送信するために使用され得る。いくつかの例では、第１のノードが送信すべき緊急データを有することを示す信号は、ＣＥＴ送信を使用して送信される。これらの例では、信号はまた、第１のノードによる緊急データの送信の最大時間スパンの指示を含み得る。
【０１７６】
[0185]いくつかの例では、ＣＣＡモジュール１５６０は、ＣＣＡ機会調整モジュール１５４５によって行われた調整がもしあればその調整に応じて、第１のノードの調整されたＣＣＡ機会またはデフォルトＣＣＡ機会のいずれかにおいてＣＣＡを実施するために使用され得る。ＣＣＡは、無認可無線周波数スペクトル帯域の少なくとも１つのチャネルのフレームへのアクセスを求めて競合するために実施され得る。いくつかの例では、緊急データは、成功したＣＣＡが実施される無認可無線周波数スペクトル帯域の１つまたは複数のフレームにおいてのみ送信され得る。ＣＣＡが成功しないとき、または緊急データが複数のフレームを介して送信される必要があるとき、ＣＣＡは１つまたは複数の後続フレームについて実施され得る。
【０１７７】
[0186]いくつかの例では、データ送信モジュール１５６５は、無認可無線周波数スペクトル帯域を介して緊急データを送信するために使用され得る。いくつかの例では、緊急データは、ＣＣＡモジュール１５６０によって実施される少なくとも１つのＣＣＡが成功する無認可無線周波数スペクトル帯域の１つまたは複数のフレームにおいて（たとえば、調整されたＣＣＡ機会またはデフォルトＣＣＡ機会におけるＣＣＡの成功した実施に続くフレーム中に）のみ送信され得る。いくつかの例では、緊急データの一部分のみがフレーム中で送信され得る。他の例では、緊急データのすべてがフレーム中で送信され得る。いくつかの例では、緊急データはＭＢＭＳおよび／またはユニキャストを介して送信され得る。
【０１７８】
[0187]装置１５０５のいくつかの例では、緊急データ送信管理モジュール１５３５は、緊急データが送信を完了するまで、調整されたＣＣＡ機会に続くフレームにおいてすべての利用可能な送信リソースを緊急データの送信に割り振り得る。
【０１７９】
[0188]装置１５０５のいくつかの例では、データ送信モジュール１５６５は、サブキャリアのサブセットを介して第１のノードによって緊急データを送信し得る。サブキャリアのサブセットは、第１のノードの第１の事業者に基づいて決定され得る。
【０１８０】
[0189]装置１５０５のいくつかの例では、ＣＣＡモジュール１５６０は、少なくとも第２の事業者に関連する第２のノードと同時にＣＣＡを実施し得、ここで、第２のノードは送信すべき緊急データを有する。
【０１８１】
[0190]装置１５０５のいくつかの例では、ＣＣＡモジュール１５６０は、少なくとも第２の事業者に関連する第２のノードと同時にＣＣＡを実施し得、ここで、第２のノードは送信すべき非緊急データを有し、およびここで、第２のノードのデフォルトＣＣＡ機会は、第１のノードの調整されたＣＣＡ機会と衝突する。これらの例のいくつかでは、データ送信モジュール１５６５は、第１の事業者と第２の事業者とを含むジョイントＭＢＭＳを介して緊急データを送信し得る。いくつかの例では、緊急データ送信管理モジュール１５３５は、第１のノードと第２のノードとが送信すべき同じ緊急データを有するという決定に応答して、ジョイントＭＢＭＳを形成し得る。いくつかの例では、データ送信モジュール１５６５は、第１のノードと第２のノードとの間のＣｏＭＰ動作に従って緊急データを送信し得る。
【０１８２】
[0191]図１６は、本開示の様々な態様による、ワイヤレス通信において使用するための装置１６０５のブロック図１６００を示す。いくつかの例では、装置１６０５は、図１および／または図２を参照しながら説明した基地局１０５、２０５、および／または２０５−ａのうちの１つまたは複数の態様の一例であり得る。装置１６０５は、いくつかの例では、ＬＴＥ／ＬＴＥ−Ａ互換基地局を含み得る。装置１６０５はまた、プロセッサであり得る。装置１６０５は、受信機モジュール１６１０、ワイヤレス通信管理モジュール１６２０、および／または送信機モジュール１６３０を含み得る。これらの構成要素の各々は互いに通信していることがある。
【０１８３】
[0192]装置１６０５の構成要素は、ハードウェアにおいて適用可能な機能の一部または全部を実施するように適応された１つまたは複数のＡＳＩＣを使用して、個々にまたは集合的に実装され得る。代替的に、機能は、１つまたは複数の他の処理ユニット（またはコア）によって、１つまたは複数の集積回路上で実施され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に具体化された命令を用いて実装され得る。
【０１８４】
[0193]いくつかの例では、受信機モジュール１６１０は、認可無線周波数スペクトル帯域（たとえば、無線周波数スペクトル帯域が特定の使用のために特定のユーザ（たとえば、ＬＴＥ／ＬＴＥ−Ａユーザ）に認可されているので、装置がそれのためにアクセスを求めて競合しない無線周波数スペクトル帯域）、ならびに／あるいは無認可無線周波数スペクトル帯域（たとえば、無線周波数スペクトル帯域が少なくとも部分的に無認可使用（たとえば、Ｗｉ−Ｆｉ使用および／または無認可ＬＴＥ／ＬＴＥ−Ａ使用）のために利用可能であるので、装置がそれのためにアクセスを求めて競合する必要があり得る無線周波数スペクトル帯域）を介して送信を受信するように動作可能な少なくとも１つのＲＦ受信機など、少なくとも１つのＲＦ受信機を含み得る。いくつかの例では、認可無線周波数スペクトル帯域および／または無認可無線周波数スペクトル帯域は、たとえば、図１、図２、図３、図４、図５、図６、図７、および／または図８を参照しながら説明したように、ＬＴＥ／ＬＴＥ−Ａ通信のために使用され得る。受信機モジュール１６１０は、場合によっては、認可無線周波数スペクトル帯域および無認可無線周波数スペクトル帯域のための別個の受信機を含み得る。別個の受信機は、いくつかの例では、認可無線周波数スペクトル帯域を介して通信するための認可ＬＴＥ／ＬＴＥ−Ａ  ＲＦスペクトル帯域受信機モジュール１６１２、および無認可無線周波数スペクトル帯域を介して通信するための無認可ＬＴＥ／ＬＴＥ−Ａ  ＲＦスペクトル帯域受信機モジュール１６１４の形態をとり得る。いくつかの例では、受信機モジュール１６１０はまた、Ｗｉ−Ｆｉ  ＲＦスペクトル帯域受信機モジュール１６１６を含み得る。装置１６０５が基地局を含む例では、受信機モジュール１６１０はバックホール受信機モジュール１６１８を含み得る。認可ＬＴＥ／ＬＴＥ−Ａ  ＲＦスペクトル帯域受信機モジュール１６１２、無認可ＬＴＥ／ＬＴＥ−Ａ  ＲＦスペクトル帯域受信機モジュール１６１４、Ｗｉ−Ｆｉ  ＲＦスペクトル帯域受信機モジュール１６１６、および／またはバックホール受信機モジュール１６１８を含む、受信機モジュール１６１０は、図１および／または図２を参照しながら説明したワイヤレス通信システム１００および／または２００の１つまたは複数の通信リンクおよび／またはバックホールリンクなど、ワイヤレス通信システムの１つまたは複数の通信リンクおよび／またはバックホールリンクを介して様々なタイプのデータおよび／または制御信号（すなわち、送信）を受信するために使用され得る。通信リンクおよび／またはバックホールリンクは、認可無線周波数スペクトル帯域および／または無認可無線周波数スペクトル帯域を介して（ならびに／あるいは、たとえば、図１を参照しながら説明したコアネットワーク１３０などのコアネットワークとの、１つまたは複数のワイヤードまたはワイヤレス接続を介して）確立され得る。
【０１８５】
[0194]いくつかの例では、送信機モジュール１６３０は、認可無線周波数スペクトル帯域および／または無認可無線周波数スペクトル帯域を介して送信するように動作可能な少なくとも１つのＲＦ送信機など、少なくとも１つのＲＦ送信機を含み得る。送信機モジュール１６３０は、場合によっては、認可無線周波数スペクトル帯域および無認可無線周波数スペクトル帯域のための別個の送信機を含み得る。別個の送信機は、いくつかの例では、認可無線周波数スペクトル帯域を介して通信するための認可ＬＴＥ／ＬＴＥ−Ａ  ＲＦスペクトル帯域送信機モジュール１６３２、および無認可無線周波数スペクトル帯域を介して通信するための無認可ＬＴＥ／ＬＴＥ−Ａ  ＲＦスペクトル帯域送信機モジュール１６３４の形態をとり得る。いくつかの例では、送信機モジュール１６３０はまた、Ｗｉ−Ｆｉ  ＲＦスペクトル帯域送信機モジュール１６３６を含み得る。装置１６０５が基地局を含む例では、送信機モジュール１６３０はバックホール送信機モジュール１６３８を含み得る。認可ＬＴＥ／ＬＴＥ−Ａ  ＲＦスペクトル帯域送信機モジュール１６３２、無認可ＬＴＥ／ＬＴＥ−Ａ  ＲＦスペクトル帯域送信機モジュール１６３４、Ｗｉ−Ｆｉ  ＲＦスペクトル帯域送信機モジュール１６３６、および／またはバックホール送信機モジュール１６３８を含む、送信機モジュール１６３０は、図１および／または図２を参照しながら説明したワイヤレス通信システム１００および／または２００の１つまたは複数の通信リンクおよび／またはバックホールリンクなど、ワイヤレス通信システムの１つまたは複数の通信リンクおよび／またはバックホールリンクを介して様々なタイプのデータおよび／または制御信号（すなわち、送信）を送信するために使用され得る。通信リンクおよび／またはバックホールリンクは、認可無線周波数スペクトル帯域および／または無認可無線周波数スペクトル帯域を介して（ならびに／あるいは、たとえば、図１を参照しながら説明したコアネットワーク１３０などのコアネットワークとの、１つまたは複数のワイヤードまたはワイヤレス接続を介して）確立され得る。
【０１８６】
[0195]いくつかの例では、ワイヤレス通信管理モジュール１６２０は、緊急データ通知受信モジュール１６３５および／または緊急データ通知配信モジュール１６４０を含み得る。これらの構成要素の各々は互いに通信していることがある。
【０１８７】
[0196]いくつかの例では、緊急データ通知受信モジュール１６３５は、事業者の展開において第１の事業者に関連する第１の基地局において、ＵＥが無認可無線周波数スペクトル帯域を介して送信すべき緊急アップリンクデータを有することを示すＵＥからのアップリンク送信を受信するために使用され得る。いくつかの例では、アップリンク送信はアップリンク信号の一部であり得、いくつかの例では、アップリンク送信は、信号中に含まれるサウンディング基準信号（ＳＲＳ）、物理ランダムアクセスチャネル（ＰＲＡＣＨ）、チャネル状態情報（ＣＳＩ）、および／またはスケジューリング要求（ＳＲ）中に含まれ得る。いくつかの例では、装置１６０５は第１の基地局を含み得る。いくつかの例では、第１の基地局はＬＴＥ／ＬＴＥ−Ａ互換基地局であり得る。
【０１８８】
[0197]いくつかの例では、緊急データ通知配信モジュール１６４０は、ＵＥが無認可無線周波数スペクトル帯域を介して送信すべき緊急アップリンクデータを有するという指示を第１の基地局から第２の基地局に送信するために使用され得る。いくつかの例では、第２の基地局はＬＴＥ／ＬＴＥ−Ａ互換基地局であり得る。いくつかの例では、第２の基地局に送信される指示は、ダウンリンク信号および／またはＬＢＴバーストの開始における送信を含み得る。
【０１８９】
[0198]ＵＥが送信すべき緊急アップリンクデータを有することを示すＵＥからのアップリンク送信と、ＵＥが送信すべき緊急データを有することを示す第１の基地局から第２の基地局に送信される指示とに応じて、第１の基地局と第２の基地局とに関連するＵＥは、それに応じてそれらのそれぞれのＣＣＡ機会を調整し得る。たとえば、第１の基地局がそれ自体の信号においてアップリンク緊急指示を設定するが、（たとえば、第２の基地局およびそれのＵＥは送信すべき緊急データを有しないので）第２の基地局はそうしない場合、第１の基地局に関連するＵＥは、それらが送信すべき緊急データを有する場合、それらのデフォルトＣＣＡ機会をオーバーライドし、それらのＣＣＡ機会を最も早いＣＣＡ機会に設定し得るが、第２の基地局に関連するＵＥは、それらのデフォルトＣＣＡ機会が、第１の基地局に関連するＵＥの調整されたＣＣＡ機会と衝突する場合、それらのデフォルトＣＣＡ機会を譲歩し得る。また、第２の基地局に関連するＵＥは、それらのデフォルトＣＣＡ機会を、第１の基地局に関連するＵＥに放棄し得る。
【０１９０】
[0199]図１７に、本開示の様々な態様による、ワイヤレス通信において使用するための基地局１７０５（たとえば、ｅＮＢの一部または全部を形成する基地局）のブロック図１７００を示す。いくつかの例では、基地局１７０５は、図１および／または図２を参照しながら説明した基地局１０５、２０５、および／または２０５−ａのうちの１つまたは複数の態様、ならびに／あるいは基地局として構成されたときの図１２、図１３、図１４、図１５、および／または図１６を参照しながら説明した装置１２０５、１３０５、１４０５、１５０５、および／または１６０５のうちの１つまたは複数の態様の一例であり得る。基地局１７０５は、図１、図２、図３、図４、図５、図６、図７、図８、図９、図１０、図１１、図１２、図１３、図１４、図１５、および／または図１６を参照しながら説明したアクセスポイントおよび／または装置の特徴および機能の少なくともいくつかを実装または可能にするように構成され得る。
【０１９１】
[0200]基地局１７０５は、基地局プロセッサモジュール１７１０、基地局メモリモジュール１７２０、（基地局トランシーバモジュール１７５０によって表される）少なくとも１つの基地局トランシーバモジュール、（基地局アンテナ１７５５によって表される）少なくとも１つの基地局アンテナ、および／または基地局ワイヤレス通信管理モジュール１７６０を含み得る。基地局１７０５はまた、基地局通信モジュール１７３０および／またはネットワーク通信モジュール１７４０のうちの１つまたは複数を含み得る。これらの構成要素の各々は、１つまたは複数のバス１７３５を介して直接または間接的に互いに通信していることがある。
【０１９２】
[0201]基地局メモリモジュール１７２０は、ランダムアクセスメモリ（ＲＡＭ）および／または読取り専用メモリ（ＲＯＭ）を含み得る。基地局メモリモジュール１７２０は、実行されたとき、ワイヤレス通信に関係する本明細書で説明する様々な機能（たとえば、緊急データが送信される必要があることを示すこと、緊急データを送信することなどに関係する機能）を基地局プロセッサモジュール１７１０に実施させるように構成された命令を含んでいるコンピュータ可読、コンピュータ実行可能コード１７２５を記憶し得る。代替的に、コード１７２５は、基地局プロセッサモジュール１７１０によって直接的に実行可能でないことがあるが、（たとえば、コンパイルされ実行されたとき）本明細書で説明する様々な機能を基地局１７０５に実施させるように構成され得る。
【０１９３】
[0202]基地局プロセッサモジュール１７１０は、インテリジェントハードウェアデバイス、たとえば、中央処理ユニット（ＣＰＵ）、マイクロコントローラ、ＡＳＩＣなどを含み得る。基地局プロセッサモジュール１７１０は、基地局トランシーバモジュール１７５０、基地局通信モジュール１７３０、および／またはネットワーク通信モジュール１７４０を通して受信された情報を処理し得る。基地局プロセッサモジュール１７１０はまた、アンテナ１７５５を通じた送信のためにトランシーバモジュール１７５０に、１つまたは複数の他の基地局１７０５−ａおよび１７０５−ｂへの送信のために基地局通信モジュール１７３０に、ならびに／または図１を参照しながら説明したコアネットワーク１３０の１つまたは複数の態様の一例であり得るコアネットワーク１７４５への送信のためにネットワーク通信モジュール１７４０に送られるべき情報を処理し得る。基地局プロセッサモジュール１７１０は、単独でまたは基地局ワイヤレス通信管理モジュール１７６０とともに、第１の無線周波数スペクトル帯域（たとえば、ＬＴＥ／ＬＴＥ−Ａ通信のために使用可能な認可無線周波数スペクトル帯域など、無線周波数スペクトル帯域が特定の使用のために特定のユーザに認可されているので、装置がそれのためにアクセスを求めて競合しない無線周波数スペクトル帯域）、ならびに／あるいは第２の無線周波数スペクトル帯域（たとえば、無線周波数スペクトル帯域が少なくとも部分的にＷｉ−Ｆｉ使用および／または無認可ＬＴＥ／ＬＴＥ−Ａ使用などの無認可使用のために利用可能であるので、装置がそれのためにアクセスを求めて競合する必要があり得る無線周波数スペクトル帯域）を介して通信すること（またはその帯域を介した通信を管理すること）の様々な態様を扱い得る。
【０１９４】
[0203]基地局トランシーバモジュール１７５０は、パケットを変調し、変調されたパケットを送信のために基地局アンテナ１７５５に提供し、基地局アンテナ１７５５から受信されたパケットを復調するように構成されたモデムを含み得る。基地局トランシーバモジュール１７５０は、いくつかの例では、１つまたは複数の基地局送信機モジュールおよび１つまたは複数の別個の基地局受信機モジュールとして実装され得る。基地局トランシーバモジュール１７５０は、第１の無線周波数スペクトル帯域および／または第２の無線周波数スペクトル帯域における通信をサポートし得る。基地局トランシーバモジュール１７５０は、図１および／または図２を参照しながら説明したＵＥ１１５、２１５、２１５−ａ、２１５−ｂ、および／または２１５−ｃのうちの１つまたは複数、ならびに／あるいは図１２、図１３、図１４、および／または図１５を参照しながら説明した装置１２０５、１３０５、１４０５、および／または１５０５のうちの１つまたは複数など、１つまたは複数のＵＥまたは装置と、アンテナ１７５５を介して双方向に通信するように構成され得る。基地局１７０５は、たとえば、複数の基地局アンテナ１７５５（たとえば、アンテナアレイ）を含み得る。基地局１７０５は、ネットワーク通信モジュール１７４０を通じてコアネットワーク１７４５と通信し得る。基地局１７０５はまた、基地局通信モジュール１７３０を使用して、基地局１７０５−ａおよび１７０５−ｂなどの他の基地局と通信し得る。
【０１９５】
[0204]基地局ワイヤレス通信管理モジュール１７６０は、第１の無線周波数スペクトル帯域および／または第２の無線周波数スペクトル帯域を介したワイヤレス通信に関係する図１、図２、図３、図４、図５、図６、図７、図８、図９、図１０、図１１、図１２、図１３、図１４、図１５、および／または図１６を参照しながら説明した特徴および／または機能（たとえば、緊急データが送信される必要があることを示すこと、緊急データを送信することなどに関係する機能）の一部または全部を実施および／または制御するように構成され得る。たとえば、基地局ワイヤレス通信管理モジュール１７６０は、第１の無線周波数スペクトル帯域および／または第２の無線周波数スペクトル帯域を使用して補足ダウンリンクモード、キャリアアグリゲーションモード、および／またはスタンドアロンモードをサポートするように構成され得る。基地局ワイヤレス通信管理モジュール１７６０は、第１の無線周波数スペクトル帯域におけるＬＴＥ／ＬＴＥ−Ａ通信を扱うように構成された基地局ＬＴＥ／ＬＴＥ−Ａ認可スペクトルモジュール１７６５と、第２の無線周波数スペクトル帯域におけるＬＴＥ／ＬＴＥ−Ａ通信を扱うように構成された基地局ＬＴＥ／ＬＴＥ−Ａ無認可スペクトルモジュール１７７０とを含み得る。基地局ワイヤレス通信管理モジュール１７６０またはそれの一部は、プロセッサを含み得、ならびに／または、基地局ワイヤレス通信管理モジュール１７６０の機能の一部または全部は、基地局プロセッサモジュール１７１０によって、および／または基地局プロセッサモジュール１７１０に関連して実施され得る。いくつかの例では、基地局ワイヤレス通信管理モジュール１７６０は、図１２、図１３、図１４、図１５、および／または図１６を参照しながら説明したワイヤレス通信管理モジュール１２２０、１３２０、１４２０、１５２０、および／または１６２０の一例であり得る。
【０１９６】
[0205]図１８は、本開示の様々な態様による、ワイヤレス通信において使用するためのＵＥ１８１５のブロック図１８００を示す。ＵＥ１８１５は、様々な構成を有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲームコンソール、電子リーダーなどであるかまたはそれらの一部であり得る。ＵＥ１８１５は、いくつかの例では、モバイル動作を容易にするために、小型バッテリーなどの内部電源（図示せず）を有し得る。いくつかの例では、ＵＥ１８１５は、図１および／または図２を参照しながら説明したＵＥ１１５、２１５、２１５−ａ、２１５−ｂ、および／または２１５−ｃのうちの１つまたは複数の態様、ならびに／あるいは図１２、図１３、図１４、および／または図１５を参照しながら説明した装置１２０５、１３０５、１４０５、および／または１５０５のうちの１つまたは複数の態様の一例であり得る。ＵＥ１８１５は、図１、図２、図３、図４、図５、図６、図７、図８、図９、図１０、図１１、図１２、図１３、図１４、および／または図１５を参照しながら説明したＵＥおよび／または装置の特徴および機能の少なくともいくつかを実装するように構成され得る。
【０１９７】
[0206]ＵＥ１８１５は、ＵＥプロセッサモジュール１８１０、ＵＥメモリモジュール１８２０、（ＵＥトランシーバモジュール１８３０によって表される）少なくとも１つのＵＥトランシーバモジュール、（ＵＥアンテナ１８４０によって表される）少なくとも１つのＵＥアンテナ、および／またはＵＥワイヤレス通信管理モジュール１８６０を含み得る。これらの構成要素の各々は、１つまたは複数のバス１８３５を介して直接または間接的に互いに通信していることがある。
【０１９８】
[0207]ＵＥメモリモジュール１８２０はＲＡＭおよび／またはＲＯＭを含み得る。ＵＥメモリモジュール１８２０は、実行されたとき、ワイヤレス通信に関係する本明細書で説明する様々な機能（たとえば、緊急データが送信される必要があることを示すこと、緊急データを送信することなどに関係する機能）をＵＥプロセッサモジュール１８１０に実施させるように構成された命令を含んでいるコンピュータ可読、コンピュータ実行可能コード１８２５を記憶し得る。代替的に、コード１８２５は、ＵＥプロセッサモジュール１８１０によって直接的に実行可能でないことがあるが、（たとえば、コンパイルされ実行されたとき）本明細書で説明する様々な機能をＵＥ１８１５に実施させるように構成され得る。
【０１９９】
[0208]ＵＥプロセッサモジュール１８１０は、インテリジェントハードウェアデバイス、たとえば、ＣＰＵ、マイクロコントローラ、ＡＳＩＣなどを含み得る。ＵＥプロセッサモジュール１８１０は、ＵＥトランシーバモジュール１８３０を通して受信された情報、および／またはＵＥアンテナ１８４０を通した送信のためにＵＥトランシーバモジュール１８３０に送られるべき情報を処理し得る。ＵＥプロセッサモジュール１８１０は、単独でまたはＵＥワイヤレス通信管理モジュール１８６０とともに、第１の無線周波数スペクトル帯域（たとえば、ＬＴＥ／ＬＴＥ−Ａ通信のために使用可能な認可無線周波数スペクトル帯域など、無線周波数スペクトル帯域が特定の使用のために特定のユーザに認可されているので、装置がそれのためにアクセスを求めて競合しない無線周波数スペクトル帯域）、ならびに／あるいは第２の無線周波数スペクトル帯域（たとえば、無線周波数スペクトル帯域が少なくとも部分的にＷｉ−Ｆｉ使用および／または無認可ＬＴＥ／ＬＴＥ−Ａ使用などの無認可使用のために利用可能であるので、装置がそれのためにアクセスを求めて競合する必要があり得る無線周波数スペクトル帯域）を介して通信すること（またはその帯域を介した通信を管理すること）の様々な態様を扱い得る。
【０２００】
[0209]ＵＥトランシーバモジュール１８３０は、パケットを変調し、変調されたパケットを送信のためにＵＥアンテナ１８４０に提供し、ＵＥアンテナ１８４０から受信されたパケットを復調するように構成されたモデムを含み得る。ＵＥトランシーバモジュール１８３０は、いくつかの例では、１つまたは複数のＵＥ送信機モジュールおよび１つまたは複数の別個のＵＥ受信機モジュールとして実装され得る。ＵＥトランシーバモジュール１８３０は、第１の無線周波数スペクトル帯域および／または第２の無線周波数スペクトル帯域における通信をサポートし得る。ＵＥトランシーバモジュール１８３０は、図１、図２、および／または図１７を参照しながら説明した基地局１０５、２０５、２０５−ａ、および／または１７０５のうちの１つまたは複数、ならびに／あるいは図１２、図１３、図１４、図１５、および／または図１６を参照しながら説明した装置１２０５、１３０５、１４０５、１５０５、および／または１６０５のうちの１つまたは複数と、ＵＥアンテナ１８４０を介して双方向に通信するように構成され得る。ＵＥ１８１５は単一のＵＥアンテナを含み得るが、ＵＥ１８１５が複数のＵＥアンテナ１８４０を含み得る例があり得る。
【０２０１】
[0210]ＵＥ状態モジュール１８５０は、たとえば、ＲＲＣアイドル状態とＲＲＣ接続状態との間のＵＥ１８１５の遷移を管理するために使用され得、１つまたは複数のバス１８３５を介して、直接または間接的に、ＵＥ１８１５の他の構成要素と通信していることがある。ＵＥ状態モジュール１８５０またはそれの部分は、プロセッサを含み得、ならびに／あるいはＵＥ状態モジュール１８５０の機能の一部または全部は、ＵＥプロセッサモジュール１８１０によっておよび／またはＵＥプロセッサモジュール１８１０に関連して実施され得る。
【０２０２】
[0211]ＵＥワイヤレス通信管理モジュール１８６０は、第１の無線周波数スペクトル帯域および／または第２の無線周波数スペクトル帯域を介したワイヤレス通信に関係する図１、図２、図３、図４、図５、図６、図７、図８、図９、図１０、図１１、図１２、図１３、図１４、および／または図１５を参照しながら説明した特徴および／または機能（たとえば、緊急データが送信される必要があることを示すこと、緊急データを送信することなどに関係する機能）の一部または全部を実施および／または制御するように構成され得る。いくつかの例では、ＵＥワイヤレス通信管理モジュール１８６０は、第１のスペクトルおよび／または第２のスペクトルを使用して補足ダウンリンクモード、キャリアアグリゲーションモード、および／またはスタンドアロンモードをサポートするように構成され得る。ＵＥワイヤレス通信管理モジュール１８６０は、第１の無線周波数スペクトル帯域におけるＬＴＥ／ＬＴＥ−Ａ通信を扱うように構成されたＵＥ  ＬＴＥ／ＬＴＥ−Ａ認可スペクトルモジュール１８６５と、第２の無線周波数スペクトル帯域におけるＬＴＥ／ＬＴＥ−Ａ通信を扱うように構成されたＵＥ  ＬＴＥ／ＬＴＥ−Ａ無認可スペクトルモジュール１８７０とを含み得る。ＵＥワイヤレス通信管理モジュール１８６０またはそれの部分は、プロセッサを含み得、ならびに／あるいはＵＥワイヤレス通信管理モジュール１８６０の機能の一部または全部は、ＵＥプロセッサモジュール１８１０によっておよび／またはＵＥプロセッサモジュール１８１０に関連して実施され得る。いくつかの例では、ＵＥワイヤレス通信管理モジュール１８６０は、図１２、図１３、図１４、および／または図１５を参照しながら説明したワイヤレス通信管理モジュール１２２０、１３２０、１４２０、および／または１５２０の一例であり得る。
【０２０３】
[0212]図１９は、本開示の様々な態様による、ワイヤレス通信のための方法１９００の一例を示すフローチャートである。明快のために、方法１９００について、図１、図２、および／または図１７を参照しながら説明した基地局１０５、２０５、２０５−ａ、および／または１７０５のうちの１つまたは複数の態様、図１、図２、および／または図１８を参照しながら説明したＵＥ１１５、２１５、２１５−ａ、２１５−ｂ、２１５−ｃ、および／または１８１５のうちの１つまたは複数の態様、ならびに／あるいは図１２、図１３、図１４、および／または図１５を参照しながら説明した装置１２０５、１３０５、１４０５、および／または１５０５のうちの１つまたは複数の態様に関して以下で説明する。いくつかの例では、基地局、ＵＥ、および／または装置は、以下で説明する機能を実施するように基地局、ＵＥ、および／または装置の機能要素を制御するためのコードの１つまたは複数のセットを実行し得る。
【０２０４】
[0213]ブロック１９０５において、方法１９００は、事業者の展開において第１の事業者に関連する第１のノードが無認可無線周波数スペクトル帯域を介して送信すべき緊急データを有すると決定することを含み得る。無認可無線周波数スペクトル帯域は、無線周波数スペクトル帯域が少なくとも部分的に無認可使用（たとえば、Ｗｉ−Ｆｉ使用および／または無認可ＬＴＥ／ＬＴＥ−Ａ使用）のために利用可能であるので、装置がそれのためにアクセスを求めて競合する必要があり得る無線周波数スペクトル帯域であり得る。第１のノードは、いくつかの例では基地局を含み得、いくつかの例ではＵＥを含み得る。いくつかの例では、基地局またはＵＥは、ＬＴＥ／ＬＴＥ−Ａ互換基地局またはＵＥであり得る。ブロック１９０５における動作は、図１２、図１３、図１４、図１５、図１７、および／または図１８を参照しながら説明したワイヤレス通信管理モジュール１２２０、１３２０、１４２０、１５２０、１７６０、および／または１８６０、ならびに／あるいは図１２、図１３、図１４、および／または図１５を参照しながら説明した緊急データ送信管理モジュール１２３５、１３３５、１４３５、および／または１５３５を使用して実施され得る。
【０２０５】
[0214]ブロック１９１０において、方法１９００は、第１のノードによって無認可無線周波数スペクトル帯域を介して信号を送信することを含み得る。信号は、第１のノードが送信すべき緊急データを有することを示し得る。いくつかの例では、信号は、第１のノードによる緊急データの送信の最大時間スパンの指示を含み得る。ブロック１９１０における動作は、図１２、図１３、図１４、図１５、図１７、および／または図１８を参照しながら説明したワイヤレス通信管理モジュール１２２０、１３２０、１４２０、１５２０、１７６０、および／または１８６０、ならびに／あるいは図１２、図１３、図１４、および／または図１５を参照しながら説明した緊急データ送信管理モジュール１２３５、１３３５、１４３５、および／または１５３５を使用して実施され得る。
【０２０６】
[0215]このようにして、方法１９００はワイヤレス通信を提供し得る。方法１９００は一実装形態にすぎず、方法１９００の動作は、他の実装形態が可能であるように再構成されるか、または別様に修正され得ることに留意されたい。
【０２０７】
[0216]図２０は、本開示の様々な態様による、ワイヤレス通信のための方法２０００の一例を示すフローチャートである。明快のために、方法２０００について、図１、図２、および／または図１７を参照しながら説明した基地局１０５、２０５、２０５−ａ、および／または１７０５のうちの１つまたは複数の態様、図１、図２、および／または図１８を参照しながら説明したＵＥ１１５、２１５、２１５−ａ、２１５−ｂ、２１５−ｃ、および／または１８１５のうちの１つまたは複数の態様、ならびに／あるいは図１２、図１３、図１４、および／または図１５を参照しながら説明した装置１２０５、１３０５、１４０５、および／または１５０５のうちの１つまたは複数の態様に関して以下で説明する。いくつかの例では、基地局、ＵＥ、および／または装置は、以下で説明する機能を実施するように基地局、ＵＥ、および／または装置の機能要素を制御するためのコードの１つまたは複数のセットを実行し得る。
【０２０８】
[0217]ブロック２００５において、方法２０００は、事業者の展開において第１の事業者に関連する第１のノードが無認可無線周波数スペクトル帯域を介して送信すべき緊急データを有すると決定することを含み得る。無認可無線周波数スペクトル帯域は、無線周波数スペクトル帯域が少なくとも部分的に無認可使用（たとえば、Ｗｉ−Ｆｉ使用および／または無認可ＬＴＥ／ＬＴＥ−Ａ使用）のために利用可能であるので、装置がそれのためにアクセスを求めて競合する必要があり得る無線周波数スペクトル帯域であり得る。第１のノードは、いくつかの例では基地局を含み得、いくつかの例ではＵＥを含み得る。いくつかの例では、基地局またはＵＥは、ＬＴＥ／ＬＴＥ−Ａ互換基地局またはＵＥであり得る。ブロック２００５における動作は、図１２、図１３、図１４、図１５、図１７、および／または図１８を参照しながら説明したワイヤレス通信管理モジュール１２２０、１３２０、１４２０、１５２０、１７６０、および／または１８６０、ならびに／あるいは図１２、図１３、図１４、および／または図１５を参照しながら説明した緊急データ送信管理モジュール１２３５、１３３５、１４３５、および／または１５３５を使用して実施され得る。
【０２０９】
[0218]ブロック２０１０において、方法２０００は、第１のノードによって無認可無線周波数スペクトル帯域を介して信号を送信することを含み得る。信号は、第１のノードが送信すべき緊急データを有することを示し得る。いくつかの例では、信号は、第１のノードによる緊急データの送信の最大時間スパンの指示を含み得る。ブロック２０１０における動作は、図１２、図１３、図１４、図１５、図１７、および／または図１８を参照しながら説明したワイヤレス通信管理モジュール１２２０、１３２０、１４２０、１５２０、１７６０、および／または１８６０、ならびに／あるいは図１２、図１３、図１４、および／または図１５を参照しながら説明した緊急データ送信管理モジュール１２３５、１３３５、１４３５、および／または１５３５を使用して実施され得る。
【０２１０】
[0219]ブロック２０１５において、一例では、方法２０００は、第１のノードによる緊急データの送信中に無認可無線周波数スペクトル帯域におけるすべての利用可能な送信リソースをＭＢＭＳに割り振ることを含み得る。ブロック２０２０において、別の例では、方法２０００は、第１のノードによる緊急データの送信中に無認可無線周波数スペクトル帯域における利用可能な送信リソースをＭＢＭＳとユニキャストとの間で分割することを含み得る。後者の例では、緊急データは、ＭＢＭＳとユニキャストの両方を介して送信され得る。ブロック２０１５および／または２０２０における動作は、図１２、図１３、図１４、図１５、図１７、および／または図１８を参照しながら説明したワイヤレス通信管理モジュール１２２０、１３２０、１４２０、１５２０、１７６０、および／または１８６０、図１２、図１３、図１４、および／または図１５を参照しながら説明した緊急データ送信管理モジュール１２３５、１３３５、１４３５、および／または１５３５、ならびに／あるいは図１３を参照しながら説明したリソース割振りモジュール１３４５を使用して実施され得る。
【０２１１】
[0220]ブロック２０２５において、方法２０００は、ブロック２０１５または２０２０において行われた送信リソースの割振りに従って、ＭＢＭＳおよび／またはユニキャストを介して緊急データを送信することを含み得る。いくつかの例では、緊急データは、成功したＣＣＡが実施される無認可無線周波数スペクトル帯域の１つまたは複数のフレームにおいてＭＢＭＳおよび／またはユニキャストを介してのみ送信され得る。ブロック２０２５における動作は、図１２、図１３、図１４、図１５、図１７、および／または図１８を参照しながら説明したワイヤレス通信管理モジュール１２２０、１３２０、１４２０、１５２０、１７６０、および／または１８６０、図１３、図１４、および／または図１５を参照しながら説明したデータ送信モジュール１３５５、１４６０、および／または１５６５、ならびに／あるいは図１３を参照しながら説明したＭＢＭＳ送信モジュール１３６０を使用して実施され得る。
【０２１２】
[0221]ブロック２０３０において、方法２０００は、第１のノードが緊急データを送信することを完了したことを示す第２の信号を送信することを含み得る。ブロック２０３０における動作は、図１２、図１３、図１４、図１５、図１７、および／または図１８を参照しながら説明したワイヤレス通信管理モジュール１２２０、１３２０、１４２０、１５２０、１７６０、および／または１８６０、ならびに／あるいは図１２、図１３、図１４、および／または図１５を参照しながら説明した緊急データ送信管理モジュール１２３５、１３３５、１４３５、および／または１５３５を使用して実施され得る。
【０２１３】
[0222]このようにして、方法２０００はワイヤレス通信を提供し得る。方法２０００は一実装形態にすぎず、方法２０００の動作は、他の実装形態が可能であるように再構成されるか、または別様に修正され得ることに留意されたい。
【０２１４】
[0223]図２１は、本開示の様々な態様による、ワイヤレス通信のための方法２１００の一例を示すフローチャートである。明快のために、方法２１００について、図１、図２、および／または図１７を参照しながら説明した基地局１０５、２０５、２０５−ａ、および／または１７０５のうちの１つまたは複数の態様、図１、図２、および／または図１８を参照しながら説明したＵＥ１１５、２１５、２１５−ａ、２１５−ｂ、２１５−ｃ、および／または１８１５のうちの１つまたは複数の態様、ならびに／あるいは図１２、図１３、および／または図１４を参照しながら説明した装置１２０５、１３０５、および／または１４０５のうちの１つまたは複数の態様に関して以下で説明する。いくつかの例では、基地局、ＵＥ、および／または装置は、以下で説明する機能を実施するように基地局、ＵＥ、および／または装置の機能要素を制御するためのコードの１つまたは複数のセットを実行し得る。
【０２１５】
[0224]ブロック２１０５において、方法２１００は、事業者の展開において第１の事業者に関連する第１のノードが無認可無線周波数スペクトル帯域を介して送信すべき緊急データを有すると決定することを含み得る。無認可無線周波数スペクトル帯域は、無線周波数スペクトル帯域が少なくとも部分的に無認可使用（たとえば、Ｗｉ−Ｆｉ使用および／または無認可ＬＴＥ／ＬＴＥ−Ａ使用）のために利用可能であるので、装置がそれのためにアクセスを求めて競合する必要があり得る無線周波数スペクトル帯域であり得る。第１のノードは、いくつかの例では基地局を含み得、いくつかの例ではＵＥを含み得る。いくつかの例では、基地局またはＵＥは、ＬＴＥ／ＬＴＥ−Ａ互換基地局またはＵＥであり得る。ブロック２１０５における動作は、図１２、図１３、図１４、図１７、および／または図１８を参照しながら説明したワイヤレス通信管理モジュール１２２０、１３２０、１４２０、１７６０、および／または１８６０、ならびに／あるいは図１２、図１３、および／または図１４を参照しながら説明した緊急データ送信管理モジュール１２３５、１３３５、および／または１４３５を使用して実施され得る。
【０２１６】
[0225]ブロック２１１０において、方法２１００は、第１のノードによって無認可無線周波数スペクトル帯域を介して信号を送信することを含み得る。信号は、第１のノードが送信すべき緊急データを有することを示し得る。いくつかの例では、信号は、第１のノードによる緊急データの送信の最大時間スパンの指示を含み得る。ブロック２１１０における動作は、図１２、図１３、図１４、図１７、および／または図１８を参照しながら説明したワイヤレス通信管理モジュール１２２０、１３２０、１４２０、１７６０、および／または１８６０、ならびに／あるいは図１２、図１３、および／または図１４を参照しながら説明した緊急データ送信管理モジュール１２３５、１３３５、および／または１４３５を使用して実施され得る。
【０２１７】
[0226]ブロック２１１５において、方法２１００は、事業者の展開において１つの他の事業者に関連する少なくとも１つの他のノードが無認可無線周波数スペクトル帯域を介して送信すべき緊急データを有するかどうかを決定することを含み得る。無認可無線周波数スペクトル帯域を介して送信すべき緊急データを有する事業者の展開における別の事業者のノードがないと決定されたとき、方法２１００はブロック２１２０に進み得る。事業者の展開における別の事業者に関連するノード（たとえば、第２の事業者に関連する第２のノード）が無認可無線周波数スペクトル帯域を介して送信すべき緊急データを有すると決定されたとき、方法２１００はブロック２１２５に進み得る。いくつかの例では、事業者の展開において別の事業者に関連するノードが無認可無線周波数スペクトル帯域を介して送信すべき緊急データを有すると決定することは、別の事業者に関連するノードから信号を受信すること（たとえば、第２の事業者に関連する第２のノードから信号を受信すること）を含み得る。別の事業者に関連するノードから受信される信号は、別の事業者に関連するノードが送信すべき緊急データを有するという指示を含み得る。ブロック２１１５における動作は、図１２、図１３、図１４、図１７、および／または図１８を参照しながら説明したワイヤレス通信管理モジュール１２２０、１３２０、１４２０、１７６０、および／または１８６０、図１２、図１３、および／または図１４を参照しながら説明した緊急データ送信管理モジュール１２３５、１３３５、および／または１４３５、ならびに／あるいは図１４を参照しながら説明した緊急データ協調モジュール１４４０を使用して実施され得る。
【０２１８】
[0227]ブロック２１２０において、方法２１００は、第１のノードが送信すべき緊急データを有するという決定に応答して第１のノードのＬＢＴ譲歩パラメータを調整することを含み得る。ブロック２１２０における動作は、図１２、図１３、図１４、図１７、および／または図１８を参照しながら説明したワイヤレス通信管理モジュール１２２０、１３２０、１４２０、１７６０、および／または１８６０、図１２、図１３、および／または図１４を参照しながら説明した緊急データ送信管理モジュール１２３５、１３３５、および／または１４３５、ならびに／あるいは図１４を参照しながら説明したＬＢＴ譲歩パラメータ調整モジュール１４４５を使用して実施され得る。
【０２１９】
[0228]方法２１００のいくつかの例では、ブロック２１２０において調整されるＬＢＴ譲歩パラメータは、第１のＬＢＴ譲歩パラメータまたは第２のＬＢＴ譲歩パラメータのうちの１つを含むことができる。第１のＬＢＴ譲歩パラメータ（たとえば、Ｎ／ＫプロトコルのＮパラメータ）は、無認可無線周波数スペクトル帯域へのアクセスを譲歩するように事業者の展開において第１のノードをトリガする連続フレームの数を定義し得、第２のＬＢＴ譲歩パラメータ（たとえば、Ｎ／ＫプロトコルのＫパラメータ）は、第１のＬＢＴ譲歩パラメータによって定義される数の連続フレームの送信に続いて第１のノードが無認可無線周波数スペクトル帯域へのアクセスをその間に譲歩する連続フレームの数を定義し得る。いくつかの例では、ＬＢＴ譲歩パラメータを調整することは、第１のＬＢＴ譲歩パラメータをデフォルト値から増加させることを含み得る。いくつかの例では、ＬＢＴ譲歩パラメータを調整することは、第２のＬＢＴ譲歩パラメータをデフォルト値から減少させることを含み得る。いくつかの例では、第２のＬＢＴ譲歩パラメータをデフォルト値から減少させることは、第１のノードが送信すべき緊急データを有する間に第２のＬＢＴ譲歩パラメータを０に設定することを含み得る。いくつかの例では、ＬＢＴ譲歩パラメータを調整することは、第１のＬＢＴ譲歩パラメータと第２のＬＢＴ譲歩パラメータの両方を調整することを含み得る。
【０２２０】
[0229]方法２１００のいくつかの例では、第１のノードの調整されたＬＢＴ譲歩パラメータは、送信すべき緊急データを有しないノードによって使用される対応するＬＢＴ譲歩パラメータとは異なり得る。
【０２２１】
[0230]ブロック２１２５において、方法２１００は、第１のノードが送信すべき緊急データを有するという決定に応答して、および無認可無線周波数スペクトル帯域を介して送信すべき緊急データを有する事業者の展開における事業者の総数に基づいて、第１のノードのＬＢＴ譲歩パラメータを調整すべきかどうかを決定することを含み得る。第１のノードのＬＢＴ譲歩パラメータを調整することがブロック２１２５において決定されたとき、第１のノードのＬＢＴ譲歩パラメータはブロック２１２５において調整され得る。いくつかの例では、ＬＢＴ譲歩パラメータを調整することは、たとえば、ブロック２１２０に関して説明したように、第１のＬＢＴ譲歩パラメータまたは第２のＬＢＴ譲歩パラメータのうちの１つを調整することを含み得る。ブロック２１２５における動作は、図１２、図１３、図１４、図１７、および／または図１８を参照しながら説明したワイヤレス通信管理モジュール１２２０、１３２０、１４２０、１７６０、および／または１８６０、図１２、図１３、および／または図１４を参照しながら説明した緊急データ送信管理モジュール１２３５、１３３５、および／または１４３５、ならびに／あるいは図１４を参照しながら説明したＬＢＴ譲歩パラメータ調整モジュール１４４５を使用して実施され得る。
【０２２２】
[0231]方法２１００のいくつかの例では、ブロック２１１５において、事業者の展開において第２の事業者に関連する第２のノードが無認可無線周波数スペクトル帯域を介して送信すべき緊急データを有すると決定し得る。これらの例では、ブロック２１２５においてＬＢＴ譲歩パラメータを調整することは、第１のノードのＬＢＴ譲歩パラメータを第２のノードの対応するＬＢＴ譲歩パラメータにマッチングすることを含み得る。
【０２２３】
[0232]ブロック２１３０において、方法２１００は、第１のノードのＣＣＡ機会においてＣＣＡを実施することを含み得る。ブロック２１３０における動作は、図１２、図１３、図１４、図１７、および／または図１８を参照しながら説明したワイヤレス通信管理モジュール１２２０、１３２０、１４２０、１７６０、および／または１８６０、ならびに／あるいは図１４を参照しながら説明したＣＣＡモジュール１４５５を使用して実施され得る。
【０２２４】
[0233]ブロック２１３５において、ブロック２１３０において実施されたＣＣＡが成功したとき、方法２３００は、第１のノードが、ＣＣＡ機会に続くフレーム中に無認可無線周波数スペクトル帯域を介して緊急データの少なくとも一部分を送信することを含み得る。ＣＣＡが成功しないとき、または緊急データが複数のフレームを介して送信される必要があるとき、１つまたは複数の後続のフレームについてＣＣＡが実施され得、成功したＣＣＡに続くフレーム中に緊急データの少なくとも一部分が送信され得る。いくつかの例では、緊急データはＭＢＭＳおよび／またはユニキャストを介して送信され得る。いくつかの例では、緊急データは、無認可無線周波数スペクトル帯域の２つ以上のフレームを介して送信され得る。ブロック２１３５における動作は、図１２、図１３、図１４、図１７、および／または図１８を参照しながら説明したワイヤレス通信管理モジュール１２２０、１３２０、１４２０、１７６０、および／または１８６０、ならびに／あるいは図１３および／または図１４を参照しながら説明したデータ送信モジュール１３５５および／または１４６０を使用して実施され得る。
【０２２５】
[0234]ブロック２１４０において、方法２１００は、第１のノードによる緊急データの送信に続いてＬＢＴ譲歩パラメータを元の値（たとえば、デフォルト値）に戻すことをさらに含み得る。ブロック２１４０における動作は、図１２、図１３、図１４、図１７、および／または図１８を参照しながら説明したワイヤレス通信管理モジュール１２２０、１３２０、１４２０、１７６０、および／または１８６０、図１２、図１３、および／または図１４を参照しながら説明した緊急データ送信管理モジュール１２３５、１３３５、および／または１４３５、ならびに／あるいは図１４を参照しながら説明したＬＢＴ譲歩パラメータ調整モジュール１４４５を使用して実施され得る。
【０２２６】
[0235]このようにして、方法２１００はワイヤレス通信を提供し得る。方法２１００は一実装形態にすぎず、方法２１００の動作は、他の実装形態が可能であるように再構成されるか、または別様に修正され得ることに留意されたい。
【０２２７】
[0236]図２２は、本開示の様々な態様による、ワイヤレス通信のための方法２２００の一例を示すフローチャートである。明快のために、方法２２００について、図１、図２、および／または図１７を参照しながら説明した基地局１０５、２０５、２０５−ａ、および／または１７０５のうちの１つまたは複数の態様、図１、図２、および／または図１８を参照しながら説明したＵＥ１１５、２１５、２１５−ａ、２１５−ｂ、２１５−ｃ、および／または１８１５のうちの１つまたは複数の態様、ならびに／あるいは図１２、図１３、および／または図１５を参照しながら説明した装置１２０５、１３０５、および／または１５０５のうちの１つまたは複数の態様に関して以下で説明する。いくつかの例では、基地局、ＵＥ、および／または装置は、以下で説明する機能を実施するように基地局、ＵＥ、および／または装置の機能要素を制御するためのコードの１つまたは複数のセットを実行し得る。
【０２２８】
[0237]ブロック２２０５において、方法２２００は、事業者の展開において第１の事業者に関連する第１のノードが無認可無線周波数スペクトル帯域を介して送信すべき緊急データを有すると決定することを含み得る。無認可無線周波数スペクトル帯域は、無線周波数スペクトル帯域が少なくとも部分的に無認可使用（たとえば、Ｗｉ−Ｆｉ使用および／または無認可ＬＴＥ／ＬＴＥ−Ａ使用）のために利用可能であるので、装置がそれのためにアクセスを求めて競合する必要があり得る無線周波数スペクトル帯域であり得る。第１のノードは、いくつかの例では基地局を含み得、いくつかの例ではＵＥを含み得る。いくつかの例では、基地局またはＵＥは、ＬＴＥ／ＬＴＥ−Ａ互換基地局またはＵＥであり得る。ブロック２２０５における動作は、図１２、図１３、図１５、図１７、および／または図１８を参照しながら説明したワイヤレス通信管理モジュール１２２０、１３２０、１５２０、１７６０、および／または１８６０、ならびに／あるいは図１２、図１３、および／または図１５を参照しながら説明した緊急データ送信管理モジュール１２３５、１３３５、および／または１５３５を使用して実施され得る。
【０２２９】
[0238]ブロック２２１０において、方法２２００は、第１のノードによって無認可無線周波数スペクトル帯域を介して信号を送信することを含み得る。信号は、第１のノードが送信すべき緊急データを有することを示し得る。いくつかの例では、信号は、第１のノードによる緊急データの送信の最大時間スパンの指示を含み得る。ブロック２２１０における動作は、図１２、図１３、図１５、図１７、および／または図１８を参照しながら説明したワイヤレス通信管理モジュール１２２０、１３２０、１５２０、１７６０、および／または１８６０、ならびに／あるいは図１２、図１３、および／または図１５を参照しながら説明した緊急データ送信管理モジュール１２３５、１３３５、および／または１５３５を使用して実施され得る。
【０２３０】
[0239]ブロック２２１５において、方法２２００は、事業者の展開において１つの他の事業者に関連する少なくとも１つの他のノードが無認可無線周波数スペクトル帯域を介して送信すべき緊急データを有するかどうかを決定することを含み得る。無認可無線周波数スペクトル帯域を介して送信すべき緊急データを有する事業者の展開における別の事業者のノードがないと決定されたとき、方法２２００はブロック２２２０に進み得る。事業者の展開における別の事業者に関連するノード（たとえば、第２の事業者に関連する第２のノード）が無認可無線周波数スペクトル帯域を介して送信すべき緊急データを有すると決定されたとき、方法２２００はブロック２２２５に進み得る。いくつかの例では、事業者の展開において別の事業者に関連するノードが無認可無線周波数スペクトル帯域を介して送信すべき緊急データを有すると決定することは、別の事業者に関連するノードから信号を受信すること（たとえば、第２の事業者に関連する第２のノードから信号を受信すること）を含み得る。ノード関連の別の事業者から受信される信号は、別の事業者に関連するノードが送信すべき緊急データを有するという指示を含み得る。ブロック２２１５における動作は、図１２、図１３、図１５、図１７、および／または図１８を参照しながら説明したワイヤレス通信管理モジュール１２２０、１３２０、１５２０、１７６０、および／または１８６０、図１２、図１３、および／または図１５を参照しながら説明した緊急データ送信管理モジュール１２３５、１３３５、および／または１５３５、ならびに／あるいは図１５を参照しながら説明した緊急データ協調モジュール１５４０を使用して実施され得る。
【０２３１】
[0240]ブロック２２２０において、方法２２００は、第１のノードが送信すべき緊急データを有するという決定に応答して第１のノードのＣＣＡ機会を調整することを含み得る。ブロック２２２０における動作は、図１２、図１３、図１５、図１７、および／または図１８を参照しながら説明したワイヤレス通信管理モジュール１２２０、１３２０、１５２０、１７６０、および／または１８６０、図１２、図１３、および／または図１５を参照しながら説明した緊急データ送信管理モジュール１２３５、１３３５、および／または１５３５、ならびに／あるいは図１５を参照しながら説明したＣＣＡ機会調整モジュール１５４５を使用して実施され得る。
【０２３２】
[0241]ブロック２２２５において、方法２２００は、第１のノードが送信すべき緊急データを有するという決定に応答して、および無認可無線周波数スペクトル帯域を介して送信すべき緊急データを有する事業者の展開における事業者の総数に基づいて、第１のノードのＣＣＡ機会を調整すべきかどうかを決定することを含み得る。第１のノードのＣＣＡ機会を調整することがブロック２２２５において決定されたとき、第１のノードのＣＣＡ機会はブロック２２２５において調整され得る。ブロック２２２５における動作は、図１２、図１３、図１５、図１７、および／または図１８を参照しながら説明したワイヤレス通信管理モジュール１２２０、１３２０、１５２０、１７６０、および／または１８６０、図１２、図１３、および／または図１５を参照しながら説明した緊急データ送信管理モジュール１２３５、１３３５、および／または１５３５、ならびに／あるいは図１５を参照しながら説明したＣＣＡ機会調整モジュール１５４５を使用して実施され得る。
【０２３３】
[0242]方法２２００のいくつかの例では、ブロック２２１５において、事業者の展開において第２の事業者に関連する第２のノードが無認可無線周波数スペクトル帯域を介して送信すべき緊急データを有すると決定し得る。これらの例では、ブロック２２２５においてＣＣＡ機会を調整することは、第１のノードと第２のノードの両方が送信すべき緊急データを有する各フレームについてフレームごとに第１のノードと第２のノードとの間で、最も早いＣＣＡ機会へのアクセスを循環させることを含み得る。事業者の展開における他の事業者の他のノードも無認可無線周波数スペクトル帯域を介して送信すべき緊急データを有するとブロック２２１５において決定されたとき、最も早いＣＣＡ機会へのアクセスは、他の事業者のこれらの他のノード間でも循環され得る。
【０２３４】
[0243]方法２２００のいくつかの例では、第１のノードの調整されたＣＣＡ機会は、第２のノードのデフォルトＣＣＡ機会と衝突し、それをプリエンプトし得る。これらの例では、第２のノードが無認可無線周波数スペクトル帯域を介して送信すべき緊急データを有しないと仮定すると、第１のノードのデフォルトＣＣＡ機会は第２のノードに放棄され得る。
【０２３５】
[0244]ブロック２２３０において、方法２２００は、ブロック２２２０または２２２５において実施された動作に応じて、第１のノードの調整されたＣＣＡ機会またはデフォルトＣＣＡ機会のいずれかにおいてＣＣＡを実施することを含み得る。ブロック２２３０における動作は、図１２、図１３、図１５、図１７、および／または図１８を参照しながら説明したワイヤレス通信管理モジュール１２２０、１３２０、１５２０、１７６０、および／または１８６０、ならびに／あるいは図１５を参照しながら説明したＣＣＡモジュール１５６０を使用して実施され得る。
【０２３６】
[0245]ブロック２２３５において、ブロック２２３０において実施されたＣＣＡが成功したとき、方法２２００は、第１のノードが、調整されたＣＣＡ機会またはデフォルトＣＣＡ機会に続くフレーム中に無認可無線周波数スペクトル帯域を介して緊急データの少なくとも一部分を送信することを含み得る。ＣＣＡが成功しないとき、または緊急データが複数のフレームを介して送信される必要があるとき、１つまたは複数の後続のフレームについてＣＣＡが実施され得、成功したＣＣＡに続くフレーム中に緊急データの少なくとも一部分が送信され得る。いくつかの例では、緊急データはＭＢＭＳおよび／またはユニキャストを介して送信され得る。いくつかの例では、緊急データは、無認可無線周波数スペクトル帯域の２つ以上のフレームを介して送信され得る。ブロック２２３５における動作は、図１２、図１３、図１５、図１７、および／または図１８を参照しながら説明したワイヤレス通信管理モジュール１２２０、１３２０、１５２０、１７６０、および／または１８６０、ならびに／あるいは図１３および／または図１５を参照しながら説明したデータ送信モジュール１３５５および／または１５６５を使用して実施され得る。
【０２３７】
[0246]いくつかの例では、方法２２００は、緊急データが送信を完了するまで、調整されたＣＣＡ機会に続くフレームにおいてすべての利用可能な送信リソースを緊急データの送信に割り振ることを含み得る。
【０２３８】
[0247]いくつかの例では、方法２２００は、サブキャリアのサブセットを介して第１のノードによって緊急データを送信することを含み得る。サブキャリアのサブセットは、第１のノードの第１の事業者に基づいて決定され得る。
【０２３９】
[0248]いくつかの例では、方法２２００は、少なくとも第２の事業者に関連する第２のノードと同時にＣＣＡを実施することを含み得、ここで、第２のノードは送信すべき緊急データを有する。
【０２４０】
[0249]いくつかの例では、方法２２００は、少なくとも第２の事業者に関連する第２のノードと同時にＣＣＡを実施することを含み得、ここで、第２のノードは送信すべき非緊急データを有し、およびここで、第２のノードのデフォルトＣＣＡ機会は、第１のノードの調整されたＣＣＡ機会と衝突する。これらの例のいくつかでは、方法２２００は、第１の事業者と第２の事業者とを含むジョイントＭＢＭＳを介して緊急データを送信することをさらに含み得る。いくつかの例では、方法２２００は、第１のノードと第２のノードとが送信すべき同じ緊急データを有するという決定に応答して、ジョイントＭＢＭＳを形成することを含み得る。いくつかの例では、方法２２００は、第１のノードと第２のノードとの間のＣｏＭＰ動作に従って緊急データを送信することを含み得る。
【０２４１】
[0250]このようにして、方法２２００はワイヤレス通信を提供し得る。方法２２００は一実装形態にすぎず、方法２２００の動作は、他の実装形態が可能であるように再構成されるか、または別様に修正され得ることに留意されたい。
【０２４２】
[0251]いくつかの例では、方法１９００、２０００、２１００、および／または２２００のうちの１つまたは複数の態様は組み合わされ得る。
【０２４３】
[0252]図２３は、本開示の様々な態様による、ワイヤレス通信のための方法２３００の一例を示すフローチャートである。明快のために、方法２３００について、図１、図２、および／または図１７を参照しながら説明した基地局１０５、２０５、２０５−ａ、および／または１７０５のうちの１つまたは複数の態様、図１、図２、および／または図１８を参照しながら説明したＵＥ１１５、２１５、２１５−ａ、２１５−ｂ、２１５−ｃ、および／または１８１５のうちの１つまたは複数の態様、ならびに／あるいは図１２および／または図１６を参照しながら説明した装置１２０５および／または１６０５のうちの１つまたは複数の態様に関して以下で説明する。いくつかの例では、基地局および／または装置は、以下で説明する機能を実施するように基地局および／または装置の機能要素を制御するためのコードの１つまたは複数のセットを実行し得る。
【０２４４】
[0253]ブロック２３０５において、方法２３００は、事業者の展開において第１の事業者に関連する第１の基地局において、ＵＥが無認可無線周波数スペクトル帯域を介して送信すべき緊急アップリンクデータを有することを示すＵＥからのアップリンク送信を受信することを含み得る。無認可無線周波数スペクトル帯域は、無線周波数スペクトル帯域が少なくとも部分的に無認可使用（たとえば、Ｗｉ−Ｆｉ使用および／または無認可ＬＴＥ／ＬＴＥ−Ａ使用）のために利用可能であるので、装置がそれのためにアクセスを求めて競合する必要があり得る無線周波数スペクトル帯域であり得る。いくつかの例では、第１の基地局はＬＴＥ／ＬＴＥ−Ａ互換基地局であり得る。いくつかの例では、ＵＥからのアップリンク送信はアップリンク信号を含み得、いくつかの例では、アップリンク送信は、信号中に含まれる）サウンディング基準信号（ＳＲＳ）、物理ランダムアクセスチャネル（ＰＲＡＣＨ）、チャネル状態情報（ＣＳＩ）、および／またはスケジューリング要求（ＳＲ）の一部分であり得る。ブロック２３０５における動作は、図１６を参照しながら説明したワイヤレス通信管理モジュール１６２０および／または緊急データ通知受信モジュール１６３５を使用して実施され得る。
【０２４５】
[0254]ブロック２３１０において、方法２３００は、ＵＥが無認可無線周波数スペクトル帯域を介して送信すべき緊急アップリンクデータを有するという指示を第１の基地局によって第２の基地局に送信することを含み得る。いくつかの例では、第２の基地局はＬＴＥ／ＬＴＥ−Ａ互換基地局であり得る。いくつかの例では、第２の基地局への指示は、ダウンリンク信号および／またはＬＢＴバーストの開始における送信を含み得る。ブロック２３１０における動作は、図１６を参照しながら説明したワイヤレス通信管理モジュール１６２０および／または緊急データ通知配信モジュール１６４０を使用して実施され得る。
【０２４６】
[0255]ＵＥが送信すべき緊急アップリンクデータを有することを示すＵＥからのアップリンク送信と、ＵＥが送信すべき緊急データを有することを示す第１の基地局から第２の基地局に送信される指示とに応じて、第１の基地局と第２の基地局とに関連するＵＥは、それに応じてそれらのそれぞれのＣＣＡ機会を調整し得る。たとえば、第１の基地局がそれ自体の信号においてアップリンク緊急指示を設定するが、（たとえば、第２の基地局およびそれのＵＥは送信すべき緊急データを有しないので）第２の基地局はそうしない場合、第１の基地局に関連するＵＥは、それらが送信すべき緊急データを有する場合、それらのデフォルトＣＣＡ機会をオーバーライドし、それらのＣＣＡ機会を最も早いＣＣＡ機会に設定し得るが、第２の基地局に関連するＵＥは、それらのデフォルトＣＣＡ機会が、第１の基地局に関連するＵＥの調整されたＣＣＡ機会と衝突する場合、それらのデフォルトＣＣＡ機会を譲歩し得る。また、第２の基地局に関連するＵＥは、それらのデフォルトＣＣＡ機会を、第１の基地局に関連するＵＥに放棄し得る。
【０２４７】
[0256]このようにして、方法２３００はワイヤレス通信を提供し得る。方法２３００は一実装形態にすぎず、方法２３００の動作は、他の実装形態が可能であるように再構成されるか、または別様に修正され得ることに留意されたい。
【０２４８】
[0257]添付の図面に関して上記に記載した発明を実施するための形態は、例について説明しており、実装され得るかまたは特許請求の範囲内に入る例のみを表すものではない。「例」および「例示的」という用語は、本明細書で使用されるとき、「例、事例、または例示として働く」ことを意味し、「好ましい」または「他の例よりも有利である」ことを意味するものではない。発明を実施するための形態は、説明した技法の理解を与える目的で具体的な詳細を含む。ただし、これらの技法は、これらの具体的な詳細なしに実施され得る。いくつかの事例では、説明した例の概念を不明瞭にすることを避けるために、よく知られている構造および装置がブロック図の形態で示されている。
【０２４９】
[0258]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０２５０】
[0259]本明細書の開示に関して説明した様々な例示的なブロックおよびモジュールは、汎用プロセッサ、デジタル信号プロセッサ（ＤＳＰ）、ＡＳＩＣ、ＦＰＧＡもしくは他のプログラマブル論理デバイス、個別ゲートもしくはトランジスタ論理、個別ハードウェア構成要素、または本明細書で説明した機能を実施するように設計されたそれらの任意の組合せを用いて実装または実施され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【０２５１】
[0260]本明細書で説明した機能は、ハードウェア、プロセッサによって実行されるソフトウェア、ファームウェア、またはそれらの任意の組合せで実装され得る。プロセッサによって実行されるソフトウェアで実装された場合、機能は、非一時的コンピュータ可読媒体上に記憶されるか、あるいは非一時的コンピュータ可読媒体上で１つまたは複数の命令またはコードとして送信され得る。他の例および実装形態は、本開示および添付の特許請求の範囲の範囲および趣旨内にある。たとえば、ソフトウェアの性質により、上で説明した機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が異なる物理的ロケーションにおいて実装されるように分散されることを含めて、様々な位置に物理的に配置され得る。また、特許請求の範囲を含めて、本明細書で使用されるとき、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０２５２】
[0261]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、電気的消去可能プログラマブルＲＯＭ（ＥＥＰＲＯＭ（登録商標））、コンピュータディスク（ＣＤ）−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は媒体の定義に含まれる。本明細書で使用するディスク（disk）およびディスク（disc）は、ＣＤ（disc）、レーザディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含まれる。
【０２５３】
[0262]本開示についての以上の説明は、当業者が本開示を作成または使用することができるように提供されるものである。本開示への様々な変更は当業者には容易に明らかになり、本明細書で定義した一般原理は、本開示の趣旨または範囲から逸脱することなく他の変形形態に適用され得る。本開示全体にわたって、「例」または「例示的」という用語は、一例または一事例を示すものであり、言及した例についてのいかなる選好も暗示または要求しない。したがって、本開示は、本明細書で説明した例および設計に限定されるべきでなく、本明細書で開示する原理および新規の特徴に合致する最も広い範囲を与えられるべきである。
以下に本願の出願当初の特許請求の範囲に記載された発明を付記する。
[Ｃ１]  事業者の展開において第１の事業者に関連する第１のノードが無認可無線周波数スペクトル帯域を介して送信すべき緊急データを有すると決定することと、
前記第１のノードによって前記無認可無線周波数スペクトル帯域を介して信号を送信することと、前記信号が、前記第１のノードが送信すべき緊急データを有することを示す、を備える、ワイヤレス通信の方法。
[Ｃ２]  前記信号が、前記第１のノードによる前記緊急データの送信の最大時間スパンの指示をさらに備える、Ｃ１に記載の方法。
[Ｃ３]  前記信号が、クリアチャネルアセスメント（ＣＣＡ）免除送信（ＣＥＴ）を使用して送信される、Ｃ１に記載の方法。
[Ｃ４]  マルチメディアブロードキャストマルチキャストサービス（ＭＢＭＳ）を介して前記緊急データを送信することをさらに備える、Ｃ１に記載の方法。
[Ｃ５]  前記第１のノードによる前記緊急データの前記送信中に前記無認可無線周波数スペクトル帯域において利用可能な送信リソースを割り振ることをさらに備え、ここにおいて、前記割振りは、
前記無認可無線周波数スペクトル帯域におけるすべての利用可能な送信リソースを前記ＭＢＭＳに割り振ること、または
前記無認可無線周波数スペクトル帯域における利用可能な送信リソースを前記ＭＢＭＳとユニキャストとの間で分割することと、ここにおいて、前記緊急データが前記ＭＢＭＳと前記ユニキャストの両方を介して送信される、のうちの１つを備える、Ｃ４に記載の方法。
[Ｃ６]  前記第１のノードが前記緊急データを送信することを完了したことを示す第２の信号を送信することをさらに備える、Ｃ１に記載の方法。
[Ｃ７]  前記第２の信号が、クリアチャネルアセスメント（ＣＣＡ）免除送信（ＣＥＴ）を使用して送信される、Ｃ６に記載の方法。
[Ｃ８]  前記第１のノードが送信すべき緊急データを有するという前記決定に応答して前記第１のノードのリッスンビフォアトーク（ＬＢＴ）譲歩パラメータを調整することをさらに備える、Ｃ１に記載の方法。
[Ｃ９]  前記ＬＢＴ譲歩パラメータが、第１のＬＢＴ譲歩パラメータまたは第２のＬＢＴ譲歩パラメータのうちの１つを備え、
前記第１のＬＢＴ譲歩パラメータは、前記無認可無線周波数スペクトル帯域へのアクセスを譲歩するように事業者の前記展開において前記第１のノードをトリガする連続フレームの数を定義し、
前記第２のＬＢＴ譲歩パラメータは、前記第１のＬＢＴ譲歩パラメータによって定義される前記数の連続フレームの送信に続いて前記第１のノードが前記無認可無線周波数スペクトル帯域へのアクセスをその間に譲歩する連続フレームの数を定義する、Ｃ８に記載の方法。
[Ｃ１０]  前記ＬＢＴ譲歩パラメータを調整することが、
前記第１のＬＢＴ譲歩パラメータをデフォルト値から増加または減少させることを備える、Ｃ９に記載の方法。
[Ｃ１１]  前記ＬＢＴ譲歩パラメータを調整することが、
前記無認可無線周波数スペクトル帯域を介して送信すべき緊急データを有する事業者の前記展開における事業者の総数に基づいて前記ＬＢＴ譲歩パラメータを調整することを備える、Ｃ８に記載の方法。
[Ｃ１２]  事業者の前記展開において第２の事業者に関連する第２のノードが前記無認可無線周波数スペクトル帯域を介して送信すべき緊急データを有すると決定することをさらに備え、
ここにおいて、前記ＬＢＴ譲歩パラメータを調整することが、前記第１のノードの前記ＬＢＴ譲歩パラメータを前記第２のノードの対応するＬＢＴ譲歩パラメータにマッチングすることを備える、Ｃ８に記載の方法。
[Ｃ１３]  前記第２のノードが前記無認可無線周波数スペクトル帯域を介して送信すべき緊急データを有すると決定することが、
前記第２のノードから信号を受信することを備え、前記信号は、前記第２のノードが送信すべき緊急データを有するという指示を備える、Ｃ１２に記載の方法。
[Ｃ１４]  前記第１のノードが送信すべき緊急データを有するという前記決定に応答して前記第１のノードのＣＣＡ機会を調整することをさらに備える、Ｃ１に記載の方法。
[Ｃ１５]  前記第１のノードの前記ＣＣＡ機会を調整することが、
前記無認可無線周波数スペクトル帯域を介して送信すべき緊急データを有する事業者の前記展開における事業者の総数に基づいて前記ＣＣＡ機会を調整することを備える、Ｃ１４に記載の方法。
[Ｃ１６]  少なくとも事業者の前記展開において第２の事業者に関連する第２のノードが前記無認可無線周波数スペクトル帯域を介して送信すべき緊急データを有すると決定することをさらに備える、Ｃ１５に記載の方法。
[Ｃ１７]  最も早いＣＣＡ機会へのアクセスは、前記第１のノードと前記第２のノードの両方が送信すべき緊急データを有する各フレームについてフレームごとに前記第１のノードと前記第２のノードとの間で循環する、Ｃ１６に記載の方法。
[Ｃ１８]  事業者の展開において第１の事業者に関連する第１のノードが無認可無線周波数スペクトル帯域を介して送信すべき緊急データを有すると決定するための手段と、
前記無認可無線周波数スペクトル帯域を介して信号を送信することを前記第１のノードに行わせるための手段と、前記信号が、前記第１のノードが送信すべき緊急データを有することを示す、を備える、ワイヤレス通信のための装置。
[Ｃ１９]  前記第１のノードが送信すべき緊急データを有するという前記決定に応答して前記第１のノードのリッスンビフォアトーク（ＬＢＴ）譲歩パラメータを調整するための手段をさらに備える、Ｃ１８に記載の装置。
[Ｃ２０]  前記ＬＢＴ譲歩パラメータが、第１のＬＢＴ譲歩パラメータまたは第２のＬＢＴ譲歩パラメータのうちの１つを備え、
前記第１のＬＢＴ譲歩パラメータが、前記無認可無線周波数スペクトル帯域へのアクセスを譲歩するように事業者の前記展開において前記第１のノードをトリガする連続フレームの数を定義し、
前記第２のＬＢＴ譲歩パラメータは、前記第１のＬＢＴ譲歩パラメータによって定義される前記数の連続フレームの送信に続いて前記第１のノードが前記無認可無線周波数スペクトル帯域へのアクセスをその間に譲歩する連続フレームの数を定義する、Ｃ１９に記載の装置。
[Ｃ２１]  前記ＬＢＴ譲歩パラメータを調整するための手段が、
前記無認可無線周波数スペクトル帯域を介して送信すべき緊急データを有する事業者の前記展開における事業者の総数に基づいて前記ＬＢＴ譲歩パラメータを調整するための手段を備える、Ｃ１９に記載の装置。
[Ｃ２２]  前記第１のノードが送信すべき緊急データを有するという前記決定に応答して前記第１のノードのＣＣＡ機会を調整するための手段をさらに備える、Ｃ１８に記載の装置。
[Ｃ２３]  事業者の展開において第１の事業者に関連する第１の基地局において、ユーザ機器（ＵＥ）が無認可無線周波数スペクトル帯域を介して送信すべき緊急アップリンクデータを有することを示す前記ＵＥからのアップリンク送信を受信することと、
前記ＵＥが前記無認可無線周波数スペクトル帯域を介して送信すべき緊急アップリンクデータを有するという指示を前記第１の基地局によって第２の基地局に送信することとを備える、ワイヤレス通信の方法。
[Ｃ２４]  前記ＵＥからの前記アップリンク送信がアップリンククリアチャネルアセスメント（ＣＣＡ）免除送信（ＣＥＴ）を備える、Ｃ２３に記載の方法。
[Ｃ２５]  前記第２の基地局への前記指示がダウンリンク信号を備える、Ｃ２３に記載の方法。
[Ｃ２６]  前記第２の基地局への前記指示が、リッスンビフォアトーク（ＬＢＴ）バーストの開始における送信を備える、Ｃ２３に記載の方法。
[Ｃ２７]  事業者の展開において第１の事業者に関連する第１の基地局において、ユーザ機器（ＵＥ）が無認可無線周波数スペクトル帯域を介して送信すべき緊急アップリンクデータを有することを示す前記ＵＥからのアップリンク送信を受信するための手段と、
前記ＵＥが前記無認可無線周波数スペクトル帯域を介して送信すべき緊急アップリンクデータを有するという指示を第２の基地局に送信することを前記第１の基地局に行わせるための手段とを備える、ワイヤレス通信のための装置。
[Ｃ２８]  前記ＵＥからの前記アップリンク送信がアップリンククリアチャネルアセスメント（ＣＣＡ）免除送信（ＣＥＴ）を備える、Ｃ２７に記載の装置。
[Ｃ２９]  前記第２の基地局への前記指示がダウンリンク信号を備える、Ｃ２７に記載の装置。
[Ｃ３０]  前記第２の基地局への前記指示が、リッスンビフォアトーク（ＬＢＴ）バーストの開始における送信を備える、Ｃ２７に記載の装置。
【図１】
0006495324.tif 000009
【図２】
0006495324.tif 000010
【図３】
0006495324.tif 000011
【図４Ａ】
0006495324.tif 000012
【図４Ｂ】
0006495324.tif 000013
【図５】
0006495324.tif 000014
【図６】
0006495324.tif 000015
【図７】
0006495324.tif 000016
【図８】
0006495324.tif 000017
【図９】
0006495324.tif 000018
【図１０】
0006495324.tif 000019
【図１１】
0006495324.tif 000020
【図１２】
0006495324.tif 000021
【図１３】
0006495324.tif 000022
【図１４】
0006495324.tif 000023
【図１５】
0006495324.tif 000024
【図１６】
0006495324.tif 000025
【図１７】
0006495324.tif 000026
【図１８】
0006495324.tif 000027
【図１９】
0006495324.tif 000028
【図２０】
0006495324.tif 000029
【図２１】
0006495324.tif 000030
【図２２】
0006495324.tif 000031
【図２３】
0006495324.tif 000032